(57)【要約】  移動体無線通信システムにおいて、ある無線通信装置が使用不可能になった場合、該無線通信装置に接続していた移動局が、新たな接続先として残存リソースが多い無線通信装置を選択することが可能となり、無線リソースの不足や輻輳を避けること。  移動局６とゲートウェイ２との間の通信に用いる主経路を選択するときに、主経路とともに切り替え先となる副経路を選択しておく。主経路及び副経路は、無線通信装置４又は７の残存リソースに基づいて選択する。主経路及び副経路の選択は、ゲートウェイ２、または経路選択機能を有する外部装置９、基地局４、中継局７または移動局６で行われる。
2011027464.tif 000002
【特許請求の範囲】
【請求項１】
基地局ＢＳの識別子ｍａｉｎ  ＢＳＩＤに対して、前記ｍａｉｎ  ＢＳＩＤを持つＢＳを主経路として既に選択している移動局ＭＳの識別子ＭＳＩＤ、前記ＭＳＩＤを持つＭＳが副経路として選択しているＢＳの識別子ｓｕｂ  ＢＳＩＤ、前記ＭＳＩＤを持つＭＳが要求する無線リソース量の指標ｒＭＳ、前記ｍａｉｎ  ＢＳＩＤを持つＢＳを主経路として既に選択しているＭＳに関するＭＳが要求する無線リソース量の指標の合計ΣｒＭＳｍａｉｎ、前記ｍａｉｎ  ＢＳＩＤを持つＢＳが許容できる無線リソース量の上限値の指標ｒＢＳｍａｘ、前記ｍａｉｎ  ＢＳＩＤを持つＢＳの残存無線リソース量に基づく主経路としての評価指標Ｒｒｍａｉｎを含むプロファイル情報を記憶する第１メモリと、
主経路として選択可能なＢＳについての前記プロファイル情報と、経路設定の要求を出してきたＭＳが要求する無線リソース量の指標ｒＭＳｎｅｗを対応して記憶する第２メモリと、
経路の評価指標を計算し、該評価指標に基づき経路を選択するための処理部と、
を備え、
前記処理部は、ＢＳから、ＭＳから送信された経路設定の要求内の、移動局のＭＳＩＤ及びＭＳが要求する無線リソース量の指標ｒＭＳｎｅｗ及び自身が通信可能なＢＳのＢＳＩＤの識別子ａｖａｉｌａｂｌｅ  ＢＳＩＤｓを含む第１メッセージを受信し、
前記処理部は、前記第１メッセージ内のａｖａｉｌａｂｌｅ  ＢＳＩＤｓに含まれる経路として選択可能な複数のＢＳＩＤに対応するＢＳのプロファイル情報を、前記第１メモリから引き出し、該ＢＳのプロファイル情報、及び、ｒＭＳｎｅｗに基づいて前記第２メモリを作成し、
前記処理部は、前記第２メモリに記憶された情報に従い、前記主経路選択の際に、経路ｎに対する（ｒＢＳｍａｘ）ｎと、（ΣｒＭＳｍａｉｎ）ｎ及びｒＭＳｎｅｗの和との比により、第１残存リソース量の指標（Ｒｒｍａｉｎ）ｎを計算することで、ＢＳの第１残存リソース量に基づく主経路の評価指標（Ｒｍａｉｎ）ｎを、第２メモリに記憶されたｍａｉｎ  ＢＳＩＤを持つＢＳについてそれぞれ計算し（ここで、（  ）ｎは各経路ｎを表す。）、
前記処理部は、計算した主経路の評価指標（Ｒｍａｉｎ）ｎが最大のＢＳを主経路として選択する
経路選択装置。
【請求項２】
ＭＳＩＤ及び該ＭＳＩＤを持つ通信可能なＢＳのＢＳＩＤに対する品質情報、ＭＳＩＤ及び経路で実行されるアプリケーションの識別子ＡＰＬＩＤに対する重み付けのパラメータ、を記憶した品質情報メモリを備え、
前記第１メッセージは、ＭＳから送信された経路の設定要求に含まれるＡＰＬＩＤをさらに含み、ＭＳＩＤ及びＡＰＬＩＤに基づき、前記第２メモリ内のａｖａｉｌａｂｌｅ  ＢＳＩＤのＢＳＩＤに対して、前記品質情報メモリから品質情報と重み付けのパラメータを求め、
前記処理部は、品質情報と重み付けのパラメータを乗算することで、各経路ｎの品質に基づく経路の評価指標（ＲＱｏＳ）ｎを、前記第２メモリの前記ｍａｉｎ  ＢＳＩＤを持つＢＳについてそれぞれ計算し、
前記処理部は、各経路ｎに対する、各経路ｎの品質に基づく経路の評価指標（ＲＱｏＳ）ｎと第１残存リソース量の指標（Ｒｒｍａｉｎ）ｎとの重み付け加算値から、ＢＳの残存リソース量及び経路の品質に基づく主経路の評価指標（Ｒｍａｉｎ）ｎを、前記第２メモリ内の前記ｍａｉｎ  ＢＳＩＤを持つＢＳについてそれぞれ計算し、
前記処理部は、計算した主経路の評価指標（Ｒｍａｉｎ）ｎが最大のＢＳを主経路として選択する
ことを特徴とする請求項１に記載の経路選択装置。
【請求項３】
主経路の評価指標（Ｒｍａｉｎ）ｎは、次式により求めることを特徴とする請求項１に記載の経路選択装置。
（Ｒｍａｉｎ）ｎ＝（Ｐｍａｉｎ）ｎ（ｗＱｏＳ（ＲＱｏＳ）ｎ＋ｗｒｍａｉｎ（Ｒｒｍａｉｎ）ｎ）
ここで、
ｎは経路のインデックスである。
（Ｐｍａｉｎ）ｎは、該ＢＳが主経路として選択される優先度を示すポリシー情報（ＢＳの使用に関する重み付け）
（Ｒｒｍａｉｎ）ｎは、該ＢＳの残存リソースに基づく主経路の評価
ｗＱｏＳは、（ＲＱｏＳ）ｎに対する重み付けのパラメータ
ｗｒｍａｉｎは、（Ｒｒｍａｉｎ）ｎに対する重み付けのパラメータ
【請求項４】
ＭＳＩＤ及び該ＭＳＩＤを持つ通信可能なＢＳのＢＳＩＤに対する品質情報、ＭＳＩＤ及び経路で実行されるアプリケーションの識別子であるＡＰＬＩＤに対する重み付けのパラメータ、を記憶したポリシーメモリを備えたポリシー制御装置をさらに備え、
前記経路選択装置が品質情報メモリに品質情報が設定されていない場合、前記処理部はポリシー制御装置へＭＳから送信された経路の設定要求に含まれるＭＳＩＤ、ａｖａｉｌａｂｌｅ  ＢＳＩＤ、ＡＰＬＩＤを含むメッセージを送信し、該ＢＳの品質情報及び重み付けパラメータを要求し、
前記処理部は、前記ポリシー制御装置から品質情報を受信すると、該品質情報及び重み付けパラメータを前記品質情報メモリに記憶する
ことを特徴とする請求項１に記載の経路選択装置。
【請求項５】
主経路として選択されたｍａｉｎ  ＢＳＩＤに対し、副経路として選択可能なＢＳの識別子ｓｕｂ  ＢＳＩＤ、前記ｍａｉｎ  ＢＳＩＤを持つＢＳを主経路として既に選択しているＭＳに関するＭＳが要求する無線リソース量の指標の合計ΣｒＭＳｍａｉｎ、前記ｍａｉｎ  ＢＳＩＤを持つＢＳを主経路として既に選択していて且つ前記ｓｕｂ  ＢＳＩＤを持つＢＳを副経路として既に選択しているＭＳに関するＭＳが要求する無線リソース量の指標の合計ΣｒＭＳｓｕｂ、前記ｓｕｂ  ＢＳＩＤを持つＢＳが許容できる無線リソース量の上限値の指標ｒＢＳｍａｘ、前記ｓｕｂ  ＢＳＩＤを持つＢＳの残存無線リソース量に基づく副経路としての評価指標Ｒｒｓｕｂ、経路設定の要求を出してきたＭＳが要求する無線リソース量の指標ｒＭＳｎｅｗを対応して記憶した第３メモリを備え、
前記処理部は、主経路として選択されたＢＳの情報を前記第１メモリ又は前記第２メモリから引き出し、引き出した該ＢＳの情報と第１メッセージ内のｒＭＳｎｅｗに基づいて前記第３メモリを作成し、
前記処理部は、前記第３メモリに記憶された情報に基づき、副経路選択の際に、経路ｎに対する、（ｒＢＳｍａｘ）ｎと、  （ΣｒＭＳｍａｉｎ）ｎ及び  （ΣｒＭＳｓｕｂ）ｎ及びｒＭＳｎｅｗの和との比により、第２残存リソース量の指標（Ｒｒｓｕｂ）ｎを計算することで、ＢＳの第２残存リソース量に基づく副経路の評価指標（Ｒｓｕｂ）ｎを、第３メモリ内のｓｕｂ  ＢＳＩＤを持つＢＳについてそれぞれ計算し、
前記処理部は、計算した副経路の評価指標（Ｒｓｕｂ）ｎが最大のＢＳを副経路として選択する。
ことを特徴とする請求項１に記載の経路選択装置。
【請求項６】
各経路の品質に基づく経路の評価指標（ＲＱｏＳ）ｎと第２残存リソース量の指標（Ｒｒｓｕｂ）ｎとの重み付け加算値から、ＢＳの残存リソース量及び経路の品質に基づく総合的な副経路の評価指標（Ｒｓｕｂ）ｎを、前記第３メモリ内の前記ｍａｉｎ  ＢＳＩＤを持つＢＳについてそれぞれ計算し、
前記処理部は、計算した副経路の評価指標（Ｒｓｕｂ）ｎが最大のＢＳを副経路として選択する
ことを特徴とする請求項５に記載の経路選択装置。
【請求項７】
前記処理部は、  ＢＳの残存リソース量及び経路の品質に基づく総合的な副経路の評価指標（Ｒｓｕｂ）ｎを、次式に従い、前記第３メモリに記憶されたＢＳＩＤを持つＢＳについてそれぞれ計算する
ことを特徴とする請求項５に記載の経路選択装置。
（Ｒｓｕｂ）ｎ＝（Ｐｓｕｂ）ｎ（ｗＱｏＳ（ＲＱｏＳ）ｎ＋ｗｒｓｕｂ（Ｒｒｓｕｂ）ｎ）
ここで、
ｎは経路のインデックス
（Ｐｓｕｂ）ｎは、該ＢＳが副経路として選択される優先度を示すポリシー情報（ＢＳの使用に関する重み付け）
（ＲＱｏＳ）ｎは、該経路の品質に基づく経路の評価
（Ｒｒｓｕｂ）ｎは、該ＢＳの残存リソースに基づく副経路の評価
ｗＱｏＳは、（ＲＱｏＳ）ｎに対する重み付けのパラメータ
ｗｒｓｕｂは、（Ｒｒｓｕｂ）ｎに対する重み付けのパラメータ
【請求項８】
前記処理部は、ＢＳから、移動局から送信された切り替え要求内のＭＳＩＤ及びｓｕｂ  ＢＳＩＤを含む第２メッセージを受信し、前記処理部は、該第２メッセージから、該ＭＳが主経路から副経路への切り替えを要求していると判断し、
前記処理部は、ｎｅｗ  ｍａｉｎ  ＢＳＩＤにｓｕｂ  ＢＳＩＤの値を設定しメッセージを、前記第２メッセージに含まれるｓｕｂ  ＢＳＩＤに対応するＢＳへ送信し、該ｓｕｂ  ＢＳＩＤに対応するＢＳとのデータ経路を設定し、
前記処理部は、前記第２メッセージに含まれるＭＳＩＤをもつＭＳに関して、新たに主経路として選択されたＢＳのプロファイル情報を前記第１メモリから引き出し、引き出した情報と、第２メッセージ内のｒＭＳｎｅｗから前記第３メモリを作成し、
前記処理部は、前記第３メモリに記憶された情報に基づき、副経路選択の際に、（ｒＢＳｍａｘ）ｎと、  （ΣｒＭＳｍａｉｎ）ｎ及び  （ΣｒＭＳｓｕｂ）ｎ及びｒＭＳｎｅｗの和との比により、第２残存リソース量の指標（Ｒｒｓｕｂ）ｎを計算することで、ＢＳの第２残存リソース量に基づく副経路の評価指標（Ｒｓｕｂ）ｎを、前記第３メモリ内のｓｕｂ  ＢＳＩＤを持つＢＳについてそれぞれ計算し、
前記処理部は、計算した副経路の評価指標（Ｒｓｕｂ）ｎが最大のＢＳを副経路として選択する
ことを特徴とする請求項１に記載の経路選択装置。
【請求項９】
前記処理部は、各経路の品質に基づく経路の評価指標（ＲＱｏＳ）ｎと第２残存リソース量の指標（Ｒｒｓｕｂ）ｎとの重み付け加算値から、ＢＳの残存リソース量及び経路の品質に基づく総合的な副経路の評価指標（Ｒｓｕｂ）ｎを、前記第３メモリ内の前記ｍａｉｎ  ＢＳＩＤを持つＢＳについてそれぞれ計算し、
前記処理部は、計算した副経路の評価指標（Ｒｓｕｂ）ｎが最大のＢＳを副経路として選択する
ことを特徴とする請求項８に記載の経路選択装置。
【請求項１０】
中継局ＲＳの識別子ｍａｉｎ  ＲＳＩＤに対して、前記ｍａｉｎ  ＲＳＩＤを持つＲＳを主経路として既に選択している移動局ＭＳの識別子ＭＳＩＤ、前記ＭＳＩＤを持つＭＳが副経路として選択しているＲＳの識別子ｓｕｂ  ＲＳＩＤ、前記ＭＳＩＤを持つＭＳが要求する無線リソース量の指標ｒＭＳ、前記ｍａｉｎ  ＲＳＩＤを持つＲＳを主経路として既に選択しているＭＳに関するＭＳが要求する無線リソース量の指標の合計ΣｒＭＳｍａｉｎ、前記ｍａｉｎ  ＲＳＩＤを持つＲＳが許容できる無線リソース量の上限値の指標ｒＲＳｍａｘ、前記ｍａｉｎ  ＲＳＩＤを持つＲＳの残存無線リソース量に基づく主経路としての評価指標Ｒｒｍａｉｎを含むプロファイル情報を記憶する第１メモリと、
主経路として選択可能なＲＳについての前記プロファイル情報と、経路設定の要求を出してきたＭＳが要求する無線リソース量の指標ｒＭＳｎｅｗを対応して記憶する第２メモリと、
経路の評価指標を計算し、該評価指標に基づき経路を選択するための処理部と、
を備え、
前記処理部は、ＲＳから、ＭＳから送信された経路設定の要求内の、移動局のＭＳＩＤ及びＭＳが要求する無線リソース量の指標ｒＭＳｎｅｗ及び自身が通信可能なＲＳのＲＳＩＤの識別子ａｖａｉｌａｂｌｅ  ＲＳＩＤｓを含む第１メッセージを受信し、
前記処理部は、前記第１メッセージ内のａｖａｉｌａｂｌｅ  ＲＳＩＤｓに含まれる経路として選択可能な複数のＲＳＩＤに対応するＲＳのプロファイル情報を、前記第１メモリから引き出し、該ＲＳのプロファイル情報、及び、ｒＭＳｎｅｗに基づいて前記第２メモリを作成し、
前記処理部は、前記第２メモリに記憶された情報に従い、前記主経路選択の際に、経路ｎに対する（ｒＲＳｍａｘ）ｎと、（ΣｒＭＳｍａｉｎ）ｎ及びｒＭＳｎｅｗの和との比により、第１残存リソース量の指標（Ｒｒｍａｉｎ）ｎを計算することで、ＲＳの第１残存リソース量に基づく主経路の評価指標（Ｒｍａｉｎ）ｎを、第２メモリに記憶されたｍａｉｎ  ＲＳＩＤを持つＲＳについてそれぞれ計算し（ここで、（）ｎは各経路ｎを表す。）、
前記処理部は計算した主経路の評価指標（Ｒｍａｉｎ）ｎが最大のＲＳを主経路として選択する
経路選択装置。
【請求項１１】
主経路として選択されたｍａｉｎ  ＲＳＩＤに対し、副経路として選択可能なＲＳの識別子ｓｕｂ  ＲＳＩＤ、前記ｍａｉｎ  ＲＳＩＤを持つＲＳを主経路として既に選択しているＭＳに関するＭＳが要求する無線リソース量の指標の合計ΣｒＭＳｍａｉｎ、前記ｍａｉｎ  ＲＳＩＤを持つＲＳを主経路として既に選択していて且つ前記ｓｕｂ  ＲＳＩＤを持つＲＳを副経路として既に選択しているＭＳに関するＭＳが要求する無線リソース量の指標の合計ΣｒＭＳｓｕｂ、前記ｓｕｂ  ＲＳＩＤを持つＲＳが許容できる無線リソース量の上限値の指標ｒＲＳｍａｘ、前記ｓｕｂ  ＲＳＩＤを持つＲＳの残存無線リソース量に基づく副経路としての評価指標Ｒｒｓｕｂ、経路設定の要求を出してきたＭＳが要求する無線リソース量の指標ｒＭＳｎｅｗを対応して記憶した第３メモリを備え、
前記処理部は、主経路として選択されたＲＳの情報を前記第１メモリ又は前記第２メモリから引き出し、引き出した該ＲＳの情報と第１メッセージ内のｒＭＳｎｅｗに基づいて前記第３メモリを作成し、
前記処理部は、前記第３メモリに記憶された情報に基づき、副経路選択の際に、経路ｎに対する、（ｒＲＳｍａｘ）ｎと、  （ΣｒＭＳｍａｉｎ）ｎ及び  （ΣｒＭＳｓｕｂ）ｎ及びｒＭＳｎｅｗの和との比により、第２残存リソース量の指標（Ｒｒｓｕｂ）ｎを計算することで、ＲＳの第２残存リソース量に基づく副経路の評価指標（Ｒｓｕｂ）ｎを、第３メモリ内のｓｕｂ  ＲＳＩＤを持つＲＳについてそれぞれ計算し、
前記処理部は、計算した副経路の評価指標（Ｒｓｕｂ）ｎが最大のＲＳを副経路として選択する
ことを特徴とする請求項１０に記載の経路選択装置。
【請求項１２】
前記処理部は、ＲＳから、移動局から送信された切り替え要求内のＭＳＩＤ及びｓｕｂ  ＲＳＩＤを含む第２メッセージを受信し、前記処理部は、該第２メッセージから、該ＭＳが主経路から副経路への切り替えを要求していると判断し、
前記処理部は、ｎｅｗ  ｍａｉｎ  ＲＳＩＤにｓｕｂ  ＲＳＩＤの値を設定しメッセージを、前記第２メッセージに含まれるｓｕｂ  ＲＳＩＤに対応するＲＳへ送信し、該ｓｕｂ  ＲＳＩＤに対応するＲＳとのデータ経路を設定し、
前記処理部は、前記第２メッセージに含まれるＭＳＩＤをもつＭＳに関して、新たに主経路として選択されたＲＳのプロファイル情報を前記第１メモリから引き出し、引き出した情報と、第２メッセージ内のｒＭＳｎｅｗから前記第３メモリを作成し、
前記処理部は、前記第３メモリに記憶された情報に基づき、副経路選択の際に、（ｒＲＳｍａｘ）ｎと、  （ΣｒＭＳｍａｉｎ）ｎ及び  （ΣｒＭＳｓｕｂ）ｎ及びｒＭＳｎｅｗの和との比により、第２残存リソース量の指標（Ｒｒｓｕｂ）ｎを計算することで、ＲＳの第２残存リソース量に基づく副経路の評価指標（Ｒｓｕｂ）ｎを、前記第３メモリ内のｓｕｂ  ＲＳＩＤを持つＲＳについてそれぞれ計算し、
前記処理部は、計算した副経路の評価指標（Ｒｓｕｂ）ｎが最大のＲＳを副経路として選択する
ことを特徴とする請求項１０に記載の経路選択装置。
【請求項１３】
請求項１に記載の経路選択装置と、
請求項１０に記載の経路選択装置と
を備え、
前記処理部は、次式に従い、主経路の総合的な評価指標（Ｒｍａｉｎ）ｎを、選択可能な経路についてそれぞれ計算することを特徴とする経路選択装置。
（Ｒｍａｉｎ）ｎ＝（Ｐｍａｉｎ）ｎ［ｗｍａｉｎａｖｅｒａｇｅ［ｗｍａｉｎＢＳ（ＲｍａｉｎＢＳ）ｎ＋｛（Σｉ（ｗｍａｉｎＲＳ）ｉ（ＲｍａｉｎＲＳ）ｉ｝ｎ］／（Ｎ＋１）＋ｗｍａｉｎｒｅｓｏｕｒｃｅ＿ｍｉｎ（Ｒｒｍａｉｎ＿ｍｉｎ）ｎ］
ここで、
ｎは、経路のインデックス
Ｎは、経路中で経由する中継局の数
（Ｒｍａｉｎ）ｎは、該経路の品質及び該ＲＳおよび該ＢＳの残存リソース量に基づく総合的な主経路の評価
（Ｐｍａｉｎ）ｎは、該経路が主経路として選択される優先度を示すポリシー情報（経路の使用に関する重み付け）
（ＲｍａｉｎＢＳ）ｎは、該経路の品質及び該ＢＳの残存リソース量に基づく総合的なＢＳの主経路としての評価
ＲｍａｉｎＲＳは、該経路の品質及び該ＲＳの残存リソース量に基づく総合的なＲＳの主経路としての評価
（Ｒｒｍａｉｎ＿ｍｉｎ）ｎは、該経路中のＢＳの残存リソース量に基づくＢＳの主経路としての評価および該経路中のＲＳの残存リソース量に基づくＲＳの主経路としての評価の最小値
ｗｍａｉｎＢＳは、（ＲｍａｉｎＢＳ）ｎに対する重み付けのパラメータ
ｗｍａｉｎＲＳは、経路中の各ＲＳに対応するＲｍａｉｎＲＳに対する重み付けのパラメータ
ｗｍａｉｎａｖａｒａｇｅは、経路中のＢＳおよびＲＳの主経路としての評価指標の平均値に対する重み付けのパラメータ
ｗｍａｉｎｒｅｓｏｕｒｃｅ＿ｍｉｎは、経路中のＢＳおよびＲＳに対応する（Ｒｒｍａｉｎ＿ｍｉｎ）ｎに対する重み付けのパラメータを示す。
【請求項１４】
請求項１に記載の経路選択装置と、
請求項１０に記載の経路選択装置と
を備え、
前記処理部は、次式に従い、副経路の総合的な評価指標（Ｒｓｕｂ）ｎを、選択可能な経路についてそれぞれ計算することを特徴とする経路選択装置。
（Ｒｓｕｂ）ｎ＝（Ｐｓｕｂ）ｎ［ｗｓｕｂａｖｅｒａｇｅ［ｗｓｕｂＢＳ（ＲｓｕｂＢＳ）ｎ＋｛（Σｉ（ｗｓｕｂＲＳ）ｉ（ＲｓｕｂＲＳ）ｉ｝ｎ］／（Ｎ＋１）＋ｗｓｕｂｒｅｓｏｕｒｃｅ＿ｍｉｎ（Ｒｒｓｕｂ＿ｍｉｎ）ｎ］
ここで、
ｎは、経路のインデックス
Ｎは、経路中で経由する中継局の数
（Ｒｓｕｂ）ｎは、該経路の品質及び該ＲＳおよび該ＢＳの残存リソース量に基づく総合的な副経路の評価
（Ｐｓｕｂ）ｎは、該経路が副経路として選択される優先度を示すポリシー情報（経路の使用に関する重み付け）
ＲｓｕｂＲＳは、該経路の品質及び該ＲＳの残存リソース量に基づく総合的なＲＳの副経路としての評価
（ＲｓｕｂＢＳ）ｎは、該経路の品質及び該ＢＳの残存リソース量に基づく総合的なＢＳの副経路としての評価
（Ｒｒｓｕｂ＿ｍｉｎ）ｎは、該経路中のＢＳの残存リソース量に基づくＢＳの副経路としての評価および該経路中のＲＳの残存リソース量に基づくＲＳの副経路としての評価の最小値
ｗｍａｉｎＲＳは、経路中の各ＲＳに対応するＲｍａｉｎＲＳに対する重み付けのパラメータ
ｗｍａｉｎＢＳは、（ＲｍａｉｎＢＳ）ｎに対する重み付けのパラメータ
ｗｓｕｂａｖａｒａｇｅは、経路中のＢＳおよびＲＳの副経路としての評価指標の平均値に対する重み付けのパラメータ
ｗｓｕｂｒｅｓｏｕｒｃｅ＿ｍｉｎは、経路中のＢＳおよびＲＳに対応する（Ｒｒｓｕｂ＿ｍｉｎ）ｎに対する重み付けのパラメータ
【請求項１５】
主経路として選択可能な中継局ＲＳについて、ＲＳの識別子ｍａｉｎ  ＲＳＩＤに対して、前記ｍａｉｎ  ＲＳＩＤを持つＲＳを主経路として既に選択している移動局ＭＳの識別子ＭＳＩＤ、前記ＭＳＩＤを持つＭＳが副経路として選択しているＲＳの識別子ｓｕｂ  ＲＳＩＤ、前記ＭＳＩＤを持つＭＳが要求する無線リソース量の指標ｒＭＳ、前記ｍａｉｎ  ＲＳＩＤを持つＲＳを主経路として既に選択しているＭＳに関するＭＳが要求する無線リソース量の指標の合計ΣｒＭＳｍａｉｎ、前記ｍａｉｎ  ＲＳＩＤを持つＲＳが許容できる無線リソース量の上限値の指標ｒＲＳｍａｘ、前記ｍａｉｎ  ＲＳＩＤを持つＲＳの残存無線リソース量に基づく主経路としての評価指標Ｒｒｍａｉｎを含む前記プロファイル情報と、経路設定の要求を出してきたＭＳが要求する無線リソース量の指標ｒＭＳｎｅｗを対応して記憶する第２メモリと、
経路の評価指標を計算し、該評価指標に基づき経路を選択するための処理部と、
を備え、
ＭＳの前記処理部は、移動局のＭＳＩＤ及びＭＳが要求する無線リソース量の指標ｒＭＳｎｅｗ及び自身が通信可能なＲＳのＲＳＩＤの識別子ａｖａｉｌａｂｌｅ  ＲＳＩＤｓを含む経路設定の要求を送信し、
前記処理部は、ａｖａｉｌａｂｌｅ  ＲＳＩＤｓに含まれる経路として選択可能な複数のＲＳＩＤに対応するＲＳのプロファイル情報を、前記経路設定の要求に対して、ゲートウェイ又はＢＳ又はＲＳ又は他の装置からの応答を受信し、該ＲＳのプロファイル情報、及び、ｒＭＳｎｅｗに基づいて前記第２メモリを作成し、
前記処理部は、前記第２メモリに記憶された情報に従い、前記主経路選択の際に、経路ｎに対する、（ｒＲＳｍａｘ）ｎと、（ΣｒＭＳｍａｉｎ）ｎ及びｒＭＳｎｅｗの和との比により、第１残存リソース量の指標（Ｒｒｍａｉｎ）ｎを計算することで、ＲＳの第１残存リソース量に基づく主経路の評価指標（Ｒｍａｉｎ）ｎを、第２メモリに記憶されたｍａｉｎ  ＲＳＩＤを持つＲＳについてそれぞれ計算し（ここで、（  ）ｎは各経路ｎを表す。）、
前記処理部は計算した主経路の評価指標（Ｒｍａｉｎ）ｎが最大のＲＳを主経路として選択する
経路選択装置。
【請求項１６】
移動局と、前記移動局と基地局との間の無線通信を中継する中継局及び／又は基地局と、ゲートウェイと、を備えた移動体無線通信システムであって、移動局とゲートウェイとの間の通信に用いる主経路および副経路を、経由する前記中継局又は前記基地局の残存リソースに基づいて選択する経路選択装置を有することを特徴とする移動体無線通信システムにおいて、
前記ゲートウェイ又は基地局又は中継局又はその他の装置のうちいずれか他の装置が、請求項１または１０に記載の前記経路選択装置を具備することを特徴とする、移動体無線通信システム。
【請求項１７】
移動局と、前記移動局と基地局との間の無線通信を中継する中継局及び／又は基地局と、ゲートウェイと、を備えた移動体無線通信システムであって、移動局とゲートウェイとの間の通信に用いる主経路および副経路を、経由する前記中継局又は前記基地局の残存リソースに基づいて選択する経路選択装置を有することを特徴とする移動体無線通信システムにおいて、
前記移動局が、請求項１５に記載の前記経路選択装置を具備し、
前記移動局の前記経路選択装置は、ＲＳのプロファイル情報をゲートウェイ又はＢＳ又はＲＳ又は他の装置から受信し、前記第２メモリに記憶することを特徴とする、移動体無線通信システム。
【請求項１８】
移動局およびゲートウェイと通信を行う基地局又は、移動局と基地局との無線通信を中継する中継局が、自身の許容できる無線リソース量の指標および自身が既に使用されている無線リソース量の指標を、移動局とゲートウェイとの間の通信に用いる主経路および副経路を選択する前記経路選択装置へ通知する手段を具備することを特徴とする請求項１６に記載の移動体無線通信システム。
【請求項１９】
基地局又は中継局と無線通信を行う移動局が、自身の要求する無線リソース量の指標を、自身とゲートウェイとの間の通信に用いる主経路および副経路を選択する前記経路選択装置へ通知する手段を具備することを特徴とする請求項１７に記載の移動体無線通信システム。
【発明の詳細な説明】
【技術分野】
【０００１】
本発明は、経路選択装置及び移動体無線通信システムに係り、特に、主経路及び副経路を無線通信装置の残存リソースに基づいて選択する経路選択装置及び移動体無線通信システムに関する。本発明は、例えば、移動局、１つ以上の中継局、１つ以上の基地局、ゲートウェイ、経路選択機能を有する外部装置、およびポリシー制御装置を備えた移動体無線通信システムに関するものである。なお、中継局、経路選択機能を有する外部装置、およびポリシー制御装置は省略されてもよい。
【背景技術】
【０００２】
移動体無線通信のさらなる高速化を実現する方式として、近年、第４世代移動通信システムの研究、標準化活動が進められている。第４世代セルラ通信システムの一つであるＩＭＴ−Ａｄｖａｎｃｅｄでは、高速移動環境で１００Ｍｂｐｓ、低速移動環境または固定環境で１Ｇｂｐｓの最大伝送速度が設定されている。ＩＭＴ−Ａｄｖａｎｃｅｄで用いられる周波数帯には、上り下りで１００ＭＨｚの帯域幅が利用可能な３．５ＧＨｚ帯が含まれる。この３．５ＧＨｚ帯では、従来の無線通信システムで主に使用される８００ＭＨｚ帯や２ＧＨｚ帯に比べて周波数が高いため、電波の伝送距離が短くなることが懸念される。これにより、従来の基地局数では十分な受信強度が得られないエリアが拡大し、ＩＭＴ−Ａｄｖａｎｃｅｄで設定された伝送速度を達成できないという課題が発生する。この課題の解決手段として、基地局数の増加が挙げられる。従来の基地局数では十分な受信強度が得られなかったエリアに対して新たな基地局を設けることで、無線通信の提供が可能となる。また、基地局と移動局との間の通信を中継する中継局などの無線通信装置を経由することで、受信強度を高めることも有効な対策の一つである。
このようなシステムでは、単位面積あたりの基地局および中継局などの無線通信装置の数が増加し、移動局が接続可能な無線通信装置が複数存在するケースが従来に比べて発生しやすい。
移動局が接続可能な無線通信装置が複数存在する場合、複数の無線通信装置から接続先を選択する必要がある。接続する無線通信装置を選択する際の基準としては、特許文献１のように基地局−移動局間の無線品質に基づく方法などがある。また、無線通信システムで使用するプロトコルスタックの例として、非特許文献１が規格化されている。
【先行技術文献】
【特許文献】
【０００３】
【特許文献１】特開２００６−３５２８９４
【非特許文献】
【０００４】
【非特許文献１】３ＧＰＰ  ＴＳ２３．４０１  Ｖ８．４．０  （２００８−１２）  Ｔｅｃｈｎｉｃａｌ  Ｓｐｅｃｉｆｉｃａｔｉｏｎ
【発明の概要】
【発明が解決しようとする課題】
【０００５】
基地局−移動局間の無線品質による従来の無線通信装置選択の方法では、無線品質の良い無線通信装置にアクセスが集中し、無線リソース不足や輻輳が発生するおそれがある。
また、移動局の移動や無線状況の悪化などによって、無線通信装置を切り替える必要が生じた場合、切り替え時に新たな接続先となる無線通信装置の選択を行っていると、切り替え時のサービス断時間が長くなってしまう。
本発明は、以上の点に鑑み、移動体無線通信システムにおいて、ある無線通信装置が使用不可能になった場合、該無線通信装置に接続していた移動局が、新たな接続先として残存リソースが多い無線通信装置を選択することを可能とし、無線リソースの不足や輻輳を避けることを目的とする。
また、本発明は、主経路を切断した場合の新たな接続先である副経路を事前に決定しておくことで、経路を切り替える際に、新たな接続先となる無線通信装置を選択する処理を省略することを可能とし、サービス断の時間を短縮することを目的とする。
【課題を解決するための手段】
【０００６】
本発明は、移動局とゲートウェイとの間の通信に用いる主経路および副経路を、経由する基地局の残存リソースに基づいて選択する経路選択機能を有することを特徴とする移動体無線通信システムに関する。また、本発明は、移動局とゲートウェイとの間の通信に用いる主経路および副経路を、経由する中継局の残存リソースに基づいて選択する経路選択機能を有することを特徴とする移動体無線通信システムに関する。
本発明の第１の解決手段によると、
基地局ＢＳの識別子ｍａｉｎ  ＢＳＩＤに対して、前記ｍａｉｎ  ＢＳＩＤを持つＢＳを主経路として既に選択している移動局ＭＳの識別子ＭＳＩＤ、前記ＭＳＩＤを持つＭＳが副経路として選択しているＢＳの識別子ｓｕｂ  ＢＳＩＤ、前記ＭＳＩＤを持つＭＳが要求する無線リソース量の指標ｒＭＳ、前記ｍａｉｎ  ＢＳＩＤを持つＢＳを主経路として既に選択しているＭＳに関するＭＳが要求する無線リソース量の指標の合計ΣｒＭＳｍａｉｎ、前記ｍａｉｎ  ＢＳＩＤを持つＢＳが許容できる無線リソース量の上限値の指標ｒＢＳｍａｘ、前記ｍａｉｎ  ＢＳＩＤを持つＢＳの残存無線リソース量に基づく主経路としての評価指標Ｒｒｍａｉｎを含むプロファイル情報を記憶する第１メモリと、
主経路として選択可能なＢＳについての前記プロファイル情報と、経路設定の要求を出してきたＭＳが要求する無線リソース量の指標ｒＭＳｎｅｗを対応して記憶する第２メモリと、
経路の評価指標を計算し、該評価指標に基づき経路を選択するための処理部と、
を備え、
前記処理部は、ＢＳから、ＭＳから送信された経路設定の要求内の、移動局のＭＳＩＤ及びＭＳが要求する無線リソース量の指標ｒＭＳｎｅｗ及び自身が通信可能なＢＳのＢＳＩＤの識別子ａｖａｉｌａｂｌｅ  ＢＳＩＤｓを含む第１メッセージを受信し、
前記処理部は、前記第１メッセージ内のａｖａｉｌａｂｌｅ  ＢＳＩＤｓに含まれる経路として選択可能な複数のＢＳＩＤに対応するＢＳのプロファイル情報を、前記第１メモリから引き出し、該ＢＳのプロファイル情報、及び、ｒＭＳｎｅｗに基づいて前記第２メモリを作成し、
前記処理部は、前記第２メモリに記憶された情報に従い、前記主経路選択の際に、経路ｎに対する（ｒＢＳｍａｘ）ｎと、（ΣｒＭＳｍａｉｎ）ｎ及びｒＭＳｎｅｗの和との比により、第１残存リソース量の指標（Ｒｒｍａｉｎ）ｎを計算することで、ＢＳの第１残存リソース量に基づく主経路の評価指標（Ｒｍａｉｎ）ｎを、第２メモリに記憶されたｍａｉｎ  ＢＳＩＤを持つＢＳについてそれぞれ計算し（ここで、（  ）ｎは各経路ｎを表す。）、
前記処理部は、計算した主経路の評価指標（Ｒｍａｉｎ）ｎが最大のＢＳを主経路として選択する
経路選択装置が提供される。
本発明の第２の解決手段によると、
中継局ＲＳの識別子ｍａｉｎ  ＲＳＩＤに対して、前記ｍａｉｎ  ＲＳＩＤを持つＲＳを主経路として既に選択している移動局ＭＳの識別子ＭＳＩＤ、前記ＭＳＩＤを持つＭＳが副経路として選択しているＲＳの識別子ｓｕｂ  ＲＳＩＤ、前記ＭＳＩＤを持つＭＳが要求する無線リソース量の指標ｒＭＳ、前記ｍａｉｎ  ＲＳＩＤを持つＲＳを主経路として既に選択しているＭＳに関するＭＳが要求する無線リソース量の指標の合計ΣｒＭＳｍａｉｎ、前記ｍａｉｎ  ＲＳＩＤを持つＲＳが許容できる無線リソース量の上限値の指標ｒＲＳｍａｘ、前記ｍａｉｎ  ＲＳＩＤを持つＲＳの残存無線リソース量に基づく主経路としての評価指標Ｒｒｍａｉｎを含むプロファイル情報を記憶する第１メモリと、
主経路として選択可能なＲＳについての前記プロファイル情報と、経路設定の要求を出してきたＭＳが要求する無線リソース量の指標ｒＭＳｎｅｗを対応して記憶する第２メモリと、
経路の評価指標を計算し、該評価指標に基づき経路を選択するための処理部と、
を備え、
前記処理部は、ＲＳから、ＭＳから送信された経路設定の要求内の、移動局のＭＳＩＤ及びＭＳが要求する無線リソース量の指標ｒＭＳｎｅｗ及び自身が通信可能なＲＳのＲＳＩＤの識別子ａｖａｉｌａｂｌｅ  ＲＳＩＤｓを含む第１メッセージを受信し、
前記処理部は、前記第１メッセージ内のａｖａｉｌａｂｌｅ  ＲＳＩＤｓに含まれる経路として選択可能な複数のＲＳＩＤに対応するＲＳのプロファイル情報を、前記第１メモリから引き出し、該ＲＳのプロファイル情報、及び、ｒＭＳｎｅｗに基づいて前記第２メモリを作成し、
前記処理部は、前記第２メモリに記憶された情報に従い、前記主経路選択の際に、経路ｎに対する（ｒＲＳｍａｘ）ｎと、（ΣｒＭＳｍａｉｎ）ｎ及びｒＭＳｎｅｗの和との比により、第１残存リソース量の指標（Ｒｒｍａｉｎ）ｎを計算することで、ＲＳの第１残存リソース量に基づく主経路の評価指標（Ｒｍａｉｎ）ｎを、第２メモリに記憶されたｍａｉｎ  ＲＳＩＤを持つＲＳについてそれぞれ計算し（ここで、（）ｎは各経路ｎを表す。）、
前記処理部は計算した主経路の評価指標（Ｒｍａｉｎ）ｎが最大のＲＳを主経路として選択する
経路選択装置が提供される。
本発明の第３の解決手段によると、
主経路として選択可能な中継局ＲＳについて、ＲＳの識別子ｍａｉｎ  ＲＳＩＤに対して、前記ｍａｉｎ  ＲＳＩＤを持つＲＳを主経路として既に選択している移動局ＭＳの識別子ＭＳＩＤ、前記ＭＳＩＤを持つＭＳが副経路として選択しているＲＳの識別子ｓｕｂ  ＲＳＩＤ、前記ＭＳＩＤを持つＭＳが要求する無線リソース量の指標ｒＭＳ、前記ｍａｉｎ  ＲＳＩＤを持つＲＳを主経路として既に選択しているＭＳに関するＭＳが要求する無線リソース量の指標の合計ΣｒＭＳｍａｉｎ、前記ｍａｉｎ  ＲＳＩＤを持つＲＳが許容できる無線リソース量の上限値の指標ｒＲＳｍａｘ、前記ｍａｉｎ  ＲＳＩＤを持つＲＳの残存無線リソース量に基づく主経路としての評価指標Ｒｒｍａｉｎを含む前記プロファイル情報と、経路設定の要求を出してきたＭＳが要求する無線リソース量の指標ｒＭＳｎｅｗを対応して記憶する第２メモリと、
経路の評価指標を計算し、該評価指標に基づき経路を選択するための処理部と、
を備え、
ＭＳの前記処理部は、移動局のＭＳＩＤ及びＭＳが要求する無線リソース量の指標ｒＭＳｎｅｗ及び自身が通信可能なＲＳのＲＳＩＤの識別子ａｖａｉｌａｂｌｅ  ＲＳＩＤｓを含む経路設定の要求を送信し、
前記処理部は、ａｖａｉｌａｂｌｅ  ＲＳＩＤｓに含まれる経路として選択可能な複数のＲＳＩＤに対応するＲＳのプロファイル情報を、前記経路設定の要求に対して、ゲートウェイ又はＢＳ又はＲＳ又は他の装置からの応答を受信し、該ＲＳのプロファイル情報、及び、ｒＭＳｎｅｗに基づいて前記第２メモリを作成し、
前記処理部は、前記第２メモリに記憶された情報に従い、前記主経路選択の際に、経路ｎに対する、（ｒＲＳｍａｘ）ｎと、（ΣｒＭＳｍａｉｎ）ｎ及びｒＭＳｎｅｗの和との比により、第１残存リソース量の指標（Ｒｒｍａｉｎ）ｎを計算することで、ＲＳの第１残存リソース量に基づく主経路の評価指標（Ｒｍａｉｎ）ｎを、第２メモリに記憶されたｍａｉｎ  ＲＳＩＤを持つＲＳについてそれぞれ計算し（ここで、（  ）ｎは各経路ｎを表す。）、
前記処理部は計算した主経路の評価指標（Ｒｍａｉｎ）ｎが最大のＲＳを主経路として選択する
経路選択装置が提供される。
本発明の第４の解決手段によると、
上述のような経路選択装置を有するゲートウェイ又は基地局又は中継局又はその他の装置又は移動局を備えた移動体無線通信システムが提供される。
【発明の効果】
【０００７】
本発明により、移動体無線通信システムにおいて、ある無線通信装置が使用不可能になった場合、該無線通信装置に接続していた移動局が、新たな接続先として残存リソースが多い無線通信装置を選択することが可能となり、無線リソースの不足や輻輳を避けることができる。
また、本発明により、主経路を切断した場合の新たな接続先である副経路を事前に決定しておくことで、経路を切り替える際に、新たな接続先となる無線通信装置を選択する処理を省略することが可能となり、サービス断の時間を短縮することができる。
【図面の簡単な説明】
【０００８】
【図１ａ】移動体無線通信システムの一例。
【図１ｂ】移動体無線通信システムの一例。
【図１ｃ】移動体無線通信システムの一例。
【図２ａ】リレー方式による移動体無線通信システムの一例。
【図２ｂ】リレー方式による移動体無線通信システムの一例。
【図２ｃ】リレー方式による移動体無線通信システムの一例。
【図２ｄ】リレー方式による移動体無線通信システムの一例。
【図２ｅ】リレー方式による移動体無線通信システムの一例。
【図２ｆ】リレー方式による移動体無線通信システムの一例。
【図３】主経路および副経路設定のコールフローの一例。
【図４ａ】ゲートウェイのブロック図の一例。
【図４ｂ】ポリシー管理機能のブロック図の一例。
【図４ｃ】基地局のブロック図の一例。
【図４ｄ】移動局のブロック図の一例。
【図４ｅ】中継局のブロック図の一例。
【図４ｆ】外部装置のブロック図の一例。
【図５ａ】ゲートウェイのメモリ部が管理する情報の一例。
【図５ｂ】ゲートウェイのメモリ部が管理する情報の一例。
【図６】ゲートウェイのメモリ部が管理する情報の一例。
【図７】ゲートウェイのメモリ部が管理する情報の一例。
【図８】ゲートウェイまたはポリシー管理機能のメモリ部が管理する情報の一例。
【図９】ゲートウェイまたはポリシー管理機能のメモリ部が管理する情報の一例。
【図１０】ゲートウェイまたはポリシー管理機能のメモリ部が管理する情報の一例。
【図１１】主経路および副経路の設定で用いるメッセージフォーマットの一例。
【図１２】主経路および副経路の設定で用いるメッセージフォーマットの一例。
【図１３】主経路および副経路の設定で用いるメッセージフォーマットの一例。
【図１４】主経路および副経路の設定で用いるメッセージフォーマットの一例。
【図１５】主経路および副経路の設定で用いるメッセージフォーマットの一例。
【図１６】主経路および副経路の設定で用いるメッセージフォーマットの一例。
【図１７】主経路および副経路の設定で用いるメッセージフォーマットの一例。
【図１８】主経路および副経路の設定で用いるメッセージフォーマットの一例。
【図１９ａ】主経路および副経路の設定におけるゲートウェイによる処理の一例。
【図１９ｂ】主経路および副経路の設定におけるポリシー管理機能による処理の一例。
【図１９ｃ】主経路および副経路の設定における基地局による処理の一例。
【図１９ｄ】主経路および副経路の設定における移動局による処理の一例。
【図２０】主経路から副経路への切り替えのコールフローの一例。
【図２１ａ】リレー方式の場合における主経路および副経路の設定のコールフローの一例。
【図２１ｂ】リレー方式の場合における主経路および副経路の設定のコールフローの一例。
【図２１ｃ】リレー方式の場合における主経路および副経路の設定のコールフローの一例。
【図２２ａ】リレー方式の場合におけるゲートウェイのメモリ部が管理する情報の一例。
【図２２ｂ】リレー方式の場合におけるゲートウェイのメモリ部が管理する情報の一例。
【図２３】リレー方式の場合におけるゲートウェイのメモリ部が管理する情報の一例。
【図２４】リレー方式の場合におけるゲートウェイのメモリ部が管理する情報の一例。
【図２５】リレー方式の場合におけるゲートウェイまたはポリシー管理機能のメモリ部が管理する情報の一例。
【図２６】リレー方式の場合におけるゲートウェイまたはポリシー管理機能のメモリ部が管理する情報の一例。
【図２７】リレー方式の場合におけるゲートウェイまたはポリシー管理機能のメモリ部が管理する情報の一例。
【図２８ａ】リレー方式の場合における主経路から副経路への切り替えのコールフローの一例。
【図２８ｂ】リレー方式の場合における主経路から副経路への切り替えのコールフローの一例。
【図２８ｃ】リレー方式の場合における主経路から副経路への切り替えのコールフローの一例。
【図２９ａ】主経路から副経路への切り替えにおけるゲートウェイによる処理の一例。
【図２９ｂ】主経路から副経路への切り替えにおけるポリシー管理機能による処理の一例。
【図２９ｃ】主経路から副経路への切り替えにおける基地局による処理の一例。
【図２９ｄ】主経路から副経路への切り替えにおける移動局による処理の一例。
【図３０】主経路から副経路への切り替えで用いるメッセージフォーマットの一例。
【図３１】主経路から副経路への切り替えで用いるメッセージフォーマットの一例。
【図３２】主経路から副経路への切り替えで用いるメッセージフォーマットの一例。
【図３３】主経路から副経路への切り替えで用いるメッセージフォーマットの一例。
【図３４】主経路から副経路への切り替えで用いるメッセージフォーマットの一例。
【図３５】主経路から副経路への切り替えで用いるメッセージフォーマットの一例。
【図３６】主経路から副経路への切り替えで用いるメッセージフォーマットの一例。
【図３７】リレー方式の場合における主経路および副経路の設定で用いるメッセージフォーマットの一例。
【図３８】リレー方式の場合における主経路および副経路の設定で用いるメッセージフォーマットの一例。
【図３９】リレー方式の場合における主経路および副経路の設定で用いるメッセージフォーマットの一例。
【図４０】リレー方式の場合における主経路および副経路の設定で用いるメッセージフォーマットの一例。
【図４１】リレー方式の場合における主経路および副経路の設定で用いるメッセージフォーマットの一例。
【図４２】リレー方式の場合における主経路および副経路の設定で用いるメッセージフォーマットの一例。
【図４３】リレー方式の場合における主経路および副経路の設定で用いるメッセージフォーマットの一例。
【図４４】リレー方式の場合における主経路および副経路の設定で用いるメッセージフォーマットの一例。
【図４５】リレー方式の場合における主経路および副経路の設定で用いるメッセージフォーマットの一例。
【図４６】リレー方式の場合における主経路および副経路の設定で用いるメッセージフォーマットの一例。
【図４７】リレー方式の場合における主経路および副経路の設定で用いるメッセージフォーマットの一例。
【図４８】リレー方式の場合における主経路から副経路への切り替えで用いるメッセージフォーマットの一例。
【図４９】リレー方式の場合における主経路から副経路への切り替えで用いるメッセージフォーマットの一例。
【図５０】リレー方式の場合における主経路から副経路への切り替えで用いるメッセージフォーマットの一例。
【図５１】リレー方式の場合における主経路から副経路への切り替えで用いるメッセージフォーマットの一例。
【図５２】リレー方式の場合における主経路から副経路への切り替えで用いるメッセージフォーマットの一例。
【図５３】リレー方式の場合における主経路から副経路への切り替えで用いるメッセージフォーマットの一例。
【図５４】リレー方式の場合における主経路から副経路への切り替えで用いるメッセージフォーマットの一例。
【図５５】リレー方式の場合における主経路から副経路への切り替えで用いるメッセージフォーマットの一例。
【図５６】リレー方式の場合における主経路から副経路への切り替えで用いるメッセージフォーマットの一例。
【図５７】リレー方式の場合における主経路から副経路への切り替えで用いるメッセージフォーマットの一例。
【図５８】リレー方式の場合における主経路から副経路への切り替えで用いるメッセージフォーマットの一例。
【図５９ａ】リレー方式の場合における主経路および副経路の設定時のゲートウェイによる処理の一例。
【図５９ｂ】リレー方式の場合における主経路および副経路の設定時のポリシー管理機能による処理の一例。
【図５９ｃ】リレー方式の場合における主経路および副経路の設定時の基地局による処理の一例。
【図５９ｄ】リレー方式の場合における主経路および副経路の設定時の移動局による処理の一例。
【図５９ｅ】リレー方式の場合における主経路および副経路の設定時の中継局による処理の一例。
【図６０ａ】リレー方式の場合における主経路から副経路への切り替え時のゲートウェイによる処理の一例。
【図６０ｂ】リレー方式の場合における主経路から副経路への切り替え時のポリシー管理機能による処理の一例。
【図６０ｃ】リレー方式の場合における主経路から副経路への切り替え時の基地局による処理の一例。
【図６０ｄ】リレー方式の場合における主経路から副経路への切り替え時の移動局による処理の一例。
【図６０ｅ】リレー方式の場合における主経路から副経路への切り替え時の中継局による処理の一例。
【発明を実施するための形態】
【０００９】
１．概要
本実施の形態は、移動体無線通信システムにおいて、ゲートウェイ（以下、ＡＧＷ：Ａｃｃｅｓｓ  Ｇａｔｅｗａｙ）が、移動局（以下、ＭＳ：Ｍｏｂｉｌｅ  Ｓｔａｔｉｏｎ）が接続可能な複数の基地局（以下、ＢＳ：Ｂａｓｅ  Ｓｔａｔｉｏｎ）の中から、ＢＳの残存リソースに基づいて、通信に用いる主経路のＢＳの選択とともに主経路が切断した場合の接続先である副経路のＢＳを選択できるシステムを提供する。
このケースについて、以下で実施の形態１を示す。
また、本実施の形態はリレー方式を用いた移動体無線通信システムにおける中継局（以下、ＲＳ：Ｒｅｌａｙ  Ｓｔａｔｉｏｎ）選択にも適用可能である。その場合、ＡＧＷが、ＭＳが接続可能な複数のＲＳの中から、ＲＳの残存リソースに基づいて、通信に用いる主経路のＲＳの選択とともに主経路が切断した場合の接続先である副経路のＲＳを選択できるシステムを提供する。
このケースについて、以下で実施の形態２を示す。
また、本実施の形態はリレー方式を用いた移動体無線通信システムにおける中継局および基地局の選択にも適用可能である。その場合、ＡＧＷが、ＭＳが接続可能な複数のＲＳおよびＢＳの中から、ＲＳおよびＢＳの残存リソースに基づいて、通信に用いる主経路のＲＳおよびＢＳの選択とともに主経路が切断した場合の接続先である副経路のＲＳおよびＢＳを選択できるシステムを提供する。
このケースについて、以下で実施の形態３を示す。
また、それぞれの実施の形態において、経路選択をゲートウェイではなく、経路選択機能を有する外部装置（以下、ＲＳＦ：Ｒｏｕｔｅ  Ｓｅｌｅｃｔｉｏｎ  Ｆｕｎｃｔｉｏｎ）、またはＢＳ、またはＭＳで行うことも可能である。また、それぞれの実施の形態は、複数経路を同時使用するケースにも適用可能であり、複数の選択可能な経路の中から、無線通信装置の残存リソースに基づいて要求された本数の経路を選択することができる。さらに、主経路及び副経路選択は、基地局、中継局の残存リソース以外に経路の品質などに基づいて行っても良い。経路選択基準の重み付けなどの情報や経路の品質情報などを含むポリシー情報は、ＡＧＷ内に事前に設定されているか、ポリシー制御装置（以下、ＰＣＲＦ：Ｐｏｌｉｃｙ  Ｃｏｎｔｒｏｌ  ａｎｄ  Ｒｕｌｅｓ  Ｆｕｎｃｔｉｏｎ）から取得するといった方法がある。
【００１０】
２．実施の形態１（基地局）
［実施の形態１：移動局と基地局との間に中継局を介さない移動体無線通信システムにおける基地局の残存リソースに基づく主経路および副経路選択の一例］
２−１．システム
［本実施の形態の移動体無線通信システムのアーキテクチャの一例］
図１ａに本実施の形態が想定している移動体無線通信システムのアーキテクチャの一例を示す。
ＡＧＷ２は、ＩＰ（ＩＰ：Ｉｎｔｅｒｎｅｔ  Ｐｒｏｔｏｃｏｌ）ネットワーク１と接続し、ＢＳ４の残存リソースに基づく主経路及び副経路の選択機能を有し、ＢＳ４と制御信号およびデータの送受信を行う。経路選択をゲートウェイ以外のノードで行う場合、ＡＧＷ２の主経路及び副経路の選択機能は省略される。
ＰＣＲＦ３は、選択基準の重み付けなどの情報をポリシー情報として管理し、ＡＧＷ２と制御信号およびデータの送受信を行う。ポリシー情報をＡＧＷ２内に事前設定する場合は、ＰＣＲＦ３は省略可能である。
ＢＳ４は、ＡＧＷ２及び自身の無線通信範囲５内にいるＭＳ６と、制御信号およびデータの送受信を行う。図１ａの場合、例えばＢＳ４−１は、ＡＧＷ２及び無線通信範囲５−１内にいるＭＳ６−１及びＭＳ６−２及びＭＳ６−３及びＭＳ６−４及びＭＳ６−５及びＭＳ６−７及びＭＳ６−８及びＭＳ６−１２と、それぞれ制御信号およびデータの送受信が可能である。経路選択を基地局で行う場合、ＢＳ４は自身の残存リソースに基づく主経路及び副経路の選択機能を有する。
ＭＳ６は、無線通信可能なＢＳ４と、制御信号およびデータの送受信を行う。図１ａの場合、例えばＭＳ６−９はＢＳ４−２及びＢＳ４−３と、それぞれ制御信号およびデータの送受信が可能である。経路選択を移動局で行う場合、ＭＳ６はＢＳ４の残存リソースに基づく主経路及び副経路の選択機能を有する。
ＲＳＦ９は、ＢＳ４の残存リソースに基づく主経路及び副経路の選択機能を有する外部装置で、ＡＧＷ２と制御信号およびデータの送受信を行う。主経路及び副経路の選択を外部装置以外のノードで行う場合、ＲＳＦ９は省略可能である。
［本実施の形態の移動局が経路として選択可能な基地局の識別子を取得する方法の一例］
ＢＳが自身の基地局識別子（以下、ＢＳＩＤ）を含む信号を報知情報として送信している場合、ＭＳは、ＢＳからの報知情報を受信し、周囲の通信可能なＢＳのＢＳＩＤをメモリ部に保存する。
一方、ＢＳが自身のＢＳＩＤを含む信号を報知情報として送信しない場合、ＭＳから周囲の通信可能なＢＳを問い合わせる方法がある。
ＭＳが周囲の通信可能なＢＳのＢＳＩＤを問い合わせる方法として、以下のような方法が挙げられる。
ＭＳは、周囲の通信可能なＢＳのＢＳＩＤを知るため、周囲の全てのＢＳに対してブロードキャストで自身の移動局識別子（以下、ＭＳＩＤ）を含めたメッセージを送信する。
ＭＳからのメッセージを受信したＢＳは、自身のＢＳＩＤを加えたメッセージを該ＭＳへ返信する。
ＢＳからの返信メッセージを受信したＭＳは、メッセージに含まれるＢＳＩＤをメモリ部で記憶し、タイマを設定して他のＢＳからのメッセージを待つ。
タイマで設定した時間内に他のＢＳからのメッセージを受信した場合、ＭＳはメッセージ内に含まれるＢＳＩＤをメモリ部に保存し、タイマを再設定する。
タイマで設定した時間内に他のＢＳからのメッセージを受信しなかった場合、ＭＳはそれまでに受信した全てのＢＳＩＤを周囲の通信可能なＢＳのＢＳＩＤとしてメモリ部に保存する。
また、ＭＳが周囲の通信可能なＢＳのＢＳＩＤを問い合わせるための別の方法として、以下のような方法が挙げられる。
ＭＳは、周囲の通信可能なＢＳのＢＳＩＤを知るため、周囲の全てのＢＳに対してブロードキャストで自身のＭＳＩＤを含めたメッセージを送信する。
ＭＳからのメッセージを受信したＢＳは、自身のＢＳＩＤを加えたメッセージをＡＧＷへ送信する。
ＢＳからのメッセージを受信したＡＧＷは、メッセージに含まれるＭＳＩＤ、ＢＳＩＤをメモリ部で記憶し、タイマを設定して他のＢＳからのメッセージを待つ。
タイマで設定した時間内に他のＢＳからのメッセージを受信した場合、ＡＧＷはメッセージ内に含まれるＭＳＩＤを確認して同一ＭＳからの要求であれば、そのＢＳＩＤもメモリ部に保存し、タイマを再設定する。
タイマで設定した時間内に他のＢＳからのメッセージを受信しなかった場合、ＡＧＷはそれまでに受信したＢＳＩＤを全てメッセージに含めて、どれか一つのＢＳＩＤに対応するＢＳへメッセージを送信する。メッセージをどのＢＳへ送信するかは、ＡＧＷ内の該ＢＳ情報に含まれるＢＳ  ｐｒｏｆｉｌｅを参照して通信環境の良好なＢＳを選択しても良いし、ランダムに選んでも良い。
ＡＧＷからのメッセージを受信したＢＳは、メッセージ内のＭＳＩＤに基づき該ＭＳへメッセージ送信する。
ＢＳからのメッセージを受信したＭＳは、メッセージに含まれる全てのＢＳＩＤを周囲の通信可能なＢＳのＢＳＩＤとしてメモリ部に保存する。
［本実施の形態の基地局が持つ基地局のプロファイル情報を経路選択機能を有する装置へ通知する方法の一例］
ＡＧＷが経路選択機能を有するケースについて説明する。
ＡＧＷで主経路および副経路を選択する際に用いるパラメータのうちのいくつかは、ＢＳのプロファイル情報（以下、ＢＳ  ｐｒｏｆｉｌｅ）として事前にＡＧＷに通知しておくことが可能である。
ＢＳ  ｐｒｏｆｉｌｅに含まれる情報としては、ＢＳが許容できる無線リソース量の上限値の指標であるｒＢＳｍａｘが挙げられる。ｒＢＳｍａｘは、ＡＧＷがＢＳの残存リソースに基づく主経路および副経路の選択を行う際に用いられる。
また、ＡＧＷが主経路および副経路の選択を行う際に、ＢＳの残存リソース以外に品質も考慮する場合、品質に基づく経路選択に用いるパラメータ（以下、ＱｏＳ  ｐａｒａｍｅｔｅｒｓ）として、ＭＳ−ＢＳ間の有効データ転送率（以下、Ｅ）、ＢＳの通信可能時間の残量（以下、Ｔ）、ＢＳの移動度（以下、Ｍ）、ＢＳの使用優先度（以下、Ｐ）などをＢＳ  ｐｒｏｆｉｌｅに含めることができる。
Ｅは、ＭＳ−ＢＳ間の有効データ転送率であり、ＭＳの無線信号受信強度などに依存する。
Ｔは、ＢＳの通信可能時間を示す。ＴはＢＳのバッテリー残量やＢＳの利用契約内容などに依存する。ＴはＢＳに通信可能時間を設定しない場合は省略可能である。
Ｍは、ＢＳの移動度であり、ＢＳが固定かノマディックかポータブルかモバイルかといったＢＳの形態を示す値である。ＢＳの形態が一意に定まる場合、Ｍは省略可能である。
Ｐは、ＢＳの優先度であり、例えば警察や消防が所有するＢＳの優先度を低く設定することで第３者のデータ経路として使用されるのを防ぐことができる。また、例えば、あるＢＳに高い優先度を設定することで、該ＢＳに第三者のデータ経路となることに対するインセンティブを与えることができる。
ＢＳが自身のＢＳ  ｐｒｏｆｉｌｅをＡＧＷに通知する契機としては、ＢＳ内に設定されたタイマが満了したときや、ＢＳ  ｐｒｏｆｉｌｅ情報に変化が生じたとき、ＡＧＷまたはＭＳからＢＳ  ｐｒｏｆｉｌｅを通知するように要求されたときなどが挙げられる。また、ＢＳが移動する場合は、ＢＳがエリアを更新する場合などもＢＳ  ｐｒｏｆｉｌｅをＡＧＷに通知する契機となりうる。
ＢＳがＢＳ  ｐｒｏｆｉｌｅをＡＧＷに通知する方法として、以下のような方法が挙げられる。
ＢＳ  ｐｒｏｆｉｌｅを通知するＢＳは、自身のＢＳＩＤおよびＢＳ  ｐｒｏｆｉｌｅを含むメッセージをＡＧＷへ送信する。ＢＳが前回通知したＢＳ  ｐｒｏｆｉｌｅを記憶している場合、前回通知したＢＳ  ｐｒｏｆｉｌｅとの差分のみを通知することも可能である。
ＢＳからのメッセージを受信したＡＧＷは、ＢＳ  ｐｒｏｆｉｌｅを基に図５ａを作成または更新する。ＡＧＷが主経路および副経路の選択を行う際に、ＢＳの残存リソース以外に品質も考慮する場合、ＢＳ  ｐｒｏｆｉｌｅにＱｏＳ  ｐａｒａｍｅｔｅｒｓが含まれていたときは、図８を作成または更新する。
ＡＧＷは、ＢＳ  ｐｒｏｆｉｌｅを通知してきたＢＳへメッセージを送信する。
ＡＧＷからのメッセージを受け取ったＢＳは、ＢＳ  ｐｒｏｆｉｌｅがＡＧＷに通知されたことを知る。
ゲートウェイ以外の装置が経路選択機能を有する場合も、同様の方法を用いることで、基地局のプロファイル情報を経路選択機能を有する装置へ通知することが可能となる。
【００１１】
２−２．主経路及び副経路設定
［本実施の形態の無線システムの主経路及び副経路設定のコールフローの一例］
主経路及び副経路を設定するノードとして、ゲートウェイ、外部装置、基地局、移動局などの候補が考えられる。
図３に本実施の形態による無線システムの主経路及び副経路設定をゲートウェイで行う場合のコールフローの一例を示す。ここでは、図１ａのＭＳ６−１が主経路及び副経路の初期設定を行う場合を例として扱う。図３中のメッセージのフォーマットについては、図１１〜１８で説明する。
ＭＳは、ステップ１００−１で、自身が通信可能な周囲のＢＳのＢＳＩＤを、前記の方法によって既に知っている。
また、ステップ１００−２で、各ＢＳが持つＢＳ  ｐｒｏｆｉｌｅは、前記の方法によって既にＡＧＷへ通知されている。
ＭＳは、主経路及び副経路の設定を要求するために、自身が通信可能なＢＳの一つに対してメッセージ１０１を送信する。ＭＳがメッセージ１０１を送信するＢＳは、例えば自身が通信可能なＢＳの中で信号の受信強度が最高のＢＳを選択しても良いし、ランダムに決定してもよい。
ＭＳは、メッセージ１０１に自身のＭＳＩＤ及び自身のプロファイル情報（以下、ＭＳ  ｐｒｏｆｉｌｅ）及び自身が通信可能な全てのＢＳのＢＳＩＤ（以下、ａｌｌ  ａｖａｉｌａｂｌｅ  ＢＳＩＤｓ）を含める。ＭＳは、ＭＳ  ｐｒｏｆｉｌｅに、ＭＳの要求するリソース量の指標（ｒＭＳｎｅｗ）を設定する。
また、ＭＳは、ＭＳ  ｐｒｏｆｉｌｅに、ＭＳの優先度などの情報を設定することができる。ＭＳの優先度は、ＡＧＷ主導の経路変更要求の際にどのＭＳの経路を変更するか決定する場合や、ＡＧＷ内またはＰＣＲＦ内に設定されているポリシー情報に含まれる、経路選択の基準を定める重み付けの値（以下、Ｗｅｉｇｈｔ）を決定する場合に用いることができる。
また、ＭＳはメッセージ１０１にＭＳが起動するアプリケーションの識別子（以下、ＡＰＬＩＤ）を含めることもできる。ＡＰＬＩＤは、ＡＧＷ内またはＰＣＲＦ内に設定されているポリシー情報がアプリケーションに依存しない場合は省略可能である。
ＭＳからのメッセージ１０１を受信したＢＳは、ＡＧＷへメッセージ１０２を送信する。ＢＳは、メッセージ１０２にメッセージ１０１で受け取ったＭＳＩＤ及びＭＳ  ｐｒｏｆｉｌｅ及びａｌｌ  ａｖａｉｌａｂｌｅ  ＢＳＩＤｓをコピーする。
また、ＭＳからＡＰＬＩＤを受信した場合は、それもメッセージに含める。
ＢＳからのメッセージ１０２を受信したＡＧＷは、ＰＣＲＦへメッセージ１０３を送信する。メッセージ１０２にＡＰＬＩＤが含まれる場合、ＡＧＷは、メッセージ１０２内のＡＰＬＩＤもメッセージ１０３に含める。
また、ＭＳごとにポリシー情報が異なる場合、ＡＧＷはメッセージ１０２内のＭＳＩＤもメッセージ１０３に含める。
また、ＰやＭなどのＢＳごとに異なるパラメータがポリシー情報に含まれる場合、ＡＧＷはメッセージ１０２内のａｌｌ  ａｖａｉｌａｂｌｅ  ＢＳＩＤｓもメッセージ１０３に含める。ＡＧＷ内に必要なポリシー情報を全て持っている場合は、メッセージ１０３を送信せずに、ステップ１０４−２へ進むことが可能である。
ＡＧＷからのメッセージ１０３を受信したＰＣＲＦは、メッセージ１０３内のａｌｌ  ａｖａｉｌａｂｌｅ  ＢＳＩＤｓに含まれるＢＳＩＤを持つＢＳに対応するポリシー情報をメモリ部から引き出す。ＭＳごとにポリシー情報が異なる場合、ＰＣＲＦはメッセージ１０３内に含まれるＭＳＩＤを基に、対応するポリシー情報をメモリ部から引き出す。
また、ＭＳが起動したアプリケーションごとにポリシー情報が異なる場合、ＰＣＲＦはメッセージ１０３内に含まれるＡＰＬＩＤを基に、対応するポリシー情報をメモリ部から引き出す。
また、ＰやＭなどのＢＳごとに異なるパラメータがポリシー情報に含まれる場合、ＰＣＲＦはメッセージ１０３内に含まれるａｌｌ  ａｖａｉｌａｂｌｅ  ＢＳＩＤｓを基に、対応するポリシー情報をメモリ部から引き出す。
ＡＧＷからのメッセージ１０３を受信したＰＣＲＦはメモリ部から引き出したポリシー情報をメッセージ１０４−１に含めて、メッセージ１０３の送信元であるＡＧＷへ送信する。ＰＣＲＦは、ポリシー情報に含まれるＷｅｉｇｈｔをメッセージ１０４−１に含める。ＷｅｉｇｈｔがＡＰＬＩＤまたはＭＳＩＤによって異なる場合、ＰＣＲＦはメッセージ１０３に含まれるＡＰＬＩＤまたはＭＳＩＤに対応するＷｅｉｇｈｔをメッセージ１０４−１に含める。
ＰＣＲＦからのメッセージ１０４−１を受信したＡＧＷは、メッセージ１０４−１に含まれるポリシー情報及び、メモリ部から引き出したＢＳ  ｐｒｏｆｉｌｅ及びＭＳ  ｐｒｏｆｉｌｅを基に図６を作成する。主経路の選択に品質も考慮に入れる場合は、メッセージ１０４−１に含まれるポリシー情報、及びメモリ部から引き出したＢＳ  ｐｒｏｆｉｌｅ及びＭＳ  ｐｒｏｆｉｌｅを基に図６及び図８及び図９及び図１０を作成する。ＡＧＷ内に必要なポリシー情報を全て持っている場合は、メモリ部からポリシー情報を引き出すことも可能である。
ＡＧＷは、ステップ１０４−２で、図６に基づいて主経路のＢＳを選択する。主経路の選択に品質も考慮に入れる場合、ＡＧＷは、ステップ１０４−２で、図６及び図８及び図９及び図１０に基づいて主経路のＢＳを選択する。主経路選択の具体的な処理は、以降に記載する図１９ａのフローチャートで詳しく説明する。
ＡＧＷは、ステップ１０４−３で、図６に基づいて図７を作成し、副経路のＢＳを選択する。副経路の選択に品質も考慮に入れる場合、図７及び図８及び図９及び図１０に基づいて副経路のＢＳを選択する。副経路選択の具体的な処理は以降に記載する図１９ａのフローチャートで詳しく説明する。
ＡＧＷは、ステップ１０４−２で選択した主経路及びステップ１０４−３で選択した副経路に基づき、ステップ１０４−４で、メモリ部に保存された図５ａを更新し、図５ｂを作成する。ＡＧＷは、作成した図５ｂをメモリ部へ保存する。
ＡＧＷは、ステップ１０４−２で選択した主経路及びステップ１０４−３で選択した副経路に基づき、経路の設定を要求してきたＭＳのＭＳＩＤ及び主経路に選択されたＢＳのＢＳＩＤ（以下、ｍａｉｎ  ＢＳＩＤ）及び副経路に選択されたＢＳのＢＳＩＤ（以下、ｓｕｂ  ＢＳＩＤ）をメッセージ１０５−１に含めて主経路に選択されたＢＳへ送信し、主経路に選択されたＢＳとのデータ経路を設定する。
アプリケーションごとに経路として選択するＢＳが異なる場合、ＡＧＷはメッセージ１０５−１にＡＰＬＩＤも含めて送信し、主経路に選択されたＢＳに対し、どのアプリケーションの経路として選択されたかを通知する。
また、ＡＧＷは、経路の設定を要求してきたＭＳのＭＳＩＤ及びｓｕｂ  ＢＳＩＤをメッセージ１０５−２に含めて、副経路に選択されたＢＳへ送信する。アプリケーションごとに経路として選択するＢＳが異なる場合、ＡＧＷはメッセージ１０５−２にＡＰＬＩＤも含めて送信し、副経路に選択されたＢＳに対し、どのアプリケーションの経路として選択されたかを通知する。ＢＳが副経路として選ばれたことを意識する必要がない場合、このメッセージは省略可能である。
メッセージ１０５−１を受信したＢＳは、メッセージ内のＭＳＩＤ及びｍａｉｎ  ＢＳＩＤから自身が該ＭＳの主経路のＢＳとして選択されたことを知る。主経路に選択されたＢＳは、メッセージ１０５−１を送信してきたＡＧＷとのデータ経路を設定する。そして、メッセージ１０５−１に含まれるＭＳＩＤに対応するＭＳへメッセージ１０６−１を送信し、該ＭＳとのデータ経路を設定する。
メッセージ１０５−２を受信したＢＳは、メッセージ内のＭＳＩＤ及びｓｕｂ  ＢＳＩＤから自身が該ＭＳの副経路のＢＳとして選択されたことを知る。ＢＳが副経路として選ばれたことを意識する必要がない場合、このメッセージは省略可能である。
主経路に選択されたＢＳからメッセージ１０６−１を受信したＭＳは、メッセージ１０６−１内のｍａｉｎ  ＢＳＩＤから主経路として選択されたＢＳを知り、メッセージ１０６−１内のｓｕｂ  ＢＳＩＤから副経路として選択されたＢＳを知る。
メッセージ１０６−１を受信したＭＳは、ステップ１０６−２で、メッセージ１０６−１内のｍａｉｎ  ＢＳＩＤ及びｓｕｂ  ＢＳＩＤをメモリ部へ保存する。
メッセージ１０６−１を受信したＭＳは、ステップ１０６−３で、主経路として選択されたＢＳとのデータ経路を設定し、該ＢＳを主経路として使用する。
本実施の形態による無線システムの主経路及び副経路設定を基地局で行う場合のコールフローは、図２１ａのＲＳを省略し、ＡＧＷの経路選択処理をＢＳで代行する場合と同様になる。
本実施の形態による無線システムの主経路及び副経路設定を外部装置ＲＳＦで行う場合のコールフローは、図２１ｂのＲＳを省略し、ＭＳとＢＳが直接通信する場合と同様になる。
本実施の形態による無線システムの主経路及び副経路設定を移動局で行う場合のコールフローは、図２１ｃのＲＳを省略し、ＭＳとＢＳが直接通信する場合と同様になる。
【００１２】
２−３．主経路から副経路への切り替え
［本実施の形態の無線システムの主経路から副経路への切り替えのコールフローの一例］
図２０に本実施の形態による無線システムの主経路から副経路への切り替えのコールフローの一例を示す。ここでは、図１ａのＭＳ６−１が主経路として使用していたＢＳ４−１との接続を断ち、副経路として選択していたＢＳ４−２を新たな主経路として接続し、新たな副経路としてＢＳ４−３を選択する場合を例として扱う。
主経路から副経路への切り替えが発生するケースとしては、例えば、主経路として選択していたＢＳの無線通信範囲外へＭＳが移動した場合（図１ｂ）や、主経路として選択していたＢＳが使用不能になった場合（図１ｃ）などが考えられる。
ステップ２００で、ＭＳは、データ経路を主経路から副経路へ切りかえる必要があることを検知する。
主経路から副経路への切り替えを行うＭＳは、メモリ部から既に副経路として決定しているＢＳのＢＳＩＤ（ｓｕｂ  ＢＳＩＤ）を引き出し、自身のＭＳＩＤ及びｓｕｂ  ＢＳＩＤをメッセージ２０１に含めて、ｓｕｂ  ＢＳＩＤに対応するＢＳへ送信する。アプリケーションごとに経路を設定する場合、ＭＳは、ＡＰＬＩＤもメッセージ２０１に含める。
ＭＳからのメッセージ２０１を受信したＢＳは、ＡＧＷへメッセージ２０２を送信する。
ＢＳからのメッセージ２０２を受信したＡＧＷは、メッセージ２０２に含まれるＭＳＩＤ及びｓｕｂ  ＢＳＩＤから、該ＭＳが主経路から副経路への切り替えを要求していることを知る。ＡＧＷは、メッセージ２０３に含める新たな主経路となる副経路のＢＳＩＤ（以下、ｎｅｗ  ｍａｉｎ  ＢＳＩＤ）に、ｓｕｂ  ＢＳＩＤの値をそのまま設定し、メッセージ２０２に含まれるｓｕｂ  ＢＳＩＤに対応するＢＳへメッセージ２０３を送信する。ＡＧＷは、メッセージ２０２に含まれるｓｕｂ  ＢＳＩＤに対応するＢＳとのデータ経路を設定する。ＡＧＷは、メッセージ２０３送信後、直ちにメッセージ２０５を送信する。メッセージ２０５送信以降の手順は後述する。
ＡＧＷからのメッセージ２０３を受信したＢＳは、メッセージ２０３内のＭＳＩＤ及びｎｅｗ  ｍａｉｎ  ＢＳＩＤから、自身が該ＭＳの主経路として選択されたことを知る。主経路として選択されたＢＳは、メッセージ２０３を送信してきたＡＧＷとのデータ経路を設定する。そして、メッセージ２０３に含まれるＭＳＩＤに対応するＭＳへメッセージ２０４−１を送信し、該ＭＳとのデータ経路を設定する。
メッセージ２０４−１を受信したＭＳは、メッセージ２０４−１内のｎｅｗ  ｍａｉｎ  ＢＳＩＤをメモリ部へ保存する。
メッセージ２０４−１を受信したＭＳは、ステップ２０４−２で、新たに主経路として選択されたＢＳとのデータ経路を設定し、該ＢＳを主経路として使用する。
一方、メッセージ２０３を送信したＡＧＷは、ＰＣＲＦへメッセージ２０５を送信する。メッセージ２０２にＡＰＬＩＤが含まれる場合、ＡＧＷは、メッセージ２０２内のＡＰＬＩＤもメッセージ２０５に含める。
また、ＭＳごとにポリシー情報が異なる場合、ＡＧＷはメッセージ２０２内のＭＳＩＤもメッセージ２０５に含める。
また、ＰやＭなどのＢＳごとに異なるパラメータがポリシー情報に含まれる場合、ＡＧＷはメモリ部内の図５ａを基に作成したａｌｌ  ａｖａｉｌａｂｌｅ  ＢＳＩＤｓもメッセージ２０５に含める。
なお、ＡＧＷ内に必要なポリシー情報を全て持っている場合は、メッセージ２０５を送信せずに、ステップ２０６−２へ進むことが可能である。
ＡＧＷからのメッセージ２０５を受信したＰＣＲＦは、対応するポリシー情報をメモリ部から引き出す。
ＭＳごとにポリシー情報が異なる場合、ＰＣＲＦはメッセージ２０５内に含まれるＭＳＩＤを基に、対応するポリシー情報をメモリ部から引き出す。
また、ＭＳが起動したアプリケーションごとにポリシー情報が異なる場合、ＰＣＲＦはメッセージ２０５内に含まれるＡＰＬＩＤを基に、対応するポリシー情報をメモリ部から引き出す。
ＰＣＲＦは、メモリ部から引き出したポリシー情報をメッセージ２０６−１に含めてＡＧＷへ送信する。
ＰＣＲＦからのメッセージ２０６−１を受信したＡＧＷは、ステップ２０６−２で、図５ａに基づいて図７を作成し、新たな副経路のＢＳを選択する。副経路の選択に品質も考慮に入れる場合、図７及び図８及び図９及び図１０に基づいて副経路のＢＳを選択する。副経路選択の具体的な処理は、以降に記載する図１９ａのフローチャートで詳しく説明する。
ＡＧＷは、ステップ２０６−２で選択した副経路に基づき、ステップ２０６−３で、メモリ部に保存された図５ａを更新し、更新した図５ａをメモリ部へ保存する。
ＡＧＷは、ステップ２０６−２で選択した副経路に基づき、経路の設定を要求してきたＭＳのＭＳＩＤ及び新たに副経路に選択されたＢＳのＢＳＩＤ（以下、ｎｅｗ  ｓｕｂ  ＢＳＩＤ）をメッセージ２０７に含めて、新たに副経路に選択されたＢＳへ送信する。
アプリケーションごとに経路として選択するＢＳが異なる場合、ＡＧＷはメッセージ２０７にＡＰＬＩＤも含めて送信し、副経路に選択されたＢＳに対し、どのアプリケーションの経路として選択されたかを通知する。
ＡＧＷからのメッセージ２０７を受信したＢＳは、ＭＳへメッセージ２０８を送信する。
新たに副経路に選択されたＢＳからメッセージ２０８を受信したＭＳは、メッセージ２０８内のｎｅｗ  ｓｕｂ  ＢＳＩＤから新たに副経路として選択されたＢＳを知る。
メッセージ２０８を受信したＭＳは、メッセージ２０８内のｎｅｗ  ｓｕｂ  ＢＳＩＤをメモリ部へ保存する。
本実施の形態による無線システムの主経路及び副経路設定を基地局で行う場合の、主経路から副経路への切り替えのコールフローは、図２８ａのＲＳを省略し、ＡＧＷの経路選択処理をＢＳで代行する場合と同様になる。
本実施の形態による無線システムの主経路及び副経路設定を外部装置ＲＳＦで行う場合の、主経路から副経路への切り替えのコールフローは、図２８ｂのＲＳを省略し、ＭＳとＢＳが直接通信する場合と同様になる。
本実施の形態による無線システムの主経路及び副経路設定を移動局で行う場合の、主経路から副経路への切り替えのコールフローは、図２８ｃのＲＳを省略し、ＭＳとＢＳが直接通信する場合と同様になる。
【００１３】
２−４．ＡＧＷ
２−４−１．ハードウェア
［本実施の形態のＡＧＷの一例］
図４ａに、本実施の形態で使用するＡＧＷの機能ブロック図の一例を示す。
ネットワークインタフェース部２１は、ネットワークとのインタフェースである。ネットワークインタフェース部２１により、ＡＧＷはＩＰネットワークとＩＰパケットの送受信を行う。
ＢＳインタフェース部２２は、ＢＳとのインタフェースである。ＢＳインタフェース部２２により、ＡＧＷはＢＳとＩＰパケットの送受信を行う。
ＰＣＲＦインタフェース部２３は、ＰＣＲＦとのインタフェースである。ＰＣＲＦインタフェース部２３により、ＡＧＷはＰＣＲＦとＩＰパケットの送受信を行う。ポリシー情報がＡＧＷ内に設定され、ＰＣＲＦが省略されるアーキテクチャの場合、ＰＣＲＦインタフェース部２３は省略可能である。
ＲＳＦインタフェース部２４は、ＲＳＦとのインタフェースである。ＲＳＦインタフェース部２４により、ＡＧＷはＲＳＦとＩＰパケットの送受信を行う。主経路および副経路の選択がＲＳＦ以外のノードで行われるアーキテクチャの場合、ＲＳＦインタフェース部２４は省略可能である。
メモリ部２５は、送受信するＩＰパケット、ＢＳ  ｐｒｏｆｉｌｅ（ｒＢＳＭａｘ）、ＭＳ  ｐｒｏｆｉｌｅ（ｒＭＳ）、ＱｏＳ  ｐａｒａｍｅｔｅｒｓ  （Ｅ、Ｔ、Ｍ、Ｐ）、ＡＰＬＩＤ、Ｗｅｉｇｈｔ（ｗＥ、ｗＴ、ｗＭ、ｗＱｏＳ、ｗｒｍａｉｎ、ｗｒｓｕｂ）、接続するＰＣＲＦ３およびＢＳ４のアドレスなどの情報を、必要に応じてＭＳＩＤや主経路または副経路として選択されたＢＳＩＤと対応付けて管理する。
処理部２６は、メモリ部２５に保持される情報の管理、ＩＰパケットの構築・解析などのＩＰパケット送受信処理や、主経路及び副経路の選択の際に与えられた式に基づいた計算などを行う。主経路および副経路の選択がゲートウェイ以外の装置で行われるアーキテクチャの場合、主経路及び副経路の選択に関わる処理機能は省略可能である。
［本実施の形態のＡＧＷのメモリ部が保持する情報の一例］
図５ａに、本実施の形態のＡＧＷのメモリ部が保持する情報の一例を示す。
Ｔ１１ａ（ｍａｉｎ  ＢＳＩＤ）は、ＢＳの識別子である。
Ｔ１２ａ（ＭＳＩＤ）は、Ｔ１１ａのＢＳＩＤを持つＢＳを主経路として既に選択しているＭＳの識別子である。
Ｔ１３ａ（ｓｕｂ  ＢＳＩＤ）は、Ｔ１２ａのＭＳＩＤを持つＭＳが副経路として既に選択しているＢＳの識別子である。Ｔ１２ａのＭＳＩＤを持つＭＳが副経路を持たない場合は、この列は空欄となる。
Ｔ１４ａ（ｒＭＳ）は、Ｔ１２ａのＭＳＩＤを持つＭＳが要求している無線リソース量の指標である。Ｔ１４ａはＴ１２ａのＭＳが主経路及び副経路の設定をする際に、ＭＳ  ｐｒｏｆｉｌｅ内の情報としてＡＧＷに通知され、ＡＧＷはその情報をメモリ部に保存する。
Ｔ１５ａ（ΣｒＭＳｍａｉｎ）は、Ｔ１１ａのＢＳＩＤを持つＢＳを主経路として既に選択している全てのＭＳに関するＭＳが要求する無線リソース量の指標の合計である。Ｔ１５ａは、Ｔ１１ａのＢＳＩＤを持つＢＳを主経路として選択しているＭＳについて、ＡＧＷの処理部がＴ１４ａのｒＭＳを足し合わせて作成し、ＡＧＷはその情報をメモリ部に保存する。Ｔ１１ａのＢＳＩＤを持つＢＳを主経路として既に使用しているＭＳがいない場合、Ｔ１５ａは０となる。
Ｔ１６ａ（ｒＢＳｍａｘ）はＴ１１ａのＢＳＩＤを持つＢＳが許容できる無線リソース量の上限値の指標である。Ｔ１６ａはＴ１２ａのＭＳが主経路及び副経路の設定をする際に、ＢＳ  ｐｒｏｆｉｌｅ内の情報としてＡＧＷに通知され、ＡＧＷはその情報をメモリ部に保存する。Ｔ１６ａはＴ１２ａのＭＳが主経路及び副経路の設定をする際に、ＢＳ  ｐｒｏｆｉｌｅ内の情報としてＡＧＷに通知され、ＡＧＷはその情報をメモリ部に保存する。
Ｔ１７ａ（Ｒｒｍａｉｎ）は、Ｔ１１ａのＢＳＩＤを持つＢＳの残存無線リソース量に基づく主経路としての評価指標である。Ｔ１７ａは、Ｔ１５ａに対するＴ１６ａの比によって計算され、ＡＧＷはその情報をメモリ部に保存する。Ｔ１７ａの値が大きいほど、ＢＳの残存無線リソース量に余裕があることを示す。
図８に、本実施の形態のＡＧＷのメモリ部が保持する情報の一例を示す。
Ｔ４１（ＭＳＩＤ）は、ＭＳの識別子である。
Ｔ４２（ＢＳＩＤ）は、Ｔ４１のＭＳＩＤを持つＭＳが通信可能なＢＳのＢＳＩＤである。Ｔ４２は、Ｔ４１のＭＳＩＤを持つＭＳが主経路及び副経路の設定をする際にＡＧＷに通知され、ＡＧＷはその情報をメモリ部に保存する。
Ｔ４３（Ｅ）は、ＭＳ−ＢＳ間の有効データ転送率である。Ｔ４３は、Ｔ４１のＭＳＩＤを持つＭＳが主経路及び副経路の設定をする際、もしくはＢＳがＢＳ  ｐｒｏｆｉｌｅをＡＧＷに通知する際にＡＧＷが受信し、ＡＧＷはその情報をメモリ部に保存する。
Ｔ４４（Ｔ）は、ＢＳの通信可能時間の残量である。Ｔ４４は、Ｔ４１のＭＳＩＤを持つＭＳが主経路及び副経路の設定をする際にＢＳ  ｐｒｏｆｉｌｅ内の情報としてＡＧＷに通知され、ＡＧＷはその情報をメモリ部に保存する。Ｔ４４はＢＳに通信可能時間を設定しない場合は省略可能である。
Ｔ４５（Ｍ）は、ＢＳの移動度であり、ＢＳが固定かノマディックかポータブルかモバイルかといったＢＳの形態を示す値である。Ｔ４５は、Ｔ４１のＭＳＩＤを持つＭＳが主経路及び副経路の設定をする際にＢＳ  ｐｒｏｆｉｌｅ内の情報としてＡＧＷに通知されるか、またはＰＣＲＦからポリシー情報として配布されるか、またはＡＧＷ内に設定されたポリシー情報内に含まれ、ＡＧＷはその情報をメモリ部に保存する。ＢＳの形態が一意に定まる場合、Ｔ４５は省略可能である。
Ｔ４６（Ｐ）は、ＢＳの優先度であり、例えば警察や消防が所有するＢＳの優先度を低く設定することで第３者のデータ経路として使用されるのを防ぐことができる。また、例えば、あるＢＳに高い優先度を設定することで、該ＢＳに第三者のデータ経路となることに対するインセンティブを与えることができる。Ｔ４６は、Ｔ４１のＭＳＩＤを持つＭＳが主経路及び副経路の設定をする際にＢＳ  ｐｒｏｆｉｌｅ内の情報としてＡＧＷに通知されるか、またはＰＣＲＦからポリシー情報として配布されるか、またはＡＧＷ内に設定されたポリシー情報内に含まれ、ＡＧＷはその情報をメモリ部に保存する。主経路及び副経路選択の際に品質を考慮しない場合は、図８は省略可能である。
図９に、本実施の形態のＡＧＷのメモリ部が保持する情報の一例を示す。
Ｔ５１（ＭＳＩＤ）は、ＭＳの識別子である。重み付けのパラメータであるＴ５３（ｗＥ）及びＴ５４（ｗＴ）及びＴ５５（ｗＭ）がＭＳによって変化しない場合、Ｔ５１は省略可能である。
Ｔ５２（ＡＰＬＩＤ）は、該経路で実行されるアプリケーションの識別子である。重み付けのパラメータであるＴ５３（ｗＥ）及びＴ５４（ｗＴ）及びＴ５５（ｗＭ）がアプリケーションの種別によって変化しない場合、Ｔ５２は省略可能である。
Ｔ５３（ｗＥ）は、ＭＳ−ＢＳ間の有効データ転送率Ｅに対する重み付けのパラメータである。
Ｔ５４（ｗＴ）は、ＢＳの通信可能時間Ｔに対する重み付けのパラメータである。
Ｔ５５（ｗＭ）は、ＢＳの移動度Ｍに対する重み付けのパラメータである。
Ｔ５３及びＴ５４及びＴ５５は、Ｔ５１のＭＳＩＤを持つＭＳが主経路及び副経路の設定をする際にＰＣＲＦからポリシー情報として配布されるか、またはＡＧＷ内に設定されたポリシー情報内に含まれ、ＡＧＷはその情報をメモリ部に保存する。
図１０に、本実施の形態のＡＧＷのメモリ部が保持する情報の一例を示す。
Ｔ６１（ＭＳＩＤ）は、ＭＳの識別子である。重み付けのパラメータであるＴ６３（ｗＱｏＳ）及びＴ６４（ｗｒｍａｉｎ）及びＴ６５（ｗｒｓｕｂ）がＭＳによって変化しない場合、Ｔ６１は省略可能である。
Ｔ６２（ＡＰＬＩＤ）は、該経路で実行されるアプリケーションの識別子である。重み付けのパラメータであるＴ６３（ｗＱｏＳ）及びＴ６４（ｗｒｍａｉｎ）及びＴ６５（ｗｒｓｕｂ）がアプリケーションの種別によって変化しない場合、Ｔ６２は省略可能である。
Ｔ６３（ｗＱｏＳ）は、品質に基づく経路の評価指標ＲＱｏＳに対する重み付けのパラメータである。
Ｔ６４（ｗｒｍａｉｎ）は、基地局の残存無線リソース量に基づく主経路の評価指標Ｒｒｍａｉｎに対する重み付けのパラメータである。
Ｔ６５（ｗｒｓｕｂ）は、基地局の残存無線リソース量に基づく副経路の評価指標Ｒｒｓｕｂに対する重み付けのパラメータである。
Ｔ６３及びＴ６４及びＴ６５は、Ｔ６１のＭＳＩＤを持つＭＳが主経路及び副経路の設定をする際にＰＣＲＦからポリシー情報として配布されるか、またはＡＧＷ内に設定されたポリシー情報内に含まれ、ＡＧＷはその情報をメモリ部に保存する。
主経路および副経路の設定をゲートウェイ以外の装置で行う場合、図５ａ、図８、図９、図１０の情報は省略される。
【００１４】
２−４−２．主経路及び副経路の設定
［本実施の形態のＡＧＷの処理の一例］
図１９ａに、主経路及び副経路の設定におけるＡＧＷの処理の一例を示す。
Ｓ２０１で、ＡＧＷは、ＢＳからメッセージ１０２を受信する。
Ｓ２０２で、ＡＧＷは、メッセージ１０２内のａｌｌ  ａｖａｉｌａｂｌｅ  ＢＳＩＤｓに含まれる経路として選択可能なＢＳＩＤの数を確認する。
経路として選択可能なＢＳＩＤ  が１個の場合、Ｓ２０３Ｙで、ＡＧＷは、選択可能な唯一のＢＳを主経路として選択し、副経路は持たないことを選択して、Ｓ２２０へ進む。
一方、経路として選択可能なＢＳＩＤ  が２個以上の場合、Ｓ２０３Ｎで、ＡＧＷは、メッセージ１０２内のａｌｌ  ａｖａｉｌａｂｌｅ  ＢＳＩＤｓに含まれる経路として選択可能なＢＳＩＤに対応するＢＳの情報を、メモリ部に保存された図５ａから引き出す。対応するＢＳの情報が図５ａ内に存在しない場合、ＡＧＷはメッセージ１０２を送信してきたＢＳに対して自身のＢＳ  ｐｒｏｆｉｌｅを送信するように要求する。
Ｓ２０４で、ＡＧＷは、メモリ部から引き出した該ＢＳのＢＳ  ｐｒｏｆｉｌｅに含まれる情報と、メッセージ１０２内のＭＳ  ｐｒｏｆｉｌｅに含まれる情報に基づいて図６を作成する。
Ｔ２１（ｍａｉｎ  ＢＳＩＤ）は、主経路として選択可能なＢＳのＢＳＩＤであり、メッセージ１０２内のａｌｌ  ａｖａｉｌａｂｌｅ  ＢＳＩＤｓに含まれる。
Ｔ２２（ＭＳＩＤ）は、Ｔ２１のＢＳＩＤを持つＢＳを主経路として既に使用しているＭＳのＭＳＩＤであり、ＡＧＷのメモリ部に保存された図５ａからＡＧＷが引き出した該ＢＳの情報に含まれる。Ｔ２１のＢＳＩＤを持つＢＳを主経路として既に使用しているＭＳが一つも存在しない場合、Ｔ２２は空欄となる。
Ｔ２３（ｓｕｂ  ＢＳＩＤ）は、Ｔ２２のＭＳＩＤを持つＭＳが副経路として選択しているＢＳのＢＳＩＤであり、メモリ部から引き出した該ＢＳの情報に含まれる。ＭＳ６−１１のように、Ｔ２２のＭＳＩＤを持つＭＳが副経路を持たない場合、Ｔ２３は空欄となる。
Ｔ２４（ｒＭＳ）は、Ｔ２２のＭＳＩＤを持つＭＳが要求する無線リソース量の指標であり、ＡＧＷのメモリ部に保存された図５ａからＡＧＷが引き出した該ＢＳの情報に含まれる。
Ｔ２５（ΣｒＭＳｍａｉｎ）は、Ｔ２１のＢＳＩＤを持つＢＳを主経路として既に選択している全てのＭＳに関するＭＳが要求する無線リソース量の指標の合計であり、ＡＧＷのメモリ部に保存された図５ａからＡＧＷが引き出した該ＢＳの情報に含まれる。
Ｔ２６（ｒＢＳｍａｘ）はＴ２１のＢＳＩＤを持つＢＳが許容できる無線リソース量の上限値の指標であり、ＡＧＷのメモリ部に保存された図５ａからＡＧＷが引き出した該ＢＳの情報を基にＡＧＷが作成する。
Ｔ２７（Ｒｒｍａｉｎ）は、Ｔ２１のＢＳＩＤを持つＢＳの残存無線リソース量に基づく主経路としての評価指標である。Ｔ２７は、Ｔ２５およびＴ２６およびＴ２８（ｒＭＳｎｅｗ）を用いて、Ｓ２０５で式１に基づいて計算され、ＡＧＷはその情報をメモリ部に保存する。Ｔ２７の値が大きいほど、ＢＳの残存無線リソース量に余裕があることを示す。
Ｔ２８（ｒＭＳｎｅｗ）は、経路設定の要求を出してきたＭＳが要求する無線リソース量の指標であり、メッセージ１０２内のＭＳ  ｐｒｏｆｉｌｅに含まれる。
Ｓ２０５で、ＡＧＷは、式１の各パラメータに図６の値を代入し、ＢＳの残存リソース量に基づく主経路の評価指標（Ｒｒｍａｉｎ）ｎを、図６のＴ２１のＢＳＩＤを持つ全てのＢＳについてそれぞれ計算する。ＡＧＷは、計算された値を、必要に応じて、図６に記憶してもよい。
［式１］
（Ｒｒｍａｉｎ）ｎ＝（ｒＢＳｍａｘ）ｎ／｛（ΣｒＭＳｍａｉｎ）ｎ＋ｒＭＳｎｅｗ｝
前記式１中、ｎは経路のインデックスである。
（Ｒｒｍａｉｎ）ｎは該ＢＳの残存リソースに基づく主経路の評価であり、値が大きいほど該ＢＳの残存リソースに余裕があることを示す。
（ｒＢＳｍａｘ）ｎは該ＢＳが許容できる無線リソース量の上限値の指標であり、ＢＳ自身の性能に依存する。ｒＭＳｎｅｗは経路設定を要求してきたＭＳが要求する無線リソース量の指標である。
（ΣｒＭＳｍａｉｎ）ｎは該ＢＳを主経路として既に使用している全ＭＳに関するＭＳが要求する無線リソース量の指標の総和を示す。また、ＡＧＷのメモリ部の情報として、（Ｒｒｍａｉｎ）ｎの下限値を設定しておくことが可能である。ＡＧＷに（Ｒｒｍａｉｎ）ｎの下限値が設定されている場合、（Ｒｒｍａｉｎ）ｎが下限値を下回っている経路を選択対象から除外するか、もしくは既に副経路または主経路として該ＢＳを選択しているＭＳに対して、副経路または主経路の変更を要求することが可能である。
主経路の選択に品質も考慮に入れる場合、Ｓ２０６で、ＡＧＷはメモリ部に該ＢＳに対応するＰｏｌｉｃｙが設定されているかどうかを判断する。該ＢＳに対応するＰｏｌｉｃｙがＡＧＷのメモリ部内に設定されていない場合、Ｓ２０７で、ＡＧＷはＰＣＲＦへメッセージ１０３を送信し、該ＢＳのＰｏｌｉｃｙを送信するように要求する。
Ｓ２０８で、ＡＧＷはタイマ１を起動し、ＰＣＲＦから該ＢＳのＰｏｌｉｃｙを含むメッセージ１０４−１が送信されるのを待つ。
Ｓ２０９で、ＰＣＲＦからメッセージ１０４−１を受信する前にタイマ１が満了した場合、ＡＧＷは再びＳ２０７に戻って、メッセージ１０３をＰＣＲＦへ再送する。
タイマ１が満了する前にＰＣＲＦからメッセージ１０４−１を受信した場合、Ｓ２１０で、ＡＧＷはメッセージ１０４−１内に含まれる該ＢＳのＰｏｌｉｃｙと、メモリ部から引き出した該ＢＳのＢＳ  ｐｒｏｆｉｌｅに含まれる情報と、メッセージ１０２内のＭＳ  ｐｒｏｆｉｌｅに含まれる情報に基づいて図８及び図９を作成する。
一方、該ＢＳに対応するＰｏｌｉｃｙがＡＧＷのメモリ部内に設定されている場合、Ｓ２０７からＳ２０９は省略され、Ｓ２１０で、ＡＧＷはメモリ部から引き出した該ＢＳのＰｏｌｉｃｙと、メモリ部から引き出した該ＢＳのＢＳ  ｐｒｏｆｉｌｅに含まれる情報と、メッセージ１０２内のＭＳ  ｐｒｏｆｉｌｅに含まれる情報に基づいて図８及び図９を作成する。図８及び図９が既にＡＧＷのメモリ内に保存されている場合、Ｓ２１０は省略可能である。
また、そもそも主経路の選択に品質を考慮に入れない場合、Ｓ２０６からＳ２１４は省略され、（Ｒｒｍａｉｎ）ｎが最大のＢＳを主経路として選択してもよい。
Ｓ２１１で、ＡＧＷは、式３の各パラメータに図８及び図９の値を代入し、品質に基づく経路の評価指標（ＲＱｏＳ）ｎを、図６のＴ２１のＢＳＩＤを持つ全てのＢＳについてそれぞれ計算する。
［式３］
（ＲＱｏＳ）ｎ＝Ｐｎ（ｗＥＥｎ＋ｗＴＴｎ＋ｗＭＭｎ）
前記式３中、ｎは経路のインデックスである。
（ＲＱｏＳ）ｎは該経路の品質に基づく評価であり、値が大きいほど該経路の品質が高いことを示す。
Ｐｎは該ＢＳがデータ経路として選択される優先度を示すポリシー情報（ＢＳの使用に関する重み付け）を示し、値を大きくすることにより優先度を高くできる。
ＥｎはＭＳと該ＢＳとの間の有効データ転送率を示す。ＥｎはＭＳの無線信号受信強度などに依存する。
Ｔｎは該ＢＳの通信可能時間を示す。ＴｎはＢＳのバッテリー残量やＢＳの利用契約内容などに依存する。
Ｍｎは該ＢＳの移動度を示す。ＭｎはＢＳが固定されているか移動するかなどに依存する。
ｗＥは、Ｅｎに対する重み付けのパラメータを示す。
ｗＴは、Ｔｎに対する重み付けのパラメータを示す。
ｗＭは、Ｍｎに対する重み付けのパラメータを示す。
また、上記Ｔｎは、該ＢＳに通信可能時間を設定しない場合は省略可能であり、上記Ｍｎは、該ＢＳが移動しない場合は省略可能である。
Ｓ２１２で、ＡＧＷはメモリ部から引き出した該ＢＳのＰｏｌｉｃｙに基づいて図１０を作成する。図１０が既にＡＧＷのメモリ内に保存されている場合、Ｓ２１２は省略可能である。
Ｓ２１３で、ＡＧＷは、式４の各パラメータに図５ａ及び図８及び図１０の値を代入し、ＢＳの残存リソース量及び経路の品質に基づく総合的な主経路の評価指標（Ｒｍａｉｎ）ｎを、図６のＴ２１のＢＳＩＤを持つ全てのＢＳについてそれぞれ計算する。ＡＧＷは、計算された値を、必要に応じて、図６に記憶してもよい。
［式４］
（Ｒｍａｉｎ）ｎ＝（Ｐｍａｉｎ）ｎ（ｗＱｏＳ（ＲＱｏＳ）ｎ＋ｗｒｍａｉｎ（Ｒｒｍａｉｎ）ｎ）
前記式４中、ｎは経路のインデックスである。
（Ｒｍａｉｎ）ｎは該経路の品質及び該ＢＳの残存リソース量に基づく総合的な主経路の評価である。
（Ｐｍａｉｎ）ｎは該ＢＳが主経路として選択される優先度を示すポリシー情報（ＢＳの使用に関する重み付け）を示し、値を大きくすることにより優先度を高くできる。
（ＲＱｏＳ）ｎは該経路の品質に基づく経路の評価であり、値が大きいほど該経路の品質が高いことを示す。
（Ｒｒｍａｉｎ）ｎは該ＢＳの残存リソースに基づく主経路の評価であり、値が大きいほど該ＢＳの残存リソースに余裕があることを示す。
ｗＱｏＳは、（ＲＱｏＳ）ｎに対する重み付けのパラメータを示す。
ｗｒｍａｉｎは、（Ｒｒｍａｉｎ）ｎに対する重み付けのパラメータを示す。
Ｓ２１４で、ＡＧＷはＳ２１３で計算した総合的な主経路の評価指標（Ｒｍａｉｎ）ｎが最大のＢＳを主経路として選択する。
また、ＡＧＷのメモリ部の情報として、ＢＳの残存リソース指標に基づく主経路の評価指標（Ｒｒｍａｉｎ）ｎの下限値を設定しておくことが可能である。ＡＧＷに（Ｒｒｍａｉｎ）ｎの下限値が設定されている場合、主経路として選択されたＢＳの（Ｒｒｍａｉｎ）ｎが下限値を下回っていたら、主経路の設定を拒否するか、もしくは既に副経路または主経路として該ＢＳを選択しているＭＳに対して、副経路または主経路の変更を要求することができる。
Ｓ２１５で、ＡＧＷは、図６のＴ２１のＢＳＩＤを持つＢＳから主経路として選択されたＢＳを除いた残りの副経路候補のＢＳの数を確認する。副経路として選択可能なＢＳＩＤ  が１個の場合、Ｓ２１６Ｙで、ＡＧＷは、選択可能な唯一のＢＳを副経路として選択し、Ｓ２２０へ進む。
一方、副経路として選択可能なＢＳＩＤ  が２個以上の場合、Ｓ２１６Ｎで、ＡＧＷは、主経路として選択されたＢＳの情報を図６から引き出し、引き出した該ＢＳの情報とメッセージ１０２内のＭＳ  ｐｒｏｆｉｌｅに含まれる情報に基づいて図７を作成する。図７は、ＢＳ４−１が主経路として選択された場合の例を示している。
Ｔ３１（ｍａｉｎ  ＢＳＩＤ）は、主経路として選択されたＢＳＩＤである。
Ｔ３２（ｓｕｂ  ＢＳＩＤ）は、副経路として選択可能なＢＳのＢＳＩＤであり、図６のＴ２１で主経路として選択可能なＢＳのＢＳＩＤのうち、Ｓ２１４で主経路として選択されたＢＳを除く全てのＢＳＩＤを参照してＡＧＷが作成する。
Ｔ３３（ΣｒＭＳｍａｉｎ）は、Ｔ３１のＢＳＩＤを持つＢＳを主経路として既に選択している全てのＭＳに関するＭＳが要求する無線リソース量の指標の合計である。Ｔ３１のＢＳＩＤを持つＢＳを主経路として既に選択しているＭＳが一つもいない場合、Ｔ３３は０となる。
Ｔ３４（ΣｒＭＳｓｕｂ）は、Ｔ３１のＢＳＩＤを持つＢＳを主経路として既に選択していて、かつＴ３２のＢＳＩＤを持つＢＳを副経路として既に選択している全てのＭＳに関するＭＳが要求する無線リソース量の指標の合計である。Ｔ３４は、Ｔ３１のＢＳＩＤを持つＢＳを主経路として選択していて、かつＴ３２のＢＳＩＤを持つＢＳを副経路として既に選択しているＭＳについて、ＡＧＷの処理部が図５ａにおけるＴ１４のｒＭＳを足し合わせて作成する。Ｔ３１のＢＳＩＤを持つＢＳを主経路として既に選択していて、かつＴ３２のＢＳＩＤを持つＢＳを副経路として既に選択しているＭＳが一つもいない場合、Ｔ３４は０となる。
Ｔ３５（ｒＢＳｍａｘ）はＴ３２のＢＳＩＤを持つＢＳが許容できる無線リソース量の上限値の指標である。
Ｔ３６（Ｒｒｓｕｂ）は、Ｔ３２のＢＳＩＤを持つＢＳの残存無線リソース量に基づく副経路としての評価指標である。Ｔ３６は、Ｔ３３およびＴ３４およびＴ３５およびＴ３７（ｒＭＳｎｅｗ）を用いて、Ｓ２１７で式２に基づいて計算され、ＡＧＷはその情報をメモリ部に保存する。Ｔ３６の値が大きいほど、ＢＳの残存無線リソース量に余裕があることを示す。
Ｔ３７（ｒＭＳｎｅｗ）は、経路設定の要求を出してきたＭＳが要求する無線リソース量の指標であり、メッセージ１０２内のＭＳ  ｐｒｏｆｉｌｅに含まれる。
Ｓ２１７で、ＡＧＷは、式２の各パラメータに図７の値を代入し、ＢＳの残存リソース量に基づく副経路の評価指標（Ｒｒｓｕｂ）ｎを、図７のＴ３２のＢＳＩＤを持つ全てのＢＳについてそれぞれ計算する。ＡＧＷは、計算された値を必要に応じて、図７に記憶してもよい。
［式２］
（Ｒｒｓｕｂ）ｎ＝（ｒＢＳｍａｘ）ｎ／｛（ΣｒＭＳｍａｉｎ）ｎ＋（ΣｒＭＳｓｕｂ）ｎ＋ｒＭＳｎｅｗ｝
前記式２中、ｎは経路のインデックスである。
（Ｒｒｓｕｂ）ｎは該ＢＳの残存リソースに基づく副経路の評価であり、値が大きいほど主経路のＢＳが使用不能になった場合の該ＢＳの残存リソースに余裕があることを示す。
（ｒＢＳｍａｘ）ｎは該ＢＳが許容できる無線リソース量の上限値の指標であり、ＢＳ自身の性能に依存する。ｒＭＳｎｅｗは経路設定を要求してきたＭＳが要求する無線リソース量の指標である。
（ΣｒＭＳｍａｉｎ）ｎは該ＢＳを主経路として既に使用している全ＭＳに関するＭＳが要求する無線リソース量の指標の総和を示す。
（ΣｒＭＳｓｕｂ）ｎは経路設定要求を出しているＭＳが主経路として選択したＢＳを主経路として既に使用していて、かつ該ＢＳを副経路として既に選択している全ＭＳに関するＭＳが要求する無線リソース量の指標の総和を示す。
また、ＡＧＷのメモリ部の情報として、（Ｒｒｓｕｂ）ｎの下限値を設定しておくことが可能である。ＡＧＷに（Ｒｒｓｕｂ）ｎの下限値が設定されている場合、（Ｒｒｓｕｂ）ｎが下限値を下回っている経路を選択対象から除外するか、もしくは既に副経路または主経路として該ＢＳを選択しているＭＳに対して、副経路または主経路の変更を要求することが可能である。
副経路の選択に品質も考慮に入れる場合、Ｓ２１８で、ＡＧＷは、式５の各パラメータにＳ２１１およびＳ２１７の計算結果および図１０の値を代入し、ＢＳの残存リソース量及び経路の品質に基づく総合的な副経路の評価指標（Ｒｓｕｂ）ｎを、図７のＴ３２のＢＳＩＤを持つ全てのＢＳについてそれぞれ計算する。ＡＧＷは、計算された値を必要に応じて、図７に記憶してもよい。
［式５］
（Ｒｓｕｂ）ｎ＝（Ｐｓｕｂ）ｎ（ｗＱｏＳ（ＲＱｏＳ）ｎ＋ｗｒｓｕｂ（Ｒｒｓｕｂ）ｎ）
前記式５中、ｎは経路のインデックスである。
（Ｒｓｕｂ）ｎは該経路の品質及び該ＢＳの残存リソース量に基づく総合的な副経路の評価である。
（Ｐｓｕｂ）ｎは該ＢＳが副経路として選択される優先度を示すポリシー情報（ＢＳの使用に関する重み付け）を示し、値を大きくすることにより優先度を高くできる。
（ＲＱｏＳ）ｎは該経路の品質に基づく経路の評価であり、値が大きいほど該経路の品質が高いことを示す。
（Ｒｒｓｕｂ）ｎは該ＢＳの残存リソースに基づく主経路の評価であり、値が大きいほど該ＢＳの残存リソースに余裕があることを示す。
ｗＱｏＳは、（ＲＱｏＳ）ｎに対する重み付けのパラメータを示す。
ｗｒｓｕｂは、（Ｒｒｓｕｂ）ｎに対する重み付けのパラメータを示す。
副経路の選択に品質を考慮に入れない場合、Ｓ２１８からＳ２１９は省略され、（Ｒｒｓｕｂ）ｎが最大のＢＳを副経路として選択してもよい。
Ｓ２１９で、ＡＧＷはＳ２１８で計算した総合的な副経路の評価指標（Ｒｓｕｂ）ｎが最大のＢＳを副経路として選択する。
また、ＡＧＷのメモリ部の情報として、ＢＳの残存リソース指標に基づく副経路の評価指標（Ｒｒｓｕｂ）ｎの下限値を設定しておくことが可能である。ＡＧＷに（Ｒｒｓｕｂ）ｎの下限値が設定されている場合、副経路として選択されたＢＳの（Ｒｒｓｕｂ）ｎが下限値を下回っていたら、副経路の設定を拒否するか、もしくは既に副経路または主経路として該ＢＳを選択しているＭＳに対して、副経路または主経路の変更を要求することができる。
Ｓ２２０で、ＡＧＷは主経路及び副経路に選択されたＢＳのＢＳＩＤを基に、図５ａを更新する。更新後の図５ａは、例えば図５ｂのようになる。
Ｓ２２１で、ＡＧＷは、主経路として選択されたＢＳとの間に、ユーザデータのトンネルを設定する。
Ｓ２２２で、ＡＧＷは、主経路として選択されたＢＳのＢＳＩＤと、副経路として選択されたＢＳのＢＳＩＤをそれぞれメッセージ１０５−１に設定する。
Ｓ２２３で、ＡＧＷは、主経路として選択されたＢＳへメッセージ１０５−１を送信する。
Ｓ２２４で、ＡＧＷは、副経路として選択されたＢＳのＢＳＩＤをメッセージ１０５−２に設定する。
Ｓ２２５で、ＡＧＷは、副経路として選択されたＢＳへメッセージ１０５−２を送信する。
主経路および副経路の設定をゲートウェイ以外のノードで行う場合、経路選択に関する処理は省略される。
【００１５】
２−４−３．主経路から副経路への切り替え
図２９ａに、主経路から副経路への切り替えにおけるＡＧＷの処理の一例を示す。
Ｓ２３１で、ＡＧＷは、ＢＳからメッセージ２０２を受信する。ＢＳからのメッセージ２０２を受信したＡＧＷは、メッセージ２０２に含まれるＭＳＩＤ及びｓｕｂ  ＢＳＩＤから、該ＭＳが主経路から副経路への切り替えを要求していることを知る。
Ｓ２３２で、ＡＧＷは、メッセージ２０３に含めるｎｅｗ  ｍａｉｎ  ＢＳＩＤに、ｓｕｂ  ＢＳＩＤの値をそのまま設定する。
Ｓ２３３で、ＡＧＷは、メッセージ２０２に含まれるｓｕｂ  ＢＳＩＤに対応するＢＳへメッセージ２０３を送信する。
Ｓ２３４で、ＡＧＷは、メッセージ２０２に含まれるｓｕｂ  ＢＳＩＤに対応するＢＳとのデータ経路を設定する。
Ｓ２３５で、ＡＧＷは、図５ａを基に、メッセージ２０２に含まれるＭＳＩＤをもつＭＳに関して新たな副経路の候補となるＢＳの数を確認する。新たな副経路として選択可能なＢＳＩＤ  が１個の場合、Ｓ２３６Ｙで、ＡＧＷは、選択可能な唯一のＢＳを副経路として選択し、Ｓ２４７へ進む。
一方、副経路として選択可能なＢＳＩＤ  が２個以上の場合、Ｓ２３６Ｎへ進む。
新たな副経路の選択に品質も考慮に入れる場合、Ｓ２３６Ｎで、ＡＧＷは該ＢＳに対応するＰｏｌｉｃｙがメモリ部に設定されているかどうかを判断する。
該ＢＳに対応するＰｏｌｉｃｙがＡＧＷのメモリ部内に設定されていない場合、Ｓ２３７で、ＡＧＷはＰＣＲＦへメッセージ２０５を送信し、該ＢＳのＰｏｌｉｃｙを送信するように要求する。
一方、該ＢＳに対応するＰｏｌｉｃｙがＡＧＷのメモリ部内に設定されている場合、Ｓ２３７からＳ２３９は省略され、Ｓ２４０で、ＡＧＷはメモリ部から引き出した該ＢＳのＰｏｌｉｃｙと、メモリ部から引き出した該ＢＳのＢＳ  ｐｒｏｆｉｌｅに含まれる情報と、メッセージ２０２内のＭＳ  ｐｒｏｆｉｌｅに含まれる情報に基づいて図８及び図９を作成する。図８及び図９が既にＡＧＷのメモリ内に保存されている場合、Ｓ２４０は省略可能である。
また、そもそも主経路の選択に品質を考慮に入れない場合、Ｓ２３６からＳ２４２は省略され、（Ｒｒｓｕｂ）ｎが最大のＢＳを新たな副経路として選択してもよい。
Ｓ２３８で、ＡＧＷはタイマ２を起動し、ＰＣＲＦから該ＢＳのＰｏｌｉｃｙを含むメッセージ２０６−１が送信されるのを待つ。
Ｓ２３９で、ＰＣＲＦからメッセージ２０６−１を受信する前にタイマ２が満了した場合、ＡＧＷは再びＳ２３７に戻って、メッセージ２０５をＰＣＲＦへ再送する。
タイマ２が満了する前にＰＣＲＦからメッセージ２０６−１を受信した場合、Ｓ２４０で、ＡＧＷはメッセージ２０６−１内に含まれる該ＢＳのＰｏｌｉｃｙと、メモリ部から引き出した該ＢＳのＢＳ  ｐｒｏｆｉｌｅに含まれる情報と、メッセージ２０２内のＭＳ  ｐｒｏｆｉｌｅに含まれる情報に基づいて図８及び図９を作成する。
Ｓ２４１で、ＡＧＷは、式３の各パラメータに図８及び図９の値を代入し、品質に基づく経路の評価指標（ＲＱｏＳ）ｎを、図６のＴ２１のＢＳＩＤを持つ全てのＢＳについてそれぞれ計算する。
［式３］
（ＲＱｏＳ）ｎ＝Ｐｎ（ｗＥＥｎ＋ｗＴＴｎ＋ｗＭＭｎ）
前記式３中、ｎは経路のインデックスである。
（ＲＱｏＳ）ｎは該経路の品質に基づく評価であり、値が大きいほど該経路の品質が高いことを示す。
Ｐｎは該ＢＳがデータ経路として選択される優先度を示すポリシー情報（ＢＳの使用に関する重み付け）を示し、値を大きくすることにより優先度を高くできる。
ＥｎはＭＳと該ＢＳとの間の有効データ転送率を示す。ＥｎはＭＳの無線信号受信強度などに依存する。
Ｔｎは該ＢＳの通信可能時間を示す。ＴｎはＢＳのバッテリー残量やＢＳの利用契約内容などに依存する。
Ｍｎは該ＢＳの移動度を示す。ＭｎはＢＳが固定されているか移動するかなどに依存する。
ｗＥは、Ｅｎに対する重み付けのパラメータを示す。
ｗＴは、Ｔｎに対する重み付けのパラメータを示す。
ｗＭは、Ｍｎに対する重み付けのパラメータを示す。
また、上記Ｔｎは、該ＢＳに通信可能時間を設定しない場合は省略可能であり、上記Ｍｎは、該ＢＳが移動しない場合は省略可能である。
Ｓ２４２で、ＡＧＷはメモリ部から引き出した該ＢＳのＰｏｌｉｃｙに基づいて図１０を作成する。図１０が既にＡＧＷのメモリ内に保存されている場合、Ｓ２４２は省略可能である。
Ｓ２４３で、ＡＧＷは、新たに主経路として選択されたＢＳの情報を図５ａから引き出し、引き出した該ＢＳの情報とメッセージ２０２内のＭＳ  ｐｒｏｆｉｌｅに含まれる情報に基づいて図７を作成する。ただし、ここではＢＳ４−２が新たな主経路として選択された場合の例を挙げているのに対して、図７はＢＳ４−１が主経路として選択された場合の例を示しているため、その点は異なる。
Ｔ３１（ｍａｉｎ  ＢＳＩＤ）は、主経路として選択されたＢＳＩＤである。
Ｔ３２（ｓｕｂ  ＢＳＩＤ）は、副経路として選択可能なＢＳのＢＳＩＤであり、図６のＴ２１で主経路として選択可能なＢＳのＢＳＩＤのうち、Ｓ２１４で主経路として選択されたＢＳを除く全てのＢＳＩＤを参照してＡＧＷが作成する。
Ｔ３３（ΣｒＭＳｍａｉｎ）は、Ｔ３１のＢＳＩＤを持つＢＳを主経路として既に選択している全てのＭＳに関するＭＳが要求する無線リソース量の指標の合計である。Ｔ３１のＢＳＩＤを持つＢＳを主経路として既に選択しているＭＳが一つもいない場合、Ｔ３３は０となる。
Ｔ３４（ΣｒＭＳｓｕｂ）は、Ｔ３１のＢＳＩＤを持つＢＳを主経路として既に選択していて、かつＴ３２のＢＳＩＤを持つＢＳを副経路として既に選択している全てのＭＳに関するＭＳが要求する無線リソース量の指標の合計である。Ｔ３４は、Ｔ３１のＢＳＩＤを持つＢＳを主経路として選択していて、かつＴ３２のＢＳＩＤを持つＢＳを副経路として既に選択しているＭＳについて、ＡＧＷの処理部が図５ａにおけるＴ１４のｒＭＳを足し合わせて作成する。Ｔ３１のＢＳＩＤを持つＢＳを主経路として既に選択していて、かつＴ３２のＢＳＩＤを持つＢＳを副経路として既に選択しているＭＳが一つもいない場合、Ｔ３４は０となる。
Ｔ３５（ｒＢＳｍａｘ）はＴ３２のＢＳＩＤを持つＢＳが許容できる無線リソース量の上限値の指標である。
Ｔ３６（Ｒｒｓｕｂ）は、Ｔ３２のＢＳＩＤを持つＢＳの残存無線リソース量に基づく副経路としての評価指標である。Ｔ３６は、Ｔ３３およびＴ３４およびＴ３５およびＴ３７（ｒＭＳｎｅｗ）を用いて、Ｓ２４４で式２に基づいて計算され、ＡＧＷはその情報をメモリ部に保存する。Ｔ３６の値が大きいほど、ＢＳの残存無線リソース量に余裕があることを示す。
Ｔ３７（ｒＭＳｎｅｗ）は、経路設定の要求を出してきたＭＳが要求する無線リソース量の指標であり、メッセージ２０２内のＭＳ  ｐｒｏｆｉｌｅに含まれる。
Ｓ２４４で、ＡＧＷは、式２の各パラメータに図７の値を代入し、ＢＳの残存リソース量に基づく副経路の評価指標（Ｒｒｓｕｂ）ｎを、図７のＴ３２のＢＳＩＤを持つ全てのＢＳについてそれぞれ計算する。ＡＧＷは、計算された値を、必要に応じて、図６に記憶してもよい。
［式２］
（Ｒｒｓｕｂ）ｎ＝（ｒＢＳｍａｘ）ｎ／｛（ΣｒＭＳｍａｉｎ）ｎ＋（ΣｒＭＳｓｕｂ）ｎ＋ｒＭＳｎｅｗ｝
前記式２中、ｎは経路のインデックスである。
（Ｒｒｓｕｂ）ｎは該ＢＳの残存リソースに基づく副経路の評価であり、値が大きいほど主経路のＢＳが使用不能になった場合の該ＢＳの残存リソースに余裕があることを示す。
（ｒＢＳｍａｘ）ｎは該ＢＳが許容できる無線リソース量の上限値の指標であり、ＢＳ自身の性能に依存する。ｒＭＳｎｅｗは経路設定を要求してきたＭＳが要求する無線リソース量の指標である。
（ΣｒＭＳｍａｉｎ）ｎは該ＢＳを主経路として既に使用している全ＭＳに関するＭＳが要求する無線リソース量の指標の総和を示す。
（ΣｒＭＳｓｕｂ）ｎは経路設定要求を出しているＭＳが主経路として選択したＢＳを主経路として既に使用していて、かつ該ＢＳを副経路として既に選択している全ＭＳに関するＭＳが要求する無線リソース量の指標の総和を示す。
また、ＡＧＷのメモリ部の情報として、（Ｒｒｓｕｂ）ｎの下限値を設定しておくことが可能である。ＡＧＷに（Ｒｒｓｕｂ）ｎの下限値が設定されている場合、（Ｒｒｓｕｂ）ｎが下限値を下回っている経路を選択対象から除外するか、もしくは既に副経路または主経路として該ＢＳを選択しているＭＳに対して、副経路または主経路の変更を要求することが可能である。
副経路の選択に品質も考慮に入れる場合、Ｓ２４５で、ＡＧＷは、式５の各パラメータに図７及びＳ２４４の計算結果の値を代入し、ＢＳの残存リソース量及び経路の品質に基づく総合的な副経路の評価指標（Ｒｓｕｂ）ｎを、図７のＴ３２のＢＳＩＤを持つ全てのＢＳについてそれぞれ計算する。ＡＧＷは、計算された値を、必要に応じて、図６に記憶してもよい。
［式５］
（Ｒｓｕｂ）ｎ＝（Ｐｓｕｂ）ｎ（ｗＱｏＳ（ＲＱｏＳ）ｎ＋ｗｒｓｕｂ（Ｒｒｓｕｂ）ｎ）
前記式５中、ｎは経路のインデックスである。
（Ｒｓｕｂ）ｎは該経路の品質及び該ＢＳの残存リソース量に基づく総合的な主経路の評価である。
（Ｐｓｕｂ）ｎは該ＢＳが副経路として選択される優先度を示すポリシー情報（ＢＳの使用に関する重み付け）を示し、値を大きくすることにより優先度を高くできる。
（ＲＱｏＳ）ｎは該経路の品質に基づく経路の評価であり、値が大きいほど該経路の品質が高いことを示す。
（Ｒｒｓｕｂ）ｎは該ＢＳの残存リソースに基づく主経路の評価であり、値が大きいほど該ＢＳの残存リソースに余裕があることを示す。
ｗＱｏＳは、（ＲＱｏＳ）ｎに対する重み付けのパラメータを示す。
ｗｒｓｕｂは、（Ｒｒｓｕｂ）ｎに対する重み付けのパラメータを示す。
副経路の選択に品質を考慮に入れない場合、Ｓ２４５からＳ２４６は省略され、（Ｒｒｓｕｂ）ｎが最大のＢＳを副経路として選択してもよい。
Ｓ２４６で、ＡＧＷはＳ２４５で計算した総合的な副経路の評価指標（Ｒｓｕｂ）ｎが最大のＢＳを副経路として選択する。
また、ＡＧＷのメモリ部の情報として、ＢＳの残存リソース指標に基づく副経路の評価指標（Ｒｒｓｕｂ）ｎの下限値を設定しておくことが可能である。ＡＧＷに（Ｒｒｓｕｂ）ｎの下限値が設定されている場合、副経路として選択されたＢＳの（Ｒｒｓｕｂ）ｎが下限値を下回っていたら、副経路の設定を拒否するか、もしくは既に副経路または主経路として該ＢＳを選択しているＭＳに対して、副経路または主経路の変更を要求することができる。
Ｓ２４７で、ＡＧＷは新たに主経路及び副経路に選択されたＢＳのＢＳＩＤを基に、図５ａを更新する。更新後の図５ａは、例えば図５ｂのようになる。ただし、切り替えのコールフローで挙げている例と、図５ｂで示している例とは異なる。
Ｓ２４８で、ＡＧＷは、経路の設定を要求してきたＭＳのＭＳＩＤ及び新たに副経路に選択されたＢＳのＢＳＩＤをｎｅｗ  ｓｕｂ  ＢＳＩＤとしてメッセージ２０７に設定する。
Ｓ２４９で、ＡＧＷは、新たに副経路に選択されたＢＳへメッセージ２０７を送信する。
アプリケーションごとに経路として選択するＢＳが異なる場合、ＡＧＷはメッセージ２０７にＡＰＬＩＤも含めて送信し、副経路に選択されたＢＳに対し、どのアプリケーションの経路として選択されたかを通知する。
主経路および副経路の設定をゲートウェイ以外の装置で行う場合、経路選択に関する処理は省略される。
【００１６】
２−５．他装置
［本実施の形態のＰＣＲＦの一例］
図４ｂに、本実施の形態で使用するＰＣＲＦの機能ブロック図の一例を示す。
ＡＧＷインタフェース部３１は、ＡＧＷとのインタフェースである。ＡＧＷインタフェース部３１により、ＰＣＲＦはＡＧＷとＩＰパケットの送受信を行う。
メモリ部３２は、送受信するＩＰパケット、ＢＳ  ｐｒｏｆｉｌｅ（ｒＢＳＭａｘ）、ＭＳ  ｐｒｏｆｉｌｅ（ｒＭＳ）、ＱｏＳ  ｐａｒａｍｅｔｅｒｓ  （Ｅ、Ｔ、Ｍ、Ｐ）、ＡＰＬＩＤ、ポリシー（ｗＥ、ｗＴ、ｗＭ、ｗＱｏＳ、ｗｒｍａｉｎ、ｗｒｓｕｂ）、接続するＡＧＷのアドレスなどの情報を、必要に応じてＭＳＩＤや主経路または副経路として選択されたＢＳＩＤと対応付けて管理する。
処理部３３は、メモリ部３２に保持される情報の管理、ＩＰパケットの構築・解析などのＩＰパケット送受信処理などを行う。
［本実施の形態のＰＣＲＦの処理の一例］
図１９ｂに、主経路及び副経路の設定におけるＰＣＲＦの処理の一例を示す。
Ｓ３０１で、ＰＣＲＦは、ＡＧＷからのメッセージ１０３を受信する。
Ｓ３０２で、ＰＣＲＦは、ポリシー情報をメモリ部から引き出す。
ＭＳごとにポリシー情報が異なる場合、ＰＣＲＦはメッセージ１０３内に含まれるＭＳＩＤを基に、対応するポリシー情報をメモリ部から引き出す。
また、ＭＳが起動したアプリケーションごとにポリシー情報が異なる場合、ＰＣＲＦはメッセージ１０３内に含まれるＡＰＬＩＤを基に、対応するポリシー情報をメモリ部から引き出す。
また、ＰやＭなどのＢＳごとに異なるパラメータがポリシー情報に含まれる場合、ＰＣＲＦはメッセージ１０３内に含まれるａｌｌ  ａｖａｉｌａｂｌｅ  ＢＳＩＤｓを基に、対応するポリシー情報をメモリ部から引き出す。
ＡＧＷからのメッセージ１０３を受信したＰＣＲＦは、Ｓ３０３で、メモリ部から引き出したポリシー情報をメッセージ１０４−１に含めて、メッセージ１０３の送信元であるＡＧＷへ送信する。ＰＣＲＦは、ポリシー情報に含まれるＷｅｉｇｈｔをメッセージ１０４−１に含める。ＷｅｉｇｈｔがＡＰＬＩＤまたはＭＳＩＤによって異なる場合、ＰＣＲＦはメッセージ１０３に含まれるＡＰＬＩＤまたはＭＳＩＤに対応するＷｅｉｇｈｔをメッセージ１０４−１に含める。
図２９ｂに、主経路から副経路への切り替えにおけるＰＣＲＦの処理の一例を示す。
Ｓ３１１で、ＰＣＲＦは、ＡＧＷからのメッセージ２０５を受信する。
Ｓ３１２で、ＰＣＲＦは、ポリシー情報をメモリ部から引き出す。
ＭＳごとにポリシー情報が異なる場合、ＰＣＲＦはメッセージ２０５内に含まれるＭＳＩＤを基に、対応するポリシー情報をメモリ部から引き出す。
また、ＭＳが起動したアプリケーションごとにポリシー情報が異なる場合、ＰＣＲＦはメッセージ２０５内に含まれるＡＰＬＩＤを基に、対応するポリシー情報をメモリ部から引き出す。
また、ＰやＭなどのＢＳごとに異なるパラメータがポリシー情報に含まれる場合、ＰＣＲＦはメッセージ２０５内に含まれるａｌｌ  ａｖａｉｌａｂｌｅ  ＢＳＩＤｓを基に、対応するポリシー情報をメモリ部から引き出す。
ＡＧＷからのメッセージ２０５を受信したＰＣＲＦは、Ｓ３１３で、メモリ部から引き出したポリシー情報をメッセージ２０６−１に含めて、メッセージ２０５の送信元であるＡＧＷへ送信する。ＰＣＲＦは、ポリシー情報に含まれるＷｅｉｇｈｔをメッセージ２０６−１に含める。ＷｅｉｇｈｔがＡＰＬＩＤまたはＭＳＩＤによって異なる場合、ＰＣＲＦはメッセージ２０５に含まれるＡＰＬＩＤまたはＭＳＩＤに対応するＷｅｉｇｈｔをメッセージ２０６−１に含める。
［本実施の形態のＢＳの一例］
図４ｃに、本実施の形態で使用するＢＳの機能ブロック図の一例を示す。
無線インタフェース部４１は、無線インタフェースである。無線インタフェース部４１により、ＢＳはＭＳとＩＰパケットの送受信を行う。
ＡＧＷインタフェース部４２は、ＡＧＷとのインタフェースである。ＡＧＷインタフェース部４２により、ＢＳはＡＧＷとＩＰパケットの送受信を行う。
メモリ部４３は、送受信するＩＰパケット、ＢＳ  ｐｒｏｆｉｌｅ情報（ｒＢＳＭａｘ）、ＱｏＳ  ｐａｒａｍｅｔｅｒｓ  （Ｅ、Ｔ、Ｍ、Ｐ）、接続するＡＧＷおよびＭＳのアドレスなどの情報を、必要に応じてＭＳＩＤや主経路または副経路として選択されたＢＳＩＤと対応付けて管理する。経路選択がＢＳで行われるアーキテクチャの場合、主経路及び副経路の選択に用いる図５ａ、図８、図９、図１０などの情報がメモリ部に保存される。
処理部４４は、メモリ部４３に保持される情報の管理、ＩＰパケットの構築・解析などのＩＰパケット送受信処理などを行う。経路選択がＢＳで行われる場合、主経路及び副経路の選択の際に与えられた式に基づいた計算などの機能が追加される。
バッテリー部４５は、ＢＳのバッテリーである。ＢＳが常に電力供給されている場合は、バッテリー部４５は省略可能である。
［本実施の形態のＢＳの処理の一例］
図１９ｃに、主経路及び副経路の設定におけるＢＳの処理の一例を示す。
Ｓ４０１で、ＢＳは、ＭＳからのメッセージ１０１を受信する。
ＭＳがメッセージ１０１を他のＢＳへ送信した場合、Ｓ４０１およびＳ４０２は省略される。
メッセージ１０１を受信したＢＳは、Ｓ４０２で、メッセージ１０２にメッセージ１０１で受け取ったＭＳＩＤ及びＭＳ  ｐｒｏｆｉｌｅ及びａｌｌ  ａｖａｉｌａｂｌｅ  ＢＳＩＤｓを含めて、ＡＧＷへ送信する。
また、ＭＳからＡＰＬＩＤを受信した場合は、それもメッセージ１０２に含める。
主経路及び副経路の設定において、ＡＧＷによって副経路として選択されたＢＳは、Ｓ４０３で、ＡＧＷからのメッセージ１０５−１を受信する。
ＡＧＷからのメッセージ１０５−１を受信したＢＳは、Ｓ４０４で、メッセージ内のＭＳＩＤ及びｍａｉｎ  ＢＳＩＤから自身が該ＭＳの主経路のＢＳとして選択されたことを知り、メッセージ１０５−１を送信してきたＡＧＷとのデータ経路を設定する。
Ｓ４０５で、ＢＳは、メッセージ１０５−１に含まれるＭＳＩＤに対応するＭＳへメッセージ１０６−１を送信する。
Ｓ４０６で、ＢＳは、該ＭＳとのデータ経路を設定する。
一方、主経路及び副経路の設定において、ＡＧＷによって副経路として選択されたＢＳは、メッセージ１０５−２を受信し、メッセージ内のＭＳＩＤ及びｓｕｂ  ＢＳＩＤから自身が該ＭＳの副経路のＢＳとして選択されたことを知る。ＢＳが副経路として選ばれたことを意識する必要がない場合、このメッセージは省略可能である。
経路選択をＢＳで行う場合、図１９ａと同様の処理がＢＳで行われる。
図２９ｃに、主経路から副経路への切り替えにおけるＢＳの処理の一例を示す。
Ｓ４１１で、切り替えを行うＭＳの副経路として選択されているＢＳは、ＭＳからのメッセージ２０１を受信する。
メッセージ２０１を受信したＢＳは、Ｓ４１２で、メッセージ２０２にメッセージ２０１で受け取ったＭＳＩＤ及びＭＳ  ｐｒｏｆｉｌｅ及びａｌｌ  ａｖａｉｌａｂｌｅ  ＢＳＩＤｓを含めて、ＡＧＷへ送信する。
また、ＭＳからＡＰＬＩＤを受信した場合は、それもメッセージ２０２に含める。
メッセージ２０２を送信したＢＳは、Ｓ４１３で、ＡＧＷからのメッセージ２０３を受信する。
ＡＧＷからのメッセージ２０３を受信したＢＳは、Ｓ４１４で、メッセージ内のＭＳＩＤ及びｎｅｗ  ｍａｉｎ  ＢＳＩＤから、自身が該ＭＳの新たな主経路のＢＳとして使用されることを知り、メッセージ２０３を送信してきたＡＧＷとのデータ経路を設定する。
Ｓ４１５で、ＢＳは、メッセージ２０３に含まれるＭＳＩＤに対応するＭＳへメッセージ２０４−１を送信する。
Ｓ４１６で、ＢＳは、該ＭＳとのデータ経路を設定する。
一方、主経路から副経路への切り替えにおいて、ＡＧＷによって新たな副経路として選択されたＢＳは、メッセージ２０７を受信し、メッセージ内のＭＳＩＤ及びｎｅｗ  ｓｕｂ  ＢＳＩＤから自身が該ＭＳの副経路のＢＳとして選択されたことを知る。ＢＳが副経路として選ばれたことを意識する必要がない場合、このメッセージは省略可能である。
一方、主経路から副経路への切り替えにおいて、ＡＧＷによって新たな副経路として選択されたＢＳは、Ｓ４１７で、メッセージ２０７を受信し、メッセージ内のＭＳＩＤ及びｎｅｗ  ｓｕｂ  ＢＳＩＤから自身が該ＭＳの新たな副経路として選択されたことを知る。
Ｓ４１８で、ＢＳは、メッセージ２０７に含まれるＭＳＩＤに対応するＭＳへメッセージ２０８を送信する。
経路選択をＢＳで行う場合、図２９ａと同様の処理がＢＳで行われる。
［本実施の形態のＭＳの一例］
図４ｄに、本実施の形態で使用するＭＳの機能ブロック図の一例を示す。
無線インタフェース部６１は、無線インタフェースである。無線インタフェース部６１により、ＭＳはＢＳとＩＰパケットの送受信を行う。
メモリ部６２は、送受信するＩＰパケット、ＭＳ  ｐｒｏｆｉｌｅ（ｒＭＳ）、ＱｏＳ  ｐａｒａｍｅｔｅｒｓ  （Ｅ）、ＡＰＬＩＤ、接続するＢＳのアドレスなどの情報を、必要に応じてＭＳＩＤや主経路または副経路として選択されたＢＳＩＤと対応付けて管理する。経路選択がＭＳで行われる場合、主経路及び副経路の選択に用いる図５ａ、図８、図９、図１０などの情報がメモリ部に保存される。
処理部６３は、メモリ部６２に保持される情報の管理、ＩＰパケットの構築・解析などのＩＰパケット送受信処理などを行う。経路選択がＭＳで行われる場合、主経路及び副経路の選択の際に与えられた式に基づいた計算などの機能が追加される。
バッテリー部６４は、ＭＳのバッテリーである。
［本実施の形態のＭＳの処理の一例］
図１９ｄに、主経路及び副経路の設定におけるＭＳの処理の一例を示す。
Ｓ６０１で、ＭＳは、主経路及び副経路の設定を要求するために、自身が通信可能なＢＳの一つに対してメッセージ１０１を送信する。ＭＳがメッセージ１０１を送信するＢＳは、例えば自身が通信可能なＢＳの中で信号の受信強度が最高のＢＳを選択しても良いし、ランダムに決定してもよい。
ＭＳは、メッセージ１０１に自身のＭＳ  ｐｒｏｆｉｌｅ及びａｌｌ  ａｖａｉｌａｂｌｅ  ＢＳＩＤｓを含める。ＭＳは、ＭＳ  ｐｒｏｆｉｌｅに、ＭＳの要求するリソース量の指標（ｒＭＳｎｅｗ）を設定する。
また、ＭＳは、ＭＳ  ｐｒｏｆｉｌｅに、ＭＳの優先度などの情報を設定することができる。ＭＳの優先度は、ＡＧＷ主導の経路変更要求の際にどのＭＳの経路を変更するか決定する場合や、ＡＧＷ内またはＰＣＲＦ内に設定されているポリシー情報に含まれる、Ｗｅｉｇｈｔを決定する場合に用いることができる。
また、ＭＳはメッセージ１０１にＡＰＬＩＤを含めることもできる。アプリケーションによって経路として選択されるＲＳを変化させない場合、ＡＰＬＩＤは省略可能である。
Ｓ６０２で、ＡＧＷが主経路として選択したＢＳからメッセージ１０６−１を受信したＭＳは、メッセージ１０６−１内のｍａｉｎ  ＢＳＩＤから主経路として選択されたＢＳを知り、メッセージ１０６−１内のｓｕｂ  ＢＳＩＤから副経路として選択されたＢＳを知る。
Ｓ６０３で、メッセージ１０６−１を受信したＭＳは、メッセージ１０６−１内のｍａｉｎ  ＢＳＩＤ及びｓｕｂ  ＢＳＩＤをメモリ部へ保存する。
Ｓ６０４で、メッセージ１０６−１を受信したＭＳは、主経路として選択されたＢＳとのデータ経路を設定し、該ＢＳを主経路として使用する。
経路選択をＭＳで行う場合、図１９ａと同様の処理がＭＳで行われる。
図２９ｄに、主経路から副経路への切り替えにおけるＭＳの処理の一例を示す。
Ｓ６１１で、ＭＳは、主経路から副経路への切り替えを要求するために、メモリ部から副経路のＢＳＩＤを参照し、副経路のＢＳに対してメッセージ２０１を送信する。
また、ＭＳはメッセージ２０１にＭＳが起動するアプリケーションのＡＰＬＩＤを含めることもできる。ＡＰＬＩＤは、経路として選択されるＢＳがアプリケーションによって変化しない場合は省略可能である。
Ｓ６１２で、ＡＧＷが主経路として選択したＢＳからメッセージ２０４−１を受信したＭＳは、メッセージ２０４−１内のｎｅｗ  ｍａｉｎ  ＢＳＩＤから副経路のＢＳが新たに主経路として選択されたことを知る。
Ｓ６１３で、メッセージ２０４−１を受信したＭＳは、メッセージ２０４−１内のｎｅｗ  ｍａｉｎ  ＢＳＩＤをメモリ部へ保存する。
Ｓ６１４で、メッセージ２０４−１を受信したＭＳは、新たな主経路となったＢＳとのデータ経路を設定し、該ＢＳを新たな主経路として使用する。
また、Ｓ６１５で、メッセージ２０８を受信したＭＳは、メッセージ２０８内のｎｅｗ  ｓｕｂ  ＢＳＩＤから新たに副経路として選択されたＢＳのＢＳＩＤを知り、Ｓ６１６で、そのＢＳＩＤをメモリ部へ保存する。
経路選択をＭＳで行う場合、図２９ａと同様の処理がＭＳで行われる。
［本実施の形態のＲＳＦの一例］
図４ｆに、本実施の形態で使用するＲＳＦの機能ブロック図の一例を示す。
ＡＧＷインタフェース部９１は、ＡＧＷとのインタフェースである。ＡＧＷインタフェース部９１により、ＲＳＦはＡＧＷとＩＰパケットの送受信を行う。
メモリ部９２は、送受信するＩＰパケット、ＢＳ  ｐｒｏｆｉｌｅ（ｒＢＳＭａｘ）、ＭＳ  ｐｒｏｆｉｌｅ（ｒＭＳ）、ＱｏＳ  ｐａｒａｍｅｔｅｒｓ  （Ｅ、Ｔ、Ｍ、Ｐ）、ＡＰＬＩＤ、Ｗｅｉｇｈｔ（ｗＥ、ｗＴ、ｗＭ、ｗＱｏＳ、ｗｒｍａｉｎ、ｗｒｓｕｂ）、接続するＰＣＲＦ３およびＢＳ４のアドレスなどの情報を、必要に応じてＭＳＩＤや主経路または副経路として選択されたＢＳＩＤと対応付けて管理する。
処理部９３は、メモリ部２５に保持される情報の管理、ＩＰパケットの構築・解析などのＩＰパケット送受信処理や、主経路及び副経路の選択の際に与えられた式に基づいた計算などを行う。
［本実施の形態のＲＳＦのメモリ部が保持する情報の一例］
ＲＳＦは経路選択に必要な情報として、図５ａ、図８、図９、図１０などの情報を有する。
［本実施の形態のＲＳＦの処理の一例］
主経路及び副経路の設定におけるＲＳＦの処理の一例は、図１９ａと同様になる。
主経路から副経路への切り替えにおけるＲＳＦの処理の一例は、図２９ａと同様になる。
【００１７】
２−６．メッセージフォーマット
［本実施の形態のＭＳからＢＳへ送信されるメッセージフォーマットの一例］
図１２に、本実施の形態の主経路および副経路設定で、ＭＳからＢＳへ送信されるメッセージ１０１のフォーマットの一例を示す。
Ｈｅａｄｅｒ１０１０１は、非特許文献１のＦｉｇｕｒｅ  ５．１．１．３−１に記載されているＬ１  （Ｌａｙｅｒ  １）、ＭＡＣ  （Ｍｅｄｉｕｍ  Ａｃｃｅｓｓ  Ｃｏｎｔｒｏｌ）、ＲＬＣ  （Ｒａｄｉｏ  Ｌｉｎｋ  Ｃｏｎｔｒｏｌ）、ＰＤＣＰ  （Ｐａｃｋｅｔ  Ｄａｔａ  Ｃｏｎｖｅｒｇｅｎｃｅ  Ｐｒｏｔｏｃｏｌ）、ＩＰ  （Ｉｎｔｅｒｎｅｔ  Ｐｒｏｔｏｃｏｌ）の情報を格納する。
ＭＳＩＤフィールド１０１０２は、図１１に示すＴＬＶフォーマットであり、Ｖａｌｕｅフィールド１０００３にＭＳＩＤを設定する。
ＴＬＶフォーマットにおいて、Ｔｙｐｅフィールド１０００１は、Ｖａｌｕｅフィールド１０００３に格納する情報のタイプを示し、Ｌｅｎｇｔｈフィールド１０００２は、Ｖａｌｕｅフィールド１０００３の長さを示す。
ＭＳ  ｐｒｏｆｉｌｅフィールド１０１０３は、図１１に示すＴＬＶフォーマットであり、Ｖａｌｕｅフィールド１０００３にＭＳが要求する無線リソース量の指標などのＭＳのプロファイル情報を設定する。ＭＳのプロファイル情報にはＭＳの優先度を含めてもよい。
ａｌｌ  ａｖａｉｌａｂｌｅ  ＢＳＩＤｓフィールド１０１０４は、図１１に示すＴＬＶフォーマットであり、Ｖａｌｕｅフィールド１０００３に経路の候補となる全てのＢＳのＢＳＩＤを設定する。
ＡＰＬＩＤフィールド１０１０５は、図１１に示すＴＬＶフォーマットであり、Ｖａｌｕｅフィールド１０００３にＭＳが起動するアプリケーションのＡＰＬＩＤを設定する。
図３０に、本実施の形態の主経路から副経路への切り替えで、ＭＳからＢＳへ送信されるメッセージ２０１のフォーマットの一例を示す。
Ｈｅａｄｅｒ２０１０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド２０１０２は、図１１に示すＴＬＶフォーマットであり、Ｖａｌｕｅフィールド１０００３にＭＳＩＤを設定する。
ｓｕｂ  ＢＳＩＤフィールド２０１０３は、図１１に示すＴＬＶフォーマットであり、メモリ部に保存されている副経路のＢＳに対応するＢＳＩＤをＶａｌｕｅフィールド１０００３に設定する。
ＡＰＬＩＤフィールド２０１０４は、図１１に示すＴＬＶフォーマットであり、Ｖａｌｕｅフィールド１０００３にＭＳが起動するアプリケーションのＡＰＬＩＤを設定する。
［本実施の形態のＢＳからＡＧＷへ送信されるメッセージフォーマットの一例］
図１３に、本実施の形態の主経路および副経路設定で、ＢＳからＡＧＷへ送信されるメッセージ１０２のフォーマットの一例を示す。
Ｈｅａｄｅｒ１０２０１は、非特許文献１のＦｉｇｕｒｅ  ５．１．１．２−１に記載されているＬ１、Ｌ２、およびＩＰの情報を格納する。
ＭＳＩＤフィールド１０２０２には、メッセージ１０１で受け取ったＭＳＩＤフィールド１０１０２の値をコピーする。
ＭＳ  ｐｒｏｆｉｌｅフィールド１０２０３には、メッセージ１０１で受け取ったＭＳ  ｐｒｏｆｉｌｅフィールド１０１０３の値をコピーする。
ａｌｌ  ａｖａｉｌａｂｌｅ  ＢＳＩＤｓフィールド１０２０４には、メッセージ１０１で受け取ったａｌｌ  ａｖａｉｌａｂｌｅ  ＢＳＩＤｓフィールド１０１０４の値をコピーする。
ＡＰＬＩＤフィールド１０２０５には、メッセージ１０１で受け取ったＡＰＬＩＤフィールド１０１０５の値をコピーする。
図３１に、本実施の形態の主経路から副経路への切り替えで、ＢＳからＡＧＷへ送信されるメッセージ２０２のフォーマットの一例を示す。
Ｈｅａｄｅｒ２０２０１は、非特許文献１のＦｉｇｕｒｅ  ５．１．１．２−１に記載されているＬ１、Ｌ２、およびＩＰの情報を格納する。
ＭＳＩＤフィールド２０２０２には、メッセージ２０１で受け取ったＭＳＩＤフィールド２０１０２の値をコピーする。
ｓｕｂ  ＢＳＩＤフィールド２０２０３には、メッセージ２０１で受け取ったｓｕｂ  ＢＳＩＤフィールド２０１０３の値をコピーする。
ＡＰＬＩＤフィールド２０２０４には、メッセージ２０１で受け取ったＡＰＬＩＤフィールド２０１０４の値をコピーする。
［本実施の形態のＡＧＷからＰＣＲＦへ送信されるメッセージフォーマットの一例］
図１４に、本実施の形態の主経路および副経路設定で、ＡＧＷからＰＣＲＦへ送信されるメッセージ１０３のフォーマットの一例を示す。
Ｈｅａｄｅｒ１０３０１は、非特許文献１のＦｉｇｕｒｅ  ５．１．１．２−１に記載されているＬ１、Ｌ２、およびＩＰの情報を格納する。
ＭＳＩＤフィールド１０３０２には、メッセージ１０２で受け取ったＭＳＩＤフィールド１０２０２の値をコピーする。
ａｌｌ  ａｖａｉｌａｂｌｅ  ＢＳＩＤｓフィールド１０３０３には、メッセージ１０２で受け取ったａｌｌ  ａｖａｉｌａｂｌｅ  ＢＳＩＤｓフィールド１０２０４の値をコピーする。
ＡＰＬＩＤフィールド１０３０４には、メッセージ１０２で受け取ったＡＰＬＩＤフィールド１０２０５の値をコピーする。
図３４に、本実施の形態の主経路から副経路への切り替えで、ＡＧＷからＰＣＲＦへ送信されるメッセージ２０５のフォーマットの一例を示す。
Ｈｅａｄｅｒ２０５０１は、非特許文献１のＦｉｇｕｒｅ  ５．１．１．２−１に記載されているＬ１、Ｌ２、およびＩＰの情報を格納する。
ＭＳＩＤフィールド２０５０２には、メッセージ２０２で受け取ったＭＳＩＤフィールド２０２０２の値をコピーする。
ａｌｌ  ａｖａｉｌａｂｌｅ  ＢＳＩＤｓフィールド２０５０３には、メッセージ２０２で受け取ったａｌｌ  ａｖａｉｌａｂｌｅ  ＢＳＩＤｓフィールド２０２０４の値をコピーする。
ＡＰＬＩＤフィールド２０５０４には、メッセージ２０２で受け取ったＡＰＬＩＤフィールド２０２０５の値をコピーする。
［本実施の形態のＰＣＲＦからＡＧＷへ送信されるメッセージフォーマットの一例］
図１５に、本実施の形態の主経路および副経路設定で、ＰＣＲＦからＡＧＷへ送信されるメッセージ１０４−１のフォーマットの一例を示す。
Ｈｅａｄｅｒ１０４１１は、非特許文献１のＦｉｇｕｒｅ  ５．１．１．２−１に記載されているＬ１、Ｌ２、およびＩＰの情報を格納する。
ＭＳＩＤフィールド１０４１２には、メッセージ１０３で受け取ったＭＳＩＤフィールド１０３０２の値をコピーする。
ａｌｌ  ａｖａｉｌａｂｌｅ  ＢＳＩＤｓフィールド１０４１３には、メッセージ１０３で受け取ったａｌｌ  ａｖａｉｌａｂｌｅ  ＢＳＩＤｓフィールド１０３０３の値をコピーする。経路選択の際に品質も考慮し、かつポリシーにＱｏＳ  ｐａｒａｍｅｔｅｒｓのＰ、Ｍが含まれる場合、メモリ部から各ＢＳＩＤに対応するＰ、Ｍを引き出し、ａｌｌ  ａｖａｉｌａｂｌｅ  ＢＳＩＤｓフィールド１０４１３に設定する。
Ｗｅｉｇｈｔフィールド１０４１４には、メモリ部に保存されているポリシーから対応するＷｅｉｇｈｔ（ｗＥ、ｗＴ、ｗＭ、ｗＱｏＳ、ｗｒｍａｉｎ、ｗｒｓｕｂ）の値を引き出して設定する。
ＡＰＬＩＤフィールド１０４１５には、メッセージ１０３で受け取ったＡＰＬＩＤフィールド１０３０４の値をコピーする。
図３５に、本実施の形態の主経路から副経路への切り替えで、ＰＣＲＦからＡＧＷへ送信されるメッセージ２０６−１のフォーマットの一例を示す。
Ｈｅａｄｅｒ２０６１１は、非特許文献１のＦｉｇｕｒｅ  ５．１．１．２−１に記載されているＬ１、Ｌ２、およびＩＰの情報を格納する。
ＭＳＩＤフィールド２０６１２には、メッセージ２０５で受け取ったＭＳＩＤフィールド２０５０２の値をコピーする。
ａｌｌ  ａｖａｉｌａｂｌｅ  ＢＳＩＤｓフィールド２０６１３には、メッセージ２０５で受け取ったａｌｌ  ａｖａｉｌａｂｌｅ  ＢＳＩＤｓフィールド２０５０３の値をコピーする。経路選択の際に品質も考慮し、かつポリシーにＱｏＳ  ｐａｒａｍｅｔｅｒｓのＰ、Ｍが含まれる場合、メモリ部から各ＢＳＩＤに対応するＰ、Ｍを引き出し、ａｌｌ  ａｖａｉｌａｂｌｅ  ＢＳＩＤｓフィールド２０６１３に設定する。
Ｗｅｉｇｈｔフィールド２０６１４には、メモリ部に保存されているポリシーから対応するＷｅｉｇｈｔ（ｗＥ、ｗＴ、ｗＭ、ｗＱｏＳ、ｗｒｍａｉｎ、ｗｒｓｕｂ）の値を引き出して設定する。
ＡＰＬＩＤフィールド２０６１５には、メッセージ２０５で受け取ったＡＰＬＩＤフィールド２０５０４の値をコピーする。
［本実施の形態のＡＧＷからＲＳＦへ送信されるメッセージフォーマットの一例］
本実施の形態の主経路および副経路設定、および主経路から副経路への切り替えで、ＡＧＷからＰＣＲＦへ送信されるメッセージ３０９のフォーマットの一例は、図１５にＭＳ  ｐｒｏｆｉｌｅを追加したものと同様になる。
［本実施の形態のＡＧＷからＢＳへ送信されるメッセージフォーマットの一例］
図１６に、本実施の形態の主経路および副経路設定で、ＡＧＷから主経路として選択されたＢＳへ送信されるメッセージ１０５−１のフォーマットの一例を示す。
Ｈｅａｄｅｒ１０５１１は、非特許文献１のＦｉｇｕｒｅ  ５．１．１．２−１に記載されているＬ１、Ｌ２、およびＩＰの情報を格納する。
ＭＳＩＤフィールド１０５１２には、メッセージ１０２で受け取ったＭＳＩＤフィールド１０２０２の値をコピーする。
ｍａｉｎ  ＢＳＩＤフィールド１０５１３には、ＡＧＷが主経路として選択したＢＳのＢＳＩＤの値を設定する。
ｓｕｂ  ＢＳＩＤフィールド１０５１４には、ＡＧＷが副経路として選択したＢＳのＢＳＩＤの値を設定する。
ＡＰＬＩＤフィールド１０５１５には、メッセージ１０２で受け取ったＡＰＬＩＤフィールド１０２０５の値をコピーする。
図１７に、本実施の形態の主経路および副経路設定で、ＡＧＷから副経路として選択されたＢＳへ送信されるメッセージ１０５−２のフォーマットの一例を示す。
Ｈｅａｄｅｒ１０５２１は、非特許文献１のＦｉｇｕｒｅ  ５．１．１．２−１に記載されているＬ１、Ｌ２、およびＩＰの情報を格納する。
ＭＳＩＤフィールド１０５２２には、メッセージ１０２で受け取ったＭＳＩＤフィールド１０２０２の値をコピーする。
ｓｕｂ  ＢＳＩＤフィールド１０５２３には、ＡＧＷが副経路として選択したＢＳのＢＳＩＤの値を設定する。
ＡＰＬＩＤフィールド１０５２４には、メッセージ１０２で受け取ったＡＰＬＩＤフィールド１０２０５の値をコピーする。
図３２に、本実施の形態の主経路から副経路への切り替えで、ＡＧＷから新たに主経路として使用される副経路のＢＳへ送信されるメッセージ２０３のフォーマットの一例を示す。
Ｈｅａｄｅｒ２０３０１は、非特許文献１のＦｉｇｕｒｅ  ５．１．１．２−１に記載されているＬ１、Ｌ２、およびＩＰの情報を格納する。
ＭＳＩＤフィールド２０３０２には、メッセージ２０２で受け取ったＭＳＩＤフィールド２０２０２の値をコピーする。
ｎｅｗ  ｍａｉｎ  ＢＳＩＤフィールド２０３０３には、メッセージ２０２で受け取ったｓｕｂ  ＢＳＩＤフィールド２０２０３の値を設定する。
ＡＰＬＩＤフィールド２０３０４には、メッセージ２０２で受け取ったＡＰＬＩＤフィールド２０２０４の値をコピーする。
図３６に、本実施の形態の主経路から副経路への切り替えで、ＡＧＷから新たに副経路として選択されたＢＳへ送信されるメッセージ２０７のフォーマットの一例を示す。
Ｈｅａｄｅｒ２０７０１は、非特許文献１のＦｉｇｕｒｅ  ５．１．１．２−１に記載されているＬ１、Ｌ２、およびＩＰの情報を格納する。
ＭＳＩＤフィールド２０７０２には、メッセージ２０２で受け取ったＭＳＩＤフィールド２０２０２の値をコピーする。
ｎｅｗ  ｓｕｂ  ＢＳＩＤフィールド２０７０３には、ＡＧＷが新たに副経路として選択したＢＳのＢＳＩＤの値を設定する。
ＡＰＬＩＤフィールド２０７０４には、メッセージ２０２で受け取ったＡＰＬＩＤフィールド２０２０４の値をコピーする。
［本実施の形態のＢＳからＭＳへ送信されるメッセージフォーマットの一例］
図１８に、本実施の形態の主経路および副経路設定で、ＢＳからＭＳへ送信されるメッセージ１０６−１のフォーマットの一例を示す。
Ｈｅａｄｅｒ１０６１１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド１０６１２には、メッセージ１０２で受け取ったＭＳＩＤフィールド１０２０２の値をコピーする。
ｍａｉｎ  ＢＳＩＤフィールド１０６１３には、メッセージ１０５−１で受け取ったｍａｉｎ  ＢＳＩＤフィールド１０５１３の値をコピーする。
ｓｕｂ  ＢＳＩＤフィールド１０６１４には、メッセージ１０５−１で受け取ったｓｕｂ  ＢＳＩＤフィールド１０５１４の値をコピーする。
ＡＰＬＩＤフィールド１０６１５には、メッセージ１０５−１で受け取ったＡＰＬＩＤフィールド１０５１５の値をコピーする。
図３３に、本実施の形態の主経路から副経路への切り替えで、新たに主経路として使用される副経路のＢＳからＭＳへ送信されるメッセージ２０４−１のフォーマットの一例を示す。
Ｈｅａｄｅｒ２０４１１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド２０４１２には、メッセージ２０３で受け取ったＭＳＩＤフィールド２０３０２の値をコピーする。
ｎｅｗ  ｍａｉｎ  ＢＳＩＤフィールド２０４１３には、メッセージ２０３で受け取ったｎｅｗ  ｍａｉｎ  ＢＳＩＤフィールド２０３０３の値を設定する。
ＡＰＬＩＤフィールド２０４１４には、メッセージ２０３で受け取ったＡＰＬＩＤフィールド２０３０４の値をコピーする。
図３７に、本実施の形態の主経路から副経路への切り替えで、ＡＧＷから新たに副経路として選択されたＢＳへ送信されるメッセージ２０８のフォーマットの一例を示す。
Ｈｅａｄｅｒ２０８０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド２０８０２には、メッセージ２０７で受け取ったＭＳＩＤフィールド２０７０２の値をコピーする。
ｎｅｗ  ｓｕｂ  ＢＳＩＤフィールド２０８０３には、メッセージ２０７で受け取ったｎｅｗ  ｓｕｂ  ＢＳＩＤフィールド２０７０３の値をコピーする。
ＡＰＬＩＤフィールド２０８０４には、メッセージ２０７で受け取ったＡＰＬＩＤフィールド２０７０４の値をコピーする。
【００１８】
３．実施の形態２（中継局）
［実施の形態２：移動局と基地局との間に中継局を介するリレー方式による移動体無線通信システムにおける中継局の残存リソースに基づく主経路および副経路選択の一例］
３−１．システム
［本実施の形態のリレー方式による移動体無線通信システムのアーキテクチャの一例］
本実施の形態は、リレー方式における中継局の選択にも適用可能である。図２ａに本実施の形態が想定しているリレー方式による移動体無線通信システムのアーキテクチャの一例を示す。
ＡＧＷ２はＩＰネットワーク１と接続し、ＢＳ４の残存リソースに基づく主経路及び副経路の選択機能を有し、ＢＳ４と制御信号およびデータのやり取りをする。経路選択をゲートウェイ以外のノードで行う場合、ＡＧＷ２の主経路および副経路の選択機能は省略される。
ＰＣＲＦ３は、選択基準の重み付けなどの情報をポリシー情報として管理し、ＡＧＷ２と制御信号およびデータのやり取りをする。ポリシー情報をＡＧＷ２内に事前設定する場合は、ＰＣＲＦ３は省略可能である。
ＢＳ４は、ＢＳ４の無線通信範囲５内にいるＲＳ７及びＢＳ４の無線通信範囲５内にいるＭＳ６と、制御信号およびデータのやり取りをする。図２ａの場合、例えばＢＳ４−１は、ＡＧＷ２及び無線通信範囲５−１内にいるＲＳ７−１及びＭＳ６−３及びＭＳ６−５及びＭＳ６−８と、それぞれデータのやり取りが可能である。経路選択をＢＳ４で行う場合、ＢＳ４はＲＳ７の残存リソースに基づく主経路および副経路の選択機能を有する。
ＭＳ６は、無線通信可能なＢＳ４および無線通信可能なＲＳ７と、制御信号およびデータのやり取りをする。図２ａの場合、例えばＭＳ６−９はＢＳ４−２及びＲＳ７−２及びＲＳ７−３と、それぞれデータのやり取りが可能である。経路選択をＭＳ６で行う場合、ＭＳ６はＲＳ７の残存リソースに基づく主経路および副経路の選択機能を有する。
ＲＳ７は、ＲＳ７の無線通信範囲８内にいるＢＳ４及びＲＳ７の無線通信範囲８内にいるＭＳ６と、制御信号およびデータのやり取りをする。図２ａの場合、例えばＲＳ７−１は無線通信範囲８−１内にいるＢＳ４−１及びＭＳ６−１及びＭＳ６−２及びＭＳ６−３及びＭＳ６−４及びＭＳ６−５及びＭＳ６−７及びＭＳ６−８及びＭＳ６−１２と、それぞれデータのやり取りが可能である。
ＲＳＦ９は、ＲＳ７の残存リソースに基づく主経路及び副経路の選択機能を有する外部装置で、ＡＧＷ２と制御信号およびデータの送受信を行う。主経路及び副経路の選択を外部装置以外のノードで行う場合、ＲＳＦ９は省略可能である。
［本実施の形態の移動局が経路として選択可能な中継局の識別子を取得する方法の一例］
図２ａに示されるようなリレー方式による無線システムを前提とする。
ＲＳが自身の中継局識別子（以下、ＲＳＩＤ）を含む信号を報知情報として送信している場合、ＭＳは、ＲＳからの報知情報を受信し、周囲の通信可能なＲＳのＲＳＩＤをメモリ部に保存する。
一方、ＲＳが自身のＲＳＩＤを含む信号を報知情報として送信しない場合、ＭＳから周囲の通信可能なＲＳを問い合わせる方法がある。
ＭＳが周囲の通信可能なＲＳのＲＳＩＤを問い合わせる方法として、以下のような方法が挙げられる。
ＭＳは、周囲の通信可能なＲＳのＲＳＩＤを知るため、周囲の全てのＲＳに対してブロードキャストで自身のＭＳＩＤを含めたメッセージを送信する。
ＭＳからのメッセージを受信したＲＳは、自身のＲＳＩＤを加えたメッセージを該ＭＳへ返信する。
ＲＳからの返信メッセージを受信したＭＳは、メッセージに含まれるＲＳＩＤをメモリ部で記憶し、タイマを設定して他のＲＳからのメッセージを待つ。
タイマで設定した時間内に他のＲＳからのメッセージを受信した場合、ＭＳはメッセージ内に含まれるＲＳＩＤをメモリ部に保存し、タイマを再設定する。
タイマで設定した時間内に他のＲＳからのメッセージを受信しなかった場合、ＭＳはそれまでに受信した全てのＲＳＩＤを周囲の通信可能なＲＳのＲＳＩＤとしてメモリ部に保存する。
また、ＭＳが周囲の通信可能なＲＳのＲＳＩＤを問い合わせるための別の方法として、以下のような方法が挙げられる。
ＭＳは、周囲の通信可能なＲＳのＲＳＩＤを知るため、周囲の全てのＲＳに対してブロードキャストで自身のＭＳＩＤを含めたメッセージを送信する。
ＭＳからのメッセージを受信したＲＳは、自身のＲＳＩＤを加えたメッセージをＢＳへ送信する。
ＲＳからのメッセージを受信したＢＳは、ＲＳから受信したメッセージをＡＧＷへ転送する。
ＢＳからのメッセージを受信したＡＧＷは、メッセージに含まれるＭＳＩＤ、ＲＳＩＤ、ＢＳＩＤをメモリ部で記憶し、タイマを設定してＢＳからの他のメッセージを待つ。
タイマで設定した時間内にＢＳからの他のメッセージを受信した場合、ＡＧＷはメッセージ内に含まれるＭＳＩＤを確認して同一ＭＳからの要求であれば、そのＲＳＩＤ、ＢＳＩＤもメモリ部に保存し、タイマを再設定する。
タイマで設定した時間内にＢＳからの他のメッセージを受信しなかった場合、ＡＧＷはそれまでに受信したＲＳＩＤを全てメッセージに含めて、どれか一つのＲＳＩＤに対応するＲＳへメッセージを送信するため、対応するＢＳを経由してＲＳへメッセージを送信する。メッセージをどのＲＳへ送信するかは、ＡＧＷ内の該ＲＳ情報に含まれるＲＳ  ｐｒｏｆｉｌｅを参照して通信環境の良好なＲＳを選択しても良いし、ランダムに選んでも良い。
ＡＧＷからのメッセージをＢＳ経由で受信したＲＳは、メッセージ内のＭＳＩＤに基づき該ＭＳへメッセージ送信する。
ＲＳからのメッセージを受信したＭＳは、メッセージに含まれる全てのＲＳＩＤを周囲の通信可能なＲＳのＲＳＩＤとしてメモリ部に保存する。
［本実施の形態の中継局が持つ中継局のプロファイル情報を経路選択機能を有する装置へ通知する方法の一例］
ＡＧＷが経路選択機能を有するケースについて説明する。
図２ａに示されるようなリレー方式による無線システムを前提とする。
ＡＧＷで主経路および副経路を選択する際に用いるパラメータのうちのいくつかは、ＲＳのプロファイル情報（以下、ＲＳ  ｐｒｏｆｉｌｅ）として事前にＡＧＷに通知しておくことが可能である。
ＲＳ  ｐｒｏｆｉｌｅに含まれる情報としては、ＲＳが許容できる無線リソース量の上限値の指標であるｒＲＳｍａｘが挙げられる。ｒＲＳｍａｘは、ＡＧＷがＲＳの残存リソースに基づく主経路および副経路の選択を行う際に用いられる。
また、ＡＧＷが主経路および副経路の選択を行う際に、ＲＳの残存リソース以外に品質も考慮する場合、品質に基づく経路選択に用いるパラメータ（以下、ＲＳ  ＱｏＳ  ｐａｒａｍｅｔｅｒｓ）として、ＭＳ−ＲＳ−ＢＳ間の有効データ転送率（以下、ＥＲＳ）、ＲＳの通信可能時間の残量（以下、ＴＲＳ）、ＲＳの移動度（以下、ＭＲＳ）、ＲＳの使用優先度（以下、ＰＲＳ）などをＲＳ  ｐｒｏｆｉｌｅに含めることができる。
ＥＲＳは、ＭＳ−ＲＳ間の有効データ転送率であり、ＭＳの無線信号受信強度などに依存する。
ＴＲＳは、ＲＳの通信可能時間を示す。ＴＲＳはＲＳのバッテリー残量やＲＳの利用契約内容などに依存する。ＴＲＳはＲＳに通信可能時間を設定しない場合は省略可能である。
ＭＲＳは、ＲＳの移動度であり、ＲＳが固定かノマディックかポータブルかモバイルかといったＲＳの形態を示す値である。ＲＳの形態が一意に定まる場合、ＭＲＳは省略可能である。
ＰＲＳは、ＲＳの優先度であり、例えば警察や消防が所有するＲＳの優先度を低く設定することで第３者のデータ経路として使用されるのを防ぐことができる。また、例えば、あるＲＳに高い優先度を設定することで、該ＲＳに第三者のデータ経路となることに対するインセンティブを与えることができる。
ＲＳが自身のＲＳ  ｐｒｏｆｉｌｅをＡＧＷに通知する契機としては、ＲＳ内に設定されたタイマが満了したときや、ＲＳ  ｐｒｏｆｉｌｅ情報に変化が生じたとき、ＡＧＷまたはＭＳからＲＳ  ｐｒｏｆｉｌｅを通知するように要求されたときなどが挙げられる。また、ＲＳが移動する場合は、ＲＳがエリアを更新する場合などもＲＳ  ｐｒｏｆｉｌｅをＡＧＷに通知する契機となりうる。
ＲＳがＲＳ  ｐｒｏｆｉｌｅをＡＧＷに通知する方法として、以下のような方法が挙げられる。
ＲＳ  ｐｒｏｆｉｌｅを通知するＲＳは、自身のＲＳＩＤおよびＲＳ  ｐｒｏｆｉｌｅを含むメッセージをＢＳ経由でＡＧＷへ送信する。ＲＳが前回通知したＲＳ  ｐｒｏｆｉｌｅを記憶している場合、前回通知したＲＳ  ｐｒｏｆｉｌｅとの差分のみを通知することも可能である。
ＲＳからのメッセージをＢＳ経由で受信したＡＧＷは、ＲＳ  ｐｒｏｆｉｌｅを基に図５ａを作成または更新する。ＡＧＷが主経路および副経路の選択を行う際に、ＲＳの残存リソース以外に品質も考慮する場合、ＲＳ  ｐｒｏｆｉｌｅにＲＳ  ＱｏＳ  ｐａｒａｍｅｔｅｒｓが含まれていたときは、図８を作成または更新する。
ＡＧＷは、ＲＳ  ｐｒｏｆｉｌｅを通知してきたＲＳへＢＳ経由でメッセージを送信する。
ＡＧＷからのメッセージをＢＳ経由で受け取ったＲＳは、ＲＳ  ｐｒｏｆｉｌｅがＡＧＷに通知されたことを知る。
ゲートウェイ以外の装置が経路選択機能を有する場合も、同様の方法を用いることで、基地局のプロファイル情報を経路選択機能を有する装置へ通知することが可能となる。
【００１９】
３−２．主経路及び副経路設定
［本実施の形態のリレー方式による無線システムの主経路及び副経路設定のコールフローの一例］
主経路及び副経路を設定するノードとして、ゲートウェイ、外部装置、基地局、移動局などの候補が考えられる。
図２１ａにリレー方式による無線システムの主経路及び副経路設定をゲートウェイで行う場合のコールフローの一例を示す。ここでは、図２ａのＭＳ６−１が主経路及び副経路の初期設定を行う場合を例として扱う。
ＭＳは、ステップ３００−１で、自身が通信可能な周囲のＲＳのＲＳＩＤを、前記の方法によって既に知っている。
また、ステップ３００−２で、各ＲＳが持つＲＳ  ｐｒｏｆｉｌｅは、前記の方法によって既にＡＧＷへ通知されている。
ＭＳは、主経路及び副経路の設定を要求するために、自身が通信可能なＲＳの一つに対してメッセージ３０１を送信する。ＭＳがメッセージ３０１を送信するＲＳは、例えば自身が通信可能なＲＳの中で信号の受信強度が最高のＲＳを選択しても良いし、ランダムに決定してもよい。
ＭＳは、メッセージ３０１に自身のＭＳＩＤ及び自身のプロファイル情報及び自身が通信可能な全てのＲＳのＲＳＩＤ（以下、ａｌｌ  ａｖａｉｌａｂｌｅ  ＲＳＩＤｓ）を含める。ＭＳは、ＭＳ  ｐｒｏｆｉｌｅに、ＭＳの要求するリソース量の指標（ｒＭＳｎｅｗ）を設定する。
また、ＭＳは、ＭＳ  ｐｒｏｆｉｌｅに、ＭＳの優先度などの情報を設定することができる。ＭＳの優先度は、ＡＧＷ主導の経路変更要求の際にどのＭＳの経路を変更するか決定する場合や、ＡＧＷ内またはＰＣＲＦ内に設定されているポリシー情報に含まれるＷｅｉｇｈｔを決定する場合に用いることができる。
また、ＭＳはメッセージ３０１にＭＳが起動するアプリケーションのＡＰＬＩＤを含めることもできる。ＡＰＬＩＤは、ＡＧＷ内またはＰＣＲＦ内に設定されているポリシー情報がアプリケーションに依存しない場合は省略可能である。
ＭＳからのメッセージ３０１を受信したＲＳは、ＢＳへメッセージ３０２を送信する。ＲＳは、メッセージ３０２にメッセージ３０１で受け取ったＭＳＩＤ及びＭＳ  ｐｒｏｆｉｌｅ及びａｌｌ  ａｖａｉｌａｂｌｅ  ＲＳＩＤｓをコピーする。
また、ＭＳからＡＰＬＩＤを受信した場合は、それもメッセージに含める。
ＲＳからのメッセージ３０２を受信したＢＳは、ＡＧＷへメッセージ３０３を送信する。ＲＳは、メッセージ３０３にメッセージ３０２で受け取ったＭＳＩＤ及びＭＳ  ｐｒｏｆｉｌｅ及びａｌｌ  ａｖａｉｌａｂｌｅ  ＲＳＩＤｓをコピーする。
また、ＲＳからＡＰＬＩＤを受信した場合は、それもメッセージに含める。
ＢＳからのメッセージ３０３を受信したＡＧＷは、ＰＣＲＦへメッセージ３０４を送信する。メッセージ３０３にＡＰＬＩＤが含まれる場合、ＡＧＷは、メッセージ３０３内のＡＰＬＩＤもメッセージ３０４に含める。
また、ＭＳごとにポリシー情報が異なる場合、ＡＧＷはメッセージ３０３内のＭＳＩＤもメッセージ３０４に含める。
また、ＰＲＳやＭＲＳなどのＲＳごとに異なるパラメータがポリシー情報に含まれる場合、ＡＧＷはメッセージ３０３内のａｌｌ  ａｖａｉｌａｂｌｅ  ＲＳＩＤｓもメッセージ３０４に含める。ＡＧＷ内に必要なポリシー情報を全て持っている場合は、メッセージ３０４を送信せずに、ステップ３０５−２へ進むことが可能である。
ＡＧＷからのメッセージ３０４を受信したＰＣＲＦは、メッセージ３０４内のａｌｌ  ａｖａｉｌａｂｌｅ  ＲＳＩＤｓに含まれるＲＳＩＤを持つＲＳに対応するポリシー情報をメモリ部から引き出す。ＭＳごとにポリシー情報が異なる場合、ＰＣＲＦはメッセージ３０４内に含まれるＭＳＩＤを基に、対応するポリシー情報をメモリ部から引き出す。
また、ＭＳが起動したアプリケーションごとにポリシー情報が異なる場合、ＰＣＲＦはメッセージ３０４内に含まれるＡＰＬＩＤを基に、対応するポリシー情報をメモリ部から引き出す。
また、ＰＲＳやＭＲＳなどのＲＳごとに異なるパラメータがポリシー情報に含まれる場合、ＰＣＲＦはメッセージ３０４内に含まれるａｌｌ  ａｖａｉｌａｂｌｅ  ＲＳＩＤｓを基に、対応するポリシー情報をメモリ部から引き出す。
ＡＧＷからのメッセージ３０４を受信したＰＣＲＦはメモリ部から引き出したポリシー情報をメッセージ３０５−１に含めて、メッセージ３０４の送信元であるＡＧＷへ送信する。ＰＣＲＦは、ポリシー情報に含まれるＷｅｉｇｈｔをメッセージ３０５−１に含める。ＷｅｉｇｈｔがＡＰＬＩＤまたはＭＳＩＤによって異なる場合、ＰＣＲＦはメッセージ３０４に含まれるＡＰＬＩＤまたはＭＳＩＤに対応するＷｅｉｇｈｔをメッセージ３０５−１に含める。
ＰＣＲＦからのメッセージ３０５−１を受信したＡＧＷは、メッセージ３０５−１に含まれるポリシー情報及び、メモリ部から引き出したＲＳ  ｐｒｏｆｉｌｅ及びＭＳ  ｐｒｏｆｉｌｅを基に図２３を作成する。主経路の選択に品質も考慮に入れる場合は、メッセージ３０５−１に含まれるポリシー情報、及びメモリ部から引き出したＲＳ  ｐｒｏｆｉｌｅ及びＭＳ  ｐｒｏｆｉｌｅを基に図２３及び図２５及び図２６及び図２７を作成する。ＡＧＷ内に必要なポリシー情報を全て持っている場合は、メモリ部からポリシー情報を引き出すことも可能である。
ＡＧＷは、ステップ３０５−２で、図２３に基づいて主経路のＲＳを選択する。主経路の選択に品質も考慮に入れる場合、ＡＧＷは、ステップ３０５−２で、図２３及び図２５及び図２６及び図２７に基づいて主経路のＲＳを選択する。主経路選択の具体的な処理は、以降に記載する図５９ａのフローチャートで詳しく説明する。
ＡＧＷは、ステップ３０５−３で、図２３に基づいて図２４を作成し、副経路のＲＳを選択する。副経路の選択に品質も考慮に入れる場合、図２４及び図２５及び図２６及び図２７に基づいて副経路のＲＳを選択する。副経路選択の具体的な処理は以降に記載する図５９ａのフローチャートで詳しく説明する。
ＡＧＷは、ステップ３０５−２で選択した主経路及びステップ３０５−３で選択した副経路に基づき、ステップ３０５−４で、メモリ部に保存された図２２ａを更新し、図２２ｂを作成する。ＡＧＷは、作成した図２２ｂをメモリ部へ保存する。
ＡＧＷは、ステップ３０５−２で選択した主経路及びステップ３０５−３で選択した副経路に基づき、経路の設定を要求してきたＭＳのＭＳＩＤ及び主経路に選択されたＲＳのＲＳＩＤ（以下、ｍａｉｎ  ＲＳＩＤ）及び副経路に選択されたＲＳのＲＳＩＤ（以下、ｓｕｂ  ＲＳＩＤ）をメッセージ３０６−１に含めて主経路に選択されたＲＳに対応するＢＳへ送信し、主経路に選択されたＲＳに対応するＢＳとのデータ経路を設定する。
アプリケーションごとに経路として選択するＲＳが異なる場合、ＡＧＷはメッセージ３０６−１にＡＰＬＩＤも含めて送信し、主経路に選択されたＲＳに対し、どのアプリケーションの経路として選択されたかを通知する。
また、ＡＧＷは、経路の設定を要求してきたＭＳのＭＳＩＤ及びｓｕｂ  ＲＳＩＤをメッセージ３０６−２に含めて、副経路に選択されたＲＳに対応するＢＳへ送信する。アプリケーションごとに経路として選択するＲＳが異なる場合、ＡＧＷはメッセージ３０６−２にＡＰＬＩＤも含めて送信し、副経路に選択されたＲＳに対し、どのアプリケーションの経路として選択されたかを通知する。ＲＳが副経路として選ばれたことを意識する必要がない場合、このメッセージは省略可能である。
メッセージ３０６−１を受信したＢＳは、メッセージ３０６−１を送信してきたＡＧＷとのデータ経路を設定する。そして、メッセージ３０６−１に含まれるｍａｉｎ  ＲＳＩＤに対応するＲＳへメッセージ３０７−１を送信し、該ＲＳとのデータ経路を設定する。
メッセージ３０７−１を受信したＲＳは、メッセージ内のＭＳＩＤ及びｍａｉｎ  ＲＳＩＤから自身が該ＭＳの主経路のＲＳとして選択されたことを知る。主経路に選択されたＲＳは、メッセージ３０７−１を送信してきたＡＧＷとのデータ経路を設定する。そして、メッセージ３０７−１に含まれるＭＳＩＤに対応するＭＳへメッセージ３０８−１を送信し、該ＭＳとのデータ経路を設定する。
メッセージ３０６−２を受信したＢＳは、メッセージ内のｓｕｂ  ＲＳＩＤに対応するＲＳへメッセージ３０７−２を送信する。から自身が該ＭＳの副経路のＲＳとして選択されたことを知る。ＲＳが副経路として選ばれたことを意識する必要がない場合、このメッセージは省略可能である。
メッセージ３０７−２を受信したＲＳは、メッセージ内のＭＳＩＤ及びｓｕｂ  ＲＳＩＤから自身が該ＭＳの副経路のＲＳとして選択されたことを知る。ＲＳが副経路として選ばれたことを意識する必要がない場合、このメッセージは省略可能である。
主経路に選択されたＲＳからメッセージ３０８−１を受信したＭＳは、メッセージ３０８−１内のｍａｉｎ  ＲＳＩＤから主経路として選択されたＲＳを知り、メッセージ３０８−１内のｓｕｂ  ＲＳＩＤから副経路として選択されたＲＳを知る。
メッセージ３０８−１を受信したＭＳは、ステップ３０８−２で、メッセージ３０８−１内のｍａｉｎ  ＲＳＩＤ及びｓｕｂ  ＲＳＩＤをメモリ部へ保存する。
メッセージ３０８−１を受信したＭＳは、ステップ３０８−３で、主経路として選択されたＲＳとのデータ経路を設定し、該ＲＳを主経路として使用する。
リレー方式による無線システムの主経路及び副経路設定を外部装置ＲＳＦで行う場合、図２１ａのコールフローでＡＧＷの経路選択処理をＢＳで代行するケースと同様となる。
図２１ｂにリレー方式による無線システムの主経路及び副経路設定を外部装置ＲＳＦで行う場合のコールフローの一例を示す。ここでは、図２ａのＭＳ６−１が主経路及び副経路の初期設定を行う場合を例として扱う。
図２１ｂのステップ１〜５は、図２１ａのステップ１〜５と同様である。
図２１ｂのステップ６では、ＡＧＷからＲＳＦへメッセージ３０９が送信され、ゲートウェイで経路が設定される場合に必要となる情報が全てＲＳＦへ送られる。
ＲＳＦで行われる主経路および副経路の設定は、図２１ａでゲートウェイが行う主経路および副経路設定のシーケンスと同様である。
図２１ｂのステップ７では、ＲＳＦからＡＧＷへメッセージ３０６−１および３０６−２が送信される。
図２１ｂのステップ８〜１０は、図２１ａのステップ６〜８と同様である。
図２１ｃにリレー方式による無線システムの主経路及び副経路設定を移動局で行う場合のコールフローの一例を示す。ここでは、図２ａのＭＳ６−１が主経路及び副経路の初期設定を行う場合を例として扱う。
図２１ｃのステップ１〜８は、図２１ａのステップ１〜８と同様である。
ＭＳは、メッセージ３０５−１、３０６−１、３０７−１、３０８−１により、又は、他のシーケンスにより、ａｖａｉｌａｂｌｅ  ＲＳＩＤｓのＲＳのプロファイル情報（図２３）を取得する。
ＭＳで行われる主経路および副経路の設定は、図２１ａでゲートウェイが行う主経路および副経路設定のシーケンスと同様である。
図２１ｃのステップ９で、ＭＳからメッセージ３０７−２を受信したＲＳは、メッセージ内のＭＳＩＤ及びｓｕｂ  ＲＳＩＤから自身が該ＭＳの副経路のＲＳとして選択されたことを知る。ＲＳが副経路として選ばれたことを意識する必要がない場合、このメッセージは省略可能である。
【００２０】
３−３．主経路から副経路への切り替え
［本実施の形態のリレー方式による無線システムの主経路から副経路への切り替えのコールフローの一例］
図２８ａに、リレー方式による無線システムの主経路及び副経路設定をゲートウェイで行う場合の、主経路から副経路への切り替えのコールフローの一例を示す。主経路から副経路への切り替えが発生するケースとしては、例えば、主経路として選択していたＲＳの無線通信範囲外へＭＳが移動した場合（図２ｂ）や、主経路として選択していたＢＳが使用不能になった場合（図２ｃ）などが考えられる。例えば、図２ｂのＭＳ６−１が主経路として使用していたＲＳ７−１との接続を断ち、副経路として選択していたＲＳ７−２を新たな主経路として接続し、新たな副経路としてＲＳ７−３を選択する場合を例として扱う。
ステップ４００で、ＭＳは、データ経路を主経路から副経路へ切りかえる必要があることを検知する。
主経路から副経路への切り替えを行うＭＳは、メモリ部から既に副経路として決定しているＲＳのＲＳＩＤ（ｓｕｂ  ＲＳＩＤ）を引き出し、自身のＭＳＩＤ及びｓｕｂ  ＲＳＩＤをメッセージ４０１に含めて、ｓｕｂ  ＲＳＩＤに対応するＲＳへ送信する。アプリケーションごとに経路を設定する場合、ＭＳは、ＡＰＬＩＤもメッセージ４０１に含める。
ＭＳからのメッセージ４０１を受信したＲＳは、ＢＳへメッセージ４０２を送信する。
ＲＳからのメッセージ４０２を受信したＢＳは、ＡＧＷへメッセージ４０３を送信する。
ＲＳからのメッセージ４０３を受信したＡＧＷは、メッセージ４０３に含まれるＭＳＩＤ及びｓｕｂ  ＲＳＩＤから、該ＭＳが主経路から副経路への切り替えを要求していることを知る。ＡＧＷは、メッセージ４０４に含めるｎｅｗ  ｍａｉｎ  ＢＳＩＤに、ｓｕｂ  ＢＳＩＤの値をそのまま設定し、メッセージ４０３に含まれるｓｕｂ  ＢＳＩＤに対応するＢＳへメッセージ４０４を送信する。ＡＧＷは、メッセージ４０３に含まれるｓｕｂ  ＢＳＩＤに対応するＢＳとのデータ経路を設定する。ＡＧＷは、メッセージ４０４送信後、直ちにメッセージ４０７を送信する。メッセージ４０７送信以降の手順は後述する。
ＡＧＷからのメッセージ４０４を受信したＢＳは、メッセージ４０４内のｓｕｂ  ＲＳＩＤに対応するＲＳへメッセージ４０５を送信し、ＡＧＷおよびＲＳとのデータ経路を設定する。
ＢＳからのメッセージ４０５を受信したＲＳは、メッセージ４０５内のＭＳＩＤ及びｎｅｗ  ｍａｉｎ  ＲＳＩＤから、自身が該ＭＳの主経路として選択されたことを知る。新たに主経路として選択されたＲＳは、メッセージ４０５を送信してきたＢＳとのデータ経路を設定する。そして、メッセージ４０５に含まれるＭＳＩＤに対応するＭＳへメッセージ４０６−１を送信し、該ＭＳとのデータ経路を設定する。
メッセージ４０６−１を受信したＭＳは、メッセージ４０６−１内のｎｅｗ  ｍａｉｎ  ＲＳＩＤをメモリ部へ保存する。
メッセージ４０６−１を受信したＭＳは、ステップ４０４−２で、主経路として選択されたＲＳとのデータ経路を設定し、該ＲＳを主経路として使用する。
一方、メッセージ４０４を送信したＡＧＷは、ＰＣＲＦへメッセージ４０７を送信する。メッセージ４０３にＡＰＬＩＤが含まれる場合、ＡＧＷは、メッセージ４０３内のＡＰＬＩＤもメッセージ４０７に含める。
また、ＭＳごとにポリシー情報が異なる場合、ＡＧＷはメッセージ４０３内のＭＳＩＤもメッセージ４０７に含める。
また、ＰやＭなどのＲＳごとに異なるパラメータがポリシー情報に含まれる場合、ＡＧＷはメモリ部内の図２２ａを基に作成したａｌｌ  ａｖａｉｌａｂｌｅ  ＲＳＩＤｓもメッセージ４０７に含める。
なお、ＡＧＷ内に必要なポリシー情報を全て持っている場合は、メッセージ４０７を送信せずに、ステップ４０８−２へ進むことが可能である。
ＡＧＷからのメッセージ４０７を受信したＰＣＲＦは、対応するポリシー情報をメモリ部から引き出す。
ＭＳごとにポリシー情報が異なる場合、ＰＣＲＦはメッセージ４０７内に含まれるＭＳＩＤを基に、対応するポリシー情報をメモリ部から引き出す。
また、ＭＳが起動したアプリケーションごとにポリシー情報が異なる場合、ＰＣＲＦはメッセージ４０７内に含まれるＡＰＬＩＤを基に、対応するポリシー情報をメモリ部から引き出す。
ＰＣＲＦは、メモリ部から引き出したポリシー情報をメッセージ４０８−１に含めてＡＧＷへ送信する。
ＰＣＲＦからのメッセージ４０８−１を受信したＡＧＷは、ステップ４０８−２で、図２２ａに基づいて図２４を作成し、新たな副経路のＲＳを選択する。副経路の選択に品質も考慮に入れる場合、図２４及び図２５及び図２６及び図２７に基づいて副経路のＲＳを選択する。副経路選択の具体的な処理は、以降に記載する図５９ａのフローチャートで詳しく説明する。
ＡＧＷは、ステップ４０８−２で選択した副経路に基づき、ステップ４０８−３で、メモリ部に保存された図５ａを更新し、更新した図５ａをメモリ部へ保存する。
ＡＧＷは、ステップ４０８−２で選択した副経路に基づき、経路の設定を要求してきたＭＳのＭＳＩＤ及び新たに副経路に選択されたＲＳのＲＳＩＤをｎｅｗ  ｓｕｂ  ＲＳＩＤとしてメッセージ４０９に含めて、新たに副経路に選択されたＲＳに対応するＢＳへ送信する。
アプリケーションごとに経路として選択するＲＳが異なる場合、ＡＧＷはメッセージ４０９にＡＰＬＩＤも含めて送信し、副経路に選択されたＲＳに対し、どのアプリケーションの経路として選択されたかを通知する。
ＡＧＷからのメッセージ４０９を受信したＢＳは、メッセージ４０９内のｎｅｗ  ｓｕｂ  ＲＳＩＤに対応するＲＳへメッセージ４１０を送信する。
ＢＳからのメッセージ４１０を受信したＲＳは、メッセージ４１０内のＭＳＩＤに対応するＭＳへメッセージ４１１を送信する。
新たに副経路に選択されたＲＳからメッセージ４１１を受信したＭＳは、メッセージ４１１内のｎｅｗ  ｓｕｂ  ＲＳＩＤから新たに副経路として選択されたＲＳを知る。
メッセージ４１１を受信したＭＳは、メッセージ４１１内のｎｅｗ  ｓｕｂ  ＲＳＩＤをメモリ部へ保存する。
リレー方式による無線システムの主経路から副経路への切り替えを基地局で行う場合、主経路から副経路への切り替えのコールフローは、図２８ａのＡＧＷで行われる経路選択処理をＢＳが代行するケースと同様になる。
図２８ｂにリレー方式による無線システムの主経路から副経路への切り替えを外部装置ＲＳＦで行う場合の、主経路から副経路への切り替えのコールフローの一例を示す。ここでは、図２ａのＭＳ６−１が主経路として使用していたＲＳ７−１との接続を断ち、副経路として選択していたＲＳ７−２を新たな主経路として接続し、新たな副経路としてＲＳ７−３を選択する場合を例として扱う。
図２８ｂのステップ１〜３は、図２８ａのステップ１〜３と同様である。
図２８ｂのステップ４〜５は、図２８ａのステップ７〜８と同様である。
図２８ｂのステップ６は、図２１ｂのステップ６と同様である。
図２８ｂのステップ７では、ＲＳＦからＡＧＷへメッセージ４０４が送信される。
図２８ｂのステップ８〜１０は、図２８ａのステップ４〜６と同様である。
ＲＳＦで行われる新たな副経路の設定は、図２８ａでゲートウェイが行う新たな副経路設定のシーケンスと同様である。
図２８ｂのステップ１１では、ＲＳＦからＡＧＷへメッセージ４０９が送信される。
図２８ｂのステップ１２〜１４は、図２８ａのステップ９〜１２と同様である。
図２８ｃにリレー方式による無線システムの主経路から副経路への切り替えを移動局で行う場合の、主経路から副経路への切り替えのコールフローの一例を示す。ここでは、図２ａのＭＳ６−１が主経路として使用していたＲＳ７−１との接続を断ち、副経路として選択していたＲＳ７−２を新たな主経路として接続し、新たな副経路としてＲＳ７−３を選択する場合を例として扱う。
図２８ｃのステップ１〜３は、図２８ａのステップ１〜３と同様である。
図２８ｃのステップ４〜５は、図２８ａのステップ７〜８と同様である。
図２８ｃのステップ６〜８は、図２８ａのステップ４〜６と同様である。
ＭＳは、メッセージ４０４、４０５、４０６−１により、又は、他のシーケンスにより、ａｖａｉｌａｂｌｅ  ＲＳＩＤｓのＲＳのプロファイル情報（図２３）を取得する。
ＭＳで行われる新たな副経路の設定は、図２８ａでゲートウェイが行う新たな副経路設定のシーケンスと同様である。
図２８ｃのステップ９で、ＭＳからメッセージ４１１を受信したＲＳは、メッセージ内のＭＳＩＤ及びｎｅｗ  ｓｕｂ  ＲＳＩＤから自身が該ＭＳの新たな副経路のＲＳとして選択されたことを知る。ＲＳが新たな副経路として選ばれたことを意識する必要がない場合、このメッセージは省略可能である。
図２８ｃのステップ１０で、ＲＳからメッセージ４１０を受信したＢＳは、メッセージ内のＭＳＩＤ及びｎｅｗ  ｓｕｂ  ＲＳＩＤから該ＭＳの新たな副経路として選択されたＲＳを知る。ＢＳが新たな副経路として選ばれたＲＳを知る必要がない場合、このメッセージは省略可能である。
図２８ｃのステップ１１で、ＢＳからメッセージ４１０を受信したＡＧＷは、メッセージ内のＭＳＩＤ及びｎｅｗ  ｓｕｂ  ＲＳＩＤから該ＭＳの新たな副経路として選択されたＲＳを知る。ＡＧＷが新たな副経路として選ばれたＲＳを知る必要がない場合、このメッセージは省略可能である。
【００２１】
３−４．ＡＧＷ
３−４−１．ハードウェア
［本実施の形態のＡＧＷの一例］
図４ａに、本実施の形態で使用するＡＧＷの機能ブロック図の一例を示す。
ネットワークインタフェース部２１は、ネットワークとのインタフェースである。ネットワークインタフェース部２１により、ＡＧＷはＩＰネットワークとＩＰパケットの送受信を行う。
ＢＳインタフェース部２２は、ＢＳとのインタフェースである。ＢＳインタフェース部２２により、ＡＧＷはＢＳとＩＰパケットの送受信を行う。
ＰＣＲＦインタフェース部２３は、ＰＣＲＦとのインタフェースである。ＰＣＲＦインタフェース部２３により、ＡＧＷはＰＣＲＦとＩＰパケットの送受信を行う。ポリシー情報がＡＧＷ内に設定され、ＰＣＲＦが省略されるアーキテクチャの場合、ＰＣＲＦインタフェース部２３は省略可能である。
ＲＳＦインタフェース部２４は、ＲＳＦとのインタフェースである。ＲＳＦインタフェース部２４により、ＡＧＷはＲＳＦとＩＰパケットの送受信を行う。主経路および副経路の選択がＲＳＦ以外のノードで行われるアーキテクチャの場合、ＲＳＦインタフェース部２４は省略可能である。
メモリ部２５は、送受信するＩＰパケット、ＲＳ  ｐｒｏｆｉｌｅ（ｒＲＳＭａｘ）、ＭＳ  ｐｒｏｆｉｌｅ（ｒＭＳ）、ＱｏＳ  ｐａｒａｍｅｔｅｒｓ  （Ｅ、Ｔ、Ｍ、Ｐ）、ＡＰＬＩＤ、Ｗｅｉｇｈｔ（ｗＥ、ｗＴ、ｗＭ、ｗＱｏＳ、ｗｒｍａｉｎ、ｗｒｓｕｂ）、接続するＰＣＲＦ３およびＢＳ４のアドレスなどの情報を、必要に応じてＭＳＩＤや主経路または副経路として選択されたＲＳＩＤと対応付けて管理する。
処理部２６は、メモリ部２５に保持される情報の管理、ＩＰパケットの構築・解析などのＩＰパケット送受信処理や、主経路及び副経路の選択の際に与えられた式に基づいた計算などを行う。主経路および副経路の選択がゲートウェイ以外の装置で行われるアーキテクチャの場合、主経路及び副経路の選択に関わる処理機能は省略可能である。
［本実施の形態のＡＧＷのメモリ部が保持する情報の一例］
図２２ａに、本実施の形態のＡＧＷのメモリ部が保持する情報の一例を示す。
Ｔ１１１ａ（ｍａｉｎ  ＲＳＩＤ）は、ＲＳの識別子である。
Ｔ１１２ａ（ＭＳＩＤ）は、Ｔ１１１ａのＲＳＩＤを持つＲＳを主経路として既に選択しているＭＳの識別子である。
Ｔ１１３ａ（ｓｕｂ  ＲＳＩＤ）は、Ｔ１１２ａのＭＳＩＤを持つＭＳが副経路として既に選択しているＲＳの識別子である。Ｔ１１２ａのＭＳＩＤを持つＭＳが副経路を持たない場合は、この列は空欄となる。
Ｔ１１４ａ（ｒＭＳ）は、Ｔ１１２ａのＭＳＩＤを持つＭＳが要求している無線リソース量の指標である。Ｔ１１４ａはＴ１１２ａのＭＳが主経路及び副経路の設定をする際に、ＭＳ  ｐｒｏｆｉｌｅ内の情報としてＡＧＷに通知され、ＡＧＷはその情報をメモリ部に保存する。
Ｔ１１５ａ（ΣｒＭＳｍａｉｎ）は、Ｔ１１１ａのＲＳＩＤを持つＲＳを主経路として既に選択している全てのＭＳに関するＭＳが要求する無線リソース量の指標の合計である。Ｔ１１５ａは、Ｔ１１１ａのＲＳＩＤを持つＲＳを主経路として選択しているＭＳについて、ＡＧＷの処理部がＴ１４ａのｒＭＳを足し合わせて作成し、ＡＧＷはその情報をメモリ部に保存する。Ｔ１１ａのＲＳＩＤを持つＲＳを主経路として既に使用しているＭＳがいない場合、Ｔ１１５ａは０となる。
Ｔ１１６ａ（ｒＲＳｍａｘ）はＴ１１１ａのＲＳＩＤを持つＲＳが許容できる無線リソース量の上限値の指標である。Ｔ１１６ａはＴ１１２ａのＭＳが主経路及び副経路の設定をする際に、ＲＳ  ｐｒｏｆｉｌｅ内の情報としてＡＧＷに通知され、ＡＧＷはその情報をメモリ部に保存する。Ｔ１６ａはＴ１２ａのＭＳが主経路及び副経路の設定をする際に、ＲＳ  ｐｒｏｆｉｌｅ内の情報としてＡＧＷに通知され、ＡＧＷはその情報をメモリ部に保存する。
Ｔ１１７ａ（Ｒｒｍａｉｎ）は、Ｔ１１１ａのＲＳＩＤを持つＲＳの残存無線リソース量に基づく主経路としての評価指標である。Ｔ１１７ａは、Ｔ１１５ａに対するＴ１１６ａの比によって計算され、ＡＧＷはその情報をメモリ部に保存する。Ｔ１１７ａの値が大きいほど、ＲＳの残存無線リソース量に余裕があることを示す。
図２５に、本実施の形態のＡＧＷのメモリ部が保持する情報の一例を示す。
Ｔ１４１（ＭＳＩＤ）は、ＭＳの識別子である。
Ｔ１４２（ＲＳＩＤ）は、Ｔ１４１のＭＳＩＤを持つＭＳが通信可能なＲＳのＲＳＩＤである。Ｔ１４２は、Ｔ１４１のＭＳＩＤを持つＭＳが主経路及び副経路の設定をする際にＡＧＷに通知され、ＡＧＷはその情報をメモリ部に保存する。
Ｔ１４３（ＥＲＳ）は、ＭＳ−ＲＳ−ＢＳ間の有効データ転送率である。Ｔ１４３は、Ｔ１４１のＭＳＩＤを持つＭＳが主経路及び副経路の設定をする際、もしくはＲＳがＲＳ  ｐｒｏｆｉｌｅをＡＧＷに通知する際にＡＧＷが受信し、ＡＧＷはその情報をメモリ部に保存する。
Ｔ１４４（ＴＲＳ）は、ＲＳの通信可能時間の残量である。Ｔ１４４は、Ｔ１４１のＭＳＩＤを持つＭＳが主経路及び副経路の設定をする際にＲＳ  ｐｒｏｆｉｌｅ内の情報としてＡＧＷに通知され、ＡＧＷはその情報をメモリ部に保存する。Ｔ１４４はＲＳに通信可能時間を設定しない場合は省略可能である。
Ｔ１４５（ＭＲＳ）は、ＲＳの移動度であり、ＲＳが固定かノマディックかポータブルかモバイルかといったＲＳの形態を示す値である。Ｔ１４５は、Ｔ１４１のＭＳＩＤを持つＭＳが主経路及び副経路の設定をする際にＲＳ  ｐｒｏｆｉｌｅ内の情報としてＡＧＷに通知されるか、またはＰＣＲＦからポリシー情報として配布されるか、またはＡＧＷ内に設定されたポリシー情報内に含まれ、ＡＧＷはその情報をメモリ部に保存する。ＲＳの形態が一意に定まる場合、Ｔ１４５は省略可能である。
Ｔ１４６（ＰＲＳ）は、ＲＳの優先度であり、例えば警察や消防が所有するＲＳの優先度を低く設定することで第３者のデータ経路として使用されるのを防ぐことができる。また、例えば、あるＲＳに高い優先度を設定することで、該ＲＳに第三者のデータ経路となることに対するインセンティブを与えることができる。Ｔ１４６は、Ｔ１４１のＭＳＩＤを持つＭＳが主経路及び副経路の設定をする際にＲＳ  ｐｒｏｆｉｌｅ内の情報としてＡＧＷに通知されるか、またはＰＣＲＦからポリシー情報として配布されるか、またはＡＧＷ内に設定されたポリシー情報内に含まれ、ＡＧＷはその情報をメモリ部に保存する。主経路及び副経路選択の際に品質を考慮しない場合は、図２５は省略可能である。
図２６に、本実施の形態のＡＧＷのメモリ部が保持する情報の一例を示す。
Ｔ１５１（ＭＳＩＤ）は、ＭＳの識別子である。重み付けのパラメータであるＴ１５３（ｗＥＲＳ）及びＴ１５４（ｗＴＲＳ）及びＴ１５５（ｗＭＲＳ）がＭＳによって変化しない場合、Ｔ１５１は省略可能である。
Ｔ１５２（ＡＰＬＩＤ）は、該経路で実行されるアプリケーションの識別子である。重み付けのパラメータであるＴ１５３（ｗＥＲＳ）及びＴ１５４（ｗＴＲＳ）及びＴ１５５（ｗＭＲＳ）がアプリケーションの種別によって変化しない場合、Ｔ１５２は省略可能である。
Ｔ１５３（ｗＥＲＳ）は、ＭＳ−ＲＳ−ＢＳ間の有効データ転送率Ｅに対する重み付けのパラメータである。
Ｔ１５４（ｗＴＲＳ）は、ＲＳの通信可能時間Ｔに対する重み付けのパラメータである。
Ｔ１５５（ｗＭＲＳ）は、ＲＳの移動度Ｍに対する重み付けのパラメータである。
Ｔ１５３及びＴ１５４及びＴ１５５は、Ｔ１５１のＭＳＩＤを持つＭＳが主経路及び副経路の設定をする際にＰＣＲＦからポリシー情報として配布されるか、またはＡＧＷ内に設定されたポリシー情報内に含まれ、ＡＧＷはその情報をメモリ部に保存する。
図２７に、本実施の形態のＡＧＷのメモリ部が保持する情報の一例を示す。
Ｔ１６１（ＭＳＩＤ）は、ＭＳの識別子である。重み付けのパラメータであるＴ１６３（ｗＱｏＳ）及びＴ１６４（ｗｒｍａｉｎ）及びＴ１６５（ｗｒｓｕｂ）がＭＳによって変化しない場合、Ｔ１６１は省略可能である。
Ｔ１６２（ＡＰＬＩＤ）は、該経路で実行されるアプリケーションの識別子である。重み付けのパラメータであるＴ１６３（ｗＱｏＳ）及びＴ１６４（ｗｒｍａｉｎ）及びＴ１６５（ｗｒｓｕｂ）がアプリケーションの種別によって変化しない場合、Ｔ１６２は省略可能である。
Ｔ１６３（ｗＱｏＳ）は、品質に基づく経路の評価指標ＲＱｏＳに対する重み付けのパラメータである。
Ｔ１６４（ｗｒｍａｉｎ）は、基地局の残存無線リソース量に基づく主経路の評価指標Ｒｒｍａｉｎに対する重み付けのパラメータである。
Ｔ１６５（ｗｒｓｕｂ）は、基地局の残存無線リソース量に基づく副経路の評価指標Ｒｒｓｕｂに対する重み付けのパラメータである。
Ｔ１６３及びＴ１６４及びＴ１６５は、Ｔ１６１のＭＳＩＤを持つＭＳが主経路及び副経路の設定をする際にＰＣＲＦからポリシー情報として配布されるか、またはＡＧＷ内に設定されたポリシー情報内に含まれ、ＡＧＷはその情報をメモリ部に保存する。
主経路および副経路の設定をゲートウェイ以外の装置で行う場合、図２２ａ、図２５、図２６、図２７の情報は省略される。
【００２２】
３−４−２．主経路及び副経路設定
［本実施の形態のＡＧＷの処理の一例］
図５９ａに、無線システムの主経路及び副経路設定におけるＡＧＷの処理の一例を示す。
Ｓ２５１で、ＡＧＷは、ＢＳからメッセージ３０３を受信する。
Ｓ２５２で、ＡＧＷは、メッセージ３０３内のａｌｌ  ａｖａｉｌａｂｌｅ  ＲＳＩＤｓに含まれる経路として選択可能なＲＳＩＤの数を確認する。
経路として選択可能なＲＳＩＤ  が１個の場合、Ｓ２５３Ｙで、ＡＧＷは、選択可能な唯一のＲＳを主経路として選択し、副経路は持たないことを選択して、Ｓ２７０へ進む。
一方、経路として選択可能なＲＳＩＤ  が２個以上の場合、Ｓ２５３Ｎで、ＡＧＷは、メッセージ３０３内のａｌｌ  ａｖａｉｌａｂｌｅ  ＲＳＩＤｓに含まれる経路として選択可能なＲＳＩＤに対応するＲＳの情報を、メモリ部に保存された図２２ａから引き出す。対応するＲＳの情報が図２２ａ内に存在しない場合、ＡＧＷはメッセージ３０３を送信してきたＲＳに対して自身のＲＳ  ｐｒｏｆｉｌｅを送信するように要求する。
Ｓ２５４で、ＡＧＷは、メモリ部から引き出した該ＲＳのＲＳ  ｐｒｏｆｉｌｅに含まれる情報と、メッセージ３０３内のＭＳ  ｐｒｏｆｉｌｅに含まれる情報に基づいて図２３を作成する。
Ｔ１２１（ｍａｉｎ  ＲＳＩＤ）は、主経路として選択可能なＲＳのＲＳＩＤであり、メッセージ３０３内のａｌｌ  ａｖａｉｌａｂｌｅ  ＲＳＩＤｓに含まれる。
Ｔ１２２（ＭＳＩＤ）は、Ｔ１２１のＲＳＩＤを持つＲＳを主経路として既に使用しているＭＳのＭＳＩＤであり、ＡＧＷのメモリ部に保存された図２２ａからＡＧＷが引き出した該ＲＳの情報に含まれる。Ｔ１２１のＲＳＩＤを持つＲＳを主経路として既に使用しているＭＳが一つも存在しない場合、Ｔ１２２は空欄となる。
Ｔ１２３（ｓｕｂ  ＲＳＩＤ）は、Ｔ１２２のＭＳＩＤを持つＭＳが副経路として選択しているＲＳのＲＳＩＤであり、メモリ部から引き出した該ＲＳの情報に含まれる。ＭＳ６−１１のように、Ｔ１２２のＭＳＩＤを持つＭＳが副経路を持たない場合、Ｔ１２３は空欄となる。
Ｔ１２４（ｒＭＳ）は、Ｔ１２２のＭＳＩＤを持つＭＳが要求する無線リソース量の指標であり、ＡＧＷのメモリ部に保存された図２２ａからＡＧＷが引き出した該ＲＳの情報に含まれる。
Ｔ１２５（ΣｒＭＳｍａｉｎ）は、Ｔ１２１のＲＳＩＤを持つＲＳを主経路として既に選択している全てのＭＳに関するＭＳが要求する無線リソース量の指標の合計であり、ＡＧＷのメモリ部に保存された図２２ａからＡＧＷが引き出した該ＲＳの情報に含まれる。
Ｔ１２６（ｒＲＳｍａｘ）はＴ１２１のＲＳＩＤを持つＲＳが許容できる無線リソース量の上限値の指標であり、ＡＧＷのメモリ部に保存された図２２ａからＡＧＷが引き出した該ＲＳの情報を基にＡＧＷが作成する。
Ｔ１２７（Ｒｒｍａｉｎ）は、Ｔ１２１のＲＳＩＤを持つＲＳの残存無線リソース量に基づく主経路としての評価指標である。Ｔ１２７は、Ｔ１２５およびＴ１２６およびＴ１２８（ｒＭＳｎｅｗ）を用いて、Ｓ２５５で式６に基づいて計算され、ＡＧＷはその情報をメモリ部に保存する。Ｔ１２７の値が大きいほど、ＲＳの残存無線リソース量に余裕があることを示す。
Ｔ１２８（ｒＭＳｎｅｗ）は、経路設定の要求を出してきたＭＳが要求する無線リソース量の指標であり、メッセージ１０２内のＭＳ  ｐｒｏｆｉｌｅに含まれる。
Ｓ２５５で、ＡＧＷは、式６の各パラメータに図２３の値を代入し、ＲＳの残存リソース量に基づく主経路の評価指標（Ｒｒｍａｉｎ）ｎを、図２３のＴ１２１のＲＳＩＤを持つ全てのＲＳについてそれぞれ計算する。ＡＧＷは、計算された値を必要に応じて、図２３に記憶してもよい。
［式６］
（Ｒｒｍａｉｎ）ｎ＝（ｒＲＳｍａｘ）ｎ／｛（ΣｒＭＳｍａｉｎ）ｎ＋ｒＭＳｎｅｗ｝
前記式６中、ｎは経路のインデックスである。
（Ｒｒｍａｉｎ）ｎは該ＲＳの残存リソースに基づく主経路の評価であり、値が大きいほど該ＲＳの残存リソースに余裕があることを示す。
（ｒＲＳｍａｘ）ｎは該ＲＳが許容できる無線リソース量の上限値の指標であり、ＲＳ自身の性能に依存する。ｒＭＳｎｅｗは経路設定を要求してきたＭＳが要求する無線リソース量の指標である。
（ΣｒＭＳｍａｉｎ）ｎは該ＲＳを主経路として既に使用している全ＭＳに関するＭＳが要求する無線リソース量の指標の総和を示す。また、ＡＧＷのメモリ部の情報として、（Ｒｒｍａｉｎ）ｎの下限値を設定しておくことが可能である。ＡＧＷに（Ｒｒｍａｉｎ）ｎの下限値が設定されている場合、（Ｒｒｍａｉｎ）ｎが下限値を下回っている経路を選択対象から除外するか、もしくは既に副経路または主経路として該ＲＳを選択しているＭＳに対して、副経路または主経路の変更を要求することが可能である。
主経路の選択に品質も考慮に入れる場合、Ｓ２５６で、ＡＧＷはメモリ部に該ＲＳに対応するＰｏｌｉｃｙが設定されているかどうかを判断する。該ＲＳに対応するＰｏｌｉｃｙがＡＧＷのメモリ部内に設定されていない場合、Ｓ２５７で、ＡＧＷはＰＣＲＦへメッセージ３０４を送信し、該ＲＳのＰｏｌｉｃｙを送信するように要求する。
Ｓ２５８で、ＡＧＷはタイマ３を起動し、ＰＣＲＦから該ＲＳのＰｏｌｉｃｙを含むメッセージ３０５−１が送信されるのを待つ。
Ｓ２５９で、ＰＣＲＦからメッセージ３０５−１を受信する前にタイマ３が満了した場合、ＡＧＷは再びＳ２５７に戻って、メッセージ３０４をＰＣＲＦへ再送する。
タイマ３が満了する前にＰＣＲＦからメッセージ３０５−１を受信した場合、Ｓ２６０で、ＡＧＷはメッセージ１０４内に含まれる該ＲＳのＰｏｌｉｃｙと、メモリ部から引き出した該ＲＳのＲＳ  ｐｒｏｆｉｌｅに含まれる情報と、メッセージ１０２内のＭＳ  ｐｒｏｆｉｌｅに含まれる情報に基づいて図２５及び図２６を作成する。
一方、該ＲＳに対応するＰｏｌｉｃｙがＡＧＷのメモリ部内に設定されている場合、Ｓ２５７からＳ２５９は省略され、Ｓ２６０で、ＡＧＷはメモリ部から引き出した該ＲＳのＰｏｌｉｃｙと、メモリ部から引き出した該ＲＳのＲＳ  ｐｒｏｆｉｌｅに含まれる情報と、メッセージ３０３内のＭＳ  ｐｒｏｆｉｌｅに含まれる情報に基づいて図２５及び図２６を作成する。図２５及び図２６が既にＡＧＷのメモリ内に保存されている場合、Ｓ２６０は省略可能である。
また、そもそも主経路の選択に品質を考慮に入れない場合、Ｓ２５６からＳ２６４は省略され、（Ｒｒｍａｉｎ）ｎが最大のＲＳを主経路として選択してもよい。
Ｓ２６１で、ＡＧＷは、式８の各パラメータに図２５及び図２６の値を代入し、品質に基づく経路の評価指標（ＲＱｏＳ）ｎを、図２３のＴ１２１のＲＳＩＤを持つ全てのＲＳについてそれぞれ計算する。ＡＧＷは、計算された値を必要に応じて、図２３に記憶してもよい。
［式８］
（ＲＱｏＳ）ｎ＝ＰＲＳｎ（ｗＥＲＳＥＲＳｎ＋ｗＴＲＳＴＲＳｎ＋ｗＭＲＳＭＲＳｎ）
前記式８中、ｎは経路のインデックスである。
（ＲＱｏＳ）ｎは該経路の品質に基づく評価であり、値が大きいほど該経路の品質が高いことを示す。
ＰＲＳｎは該ＲＳがデータ経路として選択される優先度を示すポリシー情報（ＲＳの使用に関する重み付け）を示し、値を大きくすることにより優先度を高くできる。
ＥＲＳｎはＭＳから該ＲＳを経由してＢＳまでの間の有効データ転送率を示す。ＥＲＳｎはＭＳの無線信号受信強度などに依存する。
ＴＲＳｎは該ＲＳの通信可能時間を示す。ＴＲＳｎはＲＳのバッテリー残量やＲＳの利用契約内容などに依存する。
ＭＲＳｎは該ＲＳの移動度を示す。ＭＲＳｎはＲＳが固定されているか移動するかなどに依存する。
ｗＥＲＳは、ＥＲＳｎに対する重み付けのパラメータを示す。
ｗＴＲＳは、ＴＲＳｎに対する重み付けのパラメータを示す。
ｗＭＲＳは、ＭＲＳｎに対する重み付けのパラメータを示す。
また、上記ＴＲＳｎは、該ＲＳに通信可能時間を設定しない場合は省略可能であり、上記ＭＲＳｎは、該ＲＳが移動しない場合は省略可能である。
Ｓ２６２で、ＡＧＷはメモリ部から引き出した該ＲＳのＰｏｌｉｃｙに基づいて図２７を作成する。図２７が既にＡＧＷのメモリ内に保存されている場合、Ｓ２６２は省略可能である。
Ｓ２６３で、ＡＧＷは、式４の各パラメータに図２２ａ及び図２５及び図２７の値を代入し、ＲＳの残存リソース量及び経路の品質に基づく総合的な主経路の評価指標（Ｒｍａｉｎ）ｎを、図２３のＴ１２１のＲＳＩＤを持つ全てのＲＳについてそれぞれ計算する。ＡＧＷは、計算された値を必要に応じて、図２３に記憶してもよい。
［式９］
（Ｒｍａｉｎ）ｎ＝（Ｐｍａｉｎ）ｎ（ｗＱｏＳ（ＲＱｏＳ）ｎ＋ｗｒｍａｉｎ（Ｒｒｍａｉｎ）ｎ）
前記式９中、ｎは経路のインデックスである。
（Ｒｍａｉｎ）ｎは該経路の品質及び該ＲＳの残存リソース量に基づく総合的な主経路の評価である。
（Ｐｍａｉｎ）ｎは該ＲＳが主経路として選択される優先度を示すポリシー情報（ＲＳの使用に関する重み付け）を示し、値を大きくすることにより優先度を高くできる。
（ＲＱｏＳ）ｎは該経路の品質に基づく経路の評価であり、値が大きいほど該経路の品質が高いことを示す。
（Ｒｒｍａｉｎ）ｎは該ＲＳの残存リソースに基づく主経路の評価であり、値が大きいほど該ＲＳの残存リソースに余裕があることを示す。
ｗＱｏＳは、（ＲＱｏＳ）ｎに対する重み付けのパラメータを示す。
ｗｒｍａｉｎは、（Ｒｒｍａｉｎ）ｎに対する重み付けのパラメータを示す。
Ｓ２６４で、ＡＧＷはＳ２６３で計算した総合的な主経路の評価指標（Ｒｍａｉｎ）ｎが最大のＲＳを主経路として選択する。
また、ＡＧＷのメモリ部の情報として、ＲＳの残存リソース指標に基づく主経路の評価指標（Ｒｒｍａｉｎ）ｎの下限値を設定しておくことが可能である。ＡＧＷに（Ｒｒｍａｉｎ）ｎの下限値が設定されている場合、主経路として選択されたＲＳの（Ｒｒｍａｉｎ）ｎが下限値を下回っていたら、主経路の設定を拒否するか、もしくは既に副経路または主経路として該ＲＳを選択しているＭＳに対して、副経路または主経路の変更を要求することができる。
Ｓ２６５で、ＡＧＷは、図２３のＴ１２１のＲＳＩＤを持つＲＳから主経路として選択されたＲＳを除いた残りの副経路候補のＲＳの数を確認する。副経路として選択可能なＲＳＩＤ  が１個の場合、Ｓ２６６Ｙで、ＡＧＷは、選択可能な唯一のＲＳを副経路として選択し、Ｓ２７０へ進む。
一方、副経路として選択可能なＲＳＩＤ  が２個以上の場合、Ｓ２６６Ｎで、ＡＧＷは、主経路として選択されたＲＳの情報を図２３から引き出し、引き出した該ＲＳの情報とメッセージ３０３内のＭＳ  ｐｒｏｆｉｌｅに含まれる情報に基づいて図２４を作成する。図２４は、ＲＳ７−１が主経路として選択された場合の例を示している。
Ｔ１３１（ｍａｉｎ  ＲＳＩＤ）は、主経路として選択されたＲＳＩＤである。
Ｔ１３２（ｓｕｂ  ＲＳＩＤ）は、副経路として選択可能なＲＳのＲＳＩＤであり、図２３のＴ１２１で主経路として選択可能なＲＳのＲＳＩＤのうち、Ｓ２６４で主経路として選択されたＲＳを除く全てのＲＳＩＤを参照してＡＧＷが作成する。
Ｔ１３３（ΣｒＭＳｍａｉｎ）は、Ｔ１３１のＲＳＩＤを持つＲＳを主経路として既に選択している全てのＭＳに関するＭＳが要求する無線リソース量の指標の合計である。Ｔ１３１のＲＳＩＤを持つＲＳを主経路として既に選択しているＭＳが一つもいない場合、Ｔ１３３は０となる。
Ｔ１３４（ΣｒＭＳｓｕｂ）は、Ｔ１３１のＲＳＩＤを持つＲＳを主経路として既に選択していて、かつＴ１３２のＲＳＩＤを持つＲＳを副経路として既に選択している全てのＭＳに関するＭＳが要求する無線リソース量の指標の合計である。Ｔ１３４は、Ｔ１３１のＲＳＩＤを持つＲＳを主経路として選択していて、かつＴ１３２のＲＳＩＤを持つＲＳを副経路として既に選択しているＭＳについて、ＡＧＷの処理部が図２２ａにおけるＴ１１４のｒＭＳを足し合わせて作成する。Ｔ１３１のＲＳＩＤを持つＲＳを主経路として既に選択していて、かつＴ１３２のＲＳＩＤを持つＲＳを副経路として既に選択しているＭＳが一つもいない場合、Ｔ１３４は０となる。
Ｔ１３５（ｒＲＳｍａｘ）はＴ１３２のＲＳＩＤを持つＲＳが許容できる無線リソース量の上限値の指標である。
Ｔ１３６（Ｒｒｓｕｂ）は、Ｔ１３２のＲＳＩＤを持つＲＳの残存無線リソース量に基づく副経路としての評価指標である。Ｔ１３６は、Ｔ１３３およびＴ１３４およびＴ１３５およびＴ１３７（ｒＭＳｎｅｗ）を用いて、Ｓ２６７で式７に基づいて計算され、ＡＧＷはその情報をメモリ部に保存する。Ｔ１３６の値が大きいほど、ＲＳの残存無線リソース量に余裕があることを示す。
Ｔ１３７（ｒＭＳｎｅｗ）は、経路設定の要求を出してきたＭＳが要求する無線リソース量の指標であり、メッセージ１０２内のＭＳ  ｐｒｏｆｉｌｅに含まれる。
Ｓ２６７で、ＡＧＷは、式７の各パラメータに図２４の値を代入し、ＲＳの残存リソース量に基づく副経路の評価指標（Ｒｒｓｕｂ）ｎを、図２４のＴ１３２のＲＳＩＤを持つ全てのＲＳについてそれぞれ計算する。ＡＧＷは、計算された値を必要に応じて、図２４に記憶してもよい。
［式７］
（Ｒｒｓｕｂ）ｎ＝（ｒＲＳｍａｘ）ｎ／｛（ΣｒＭＳｍａｉｎ）ｎ＋（ΣｒＭＳｓｕｂ）ｎ＋ｒＭＳｎｅｗ｝
前記式７中、ｎは経路のインデックスである。
（Ｒｒｓｕｂ）ｎは該ＲＳの残存リソースに基づく副経路の評価であり、値が大きいほど主経路のＲＳが使用不能になった場合の該ＲＳの残存リソースに余裕があることを示す。
（ｒＲＳｍａｘ）ｎは該ＲＳが許容できる無線リソース量の上限値の指標であり、ＲＳ自身の性能に依存する。ｒＭＳｎｅｗは経路設定を要求してきたＭＳが要求する無線リソース量の指標である。
（ΣｒＭＳｍａｉｎ）ｎは該ＲＳを主経路として既に使用している全ＭＳに関するＭＳが要求する無線リソース量の指標の総和を示す。
（ΣｒＭＳｓｕｂ）ｎは経路設定要求を出しているＭＳが主経路として選択したＲＳを主経路として既に使用していて、かつ該ＲＳを副経路として既に選択している全ＭＳに関するＭＳが要求する無線リソース量の指標の総和を示す。
また、ＡＧＷのメモリ部の情報として、（Ｒｒｓｕｂ）ｎの下限値を設定しておくことが可能である。ＡＧＷに（Ｒｒｓｕｂ）ｎの下限値が設定されている場合、（Ｒｒｓｕｂ）ｎが下限値を下回っている経路を選択対象から除外するか、もしくは既に副経路または主経路として該ＲＳを選択しているＭＳに対して、副経路または主経路の変更を要求することが可能である。
副経路の選択に品質も考慮に入れる場合、Ｓ２６８で、ＡＧＷは、式１０の各パラメータにＳ２６１およびＳ２６７の計算結果および図２７の値を代入し、ＲＳの残存リソース量及び経路の品質に基づく総合的な副経路の評価指標（Ｒｓｕｂ）ｎを、図２４のＴ１３２のＲＳＩＤを持つ全てのＲＳについてそれぞれ計算する。ＡＧＷは、計算された値を必要に応じて、図２４に記憶してもよい。
［式１０］
（Ｒｓｕｂ）ｎ＝（Ｐｓｕｂ）ｎ（ｗＱｏＳ（ＲＱｏＳ）ｎ＋ｗｒｓｕｂ（Ｒｒｓｕｂ）ｎ）
前記式１０中、ｎは経路のインデックスである。
（Ｒｓｕｂ）ｎは該経路の品質及び該ＲＳの残存リソース量に基づく総合的な副経路の評価である。
（Ｐｓｕｂ）ｎは該ＲＳが副経路として選択される優先度を示すポリシー情報（ＲＳの使用に関する重み付け）を示し、値を大きくすることにより優先度を高くできる。
（ＲＱｏＳ）ｎは該経路の品質に基づく経路の評価であり、値が大きいほど該経路の品質が高いことを示す。
（Ｒｒｓｕｂ）ｎは該ＲＳの残存リソースに基づく主経路の評価であり、値が大きいほど該ＲＳの残存リソースに余裕があることを示す。
ｗＱｏＳは、（ＲＱｏＳ）ｎに対する重み付けのパラメータを示す。
ｗｒｓｕｂは、（Ｒｒｓｕｂ）ｎに対する重み付けのパラメータを示す。
副経路の選択に品質を考慮に入れない場合、Ｓ２６８からＳ２６９は省略され、（Ｒｒｓｕｂ）ｎが最大のＲＳを副経路として選択してもよい。
Ｓ２６９で、ＡＧＷはＳ２６８で計算した総合的な副経路の評価指標（Ｒｓｕｂ）ｎが最大のＲＳを副経路として選択する。
また、ＡＧＷのメモリ部の情報として、ＲＳの残存リソース指標に基づく副経路の評価指標（Ｒｒｓｕｂ）ｎの下限値を設定しておくことが可能である。ＡＧＷに（Ｒｒｓｕｂ）ｎの下限値が設定されている場合、副経路として選択されたＲＳの（Ｒｒｓｕｂ）ｎが下限値を下回っていたら、副経路の設定を拒否するか、もしくは既に副経路または主経路として該ＲＳを選択しているＭＳに対して、副経路または主経路の変更を要求することができる。
Ｓ２７０で、ＡＧＷは主経路及び副経路に選択されたＲＳのＲＳＩＤを基に、図２２ａを更新する。更新後の図２２ａは、例えば図２２ｂのようになる。
Ｓ２７１で、ＡＧＷは、主経路として選択されたＲＳに対応するＢＳとの間に、ユーザデータのトンネルを設定する。
Ｓ２７２で、ＡＧＷは、主経路として選択されたＲＳのＲＳＩＤと、副経路として選択されたＲＳのＲＳＩＤをそれぞれメッセージ３０６−１に設定する。
Ｓ２７３で、ＡＧＷは、主経路として選択されたＲＳに対応するＢＳへメッセージ３０６−１を送信する。
Ｓ２７４で、ＡＧＷは、副経路として選択されたＲＳのＲＳＩＤをメッセージ３０６−２に設定する。
Ｓ２７５で、ＡＧＷは、副経路として選択されたＲＳに対応するＢＳへメッセージ３０６−２を送信する。
主経路および副経路の設定をゲートウェイ以外の装置で行う場合、経路選択に関する処理は省略される。
【００２３】
３−４−３．主経路から副経路への切り替え
図６０ａに、無線システムの主経路から副経路への切り替えにおけるＡＧＷの処理の一例を示す。
Ｓ２８１で、ＡＧＷは、ＢＳからメッセージ４０３を受信する。ＢＳからのメッセージ４０３を受信したＡＧＷは、メッセージ４０３に含まれるＭＳＩＤ及びｓｕｂ  ＲＳＩＤから、該ＭＳが主経路から副経路への切り替えを要求していることを知る。
Ｓ２８２で、ＡＧＷは、メッセージ４０４に含めるｎｅｗ  ｍａｉｎ  ＲＳＩＤに、ｓｕｂ  ＲＳＩＤの値をそのまま設定する。
Ｓ２８３で、ＡＧＷは、メッセージ４０３に含まれるｓｕｂ  ＲＳＩＤをもつＲＳに対応するＢＳへメッセージ４０４を送信する。
Ｓ２８４で、ＡＧＷは、メッセージ４０３に含まれるｓｕｂ  ＲＳＩＤをもつＲＳに対応するＢＳとのデータ経路を設定する。
Ｓ２８５で、ＡＧＷは、図２２ａを基に、メッセージ４０３に含まれるＭＳＩＤをもつＭＳに関して新たな副経路の候補となるＲＳの数を確認する。新たな副経路として選択可能なＲＳＩＤ  が１個の場合、Ｓ２８６Ｙで、ＡＧＷは、選択可能な唯一のＲＳを副経路として選択し、Ｓ２９７へ進む。
一方、副経路として選択可能なＲＳＩＤ  が２個以上の場合、Ｓ２８６Ｎへ進む。
新たな副経路の選択に品質も考慮に入れる場合、Ｓ２８６Ｎで、ＡＧＷは該ＲＳに対応するＰｏｌｉｃｙがメモリ部に設定されているかどうかを判断する。
該ＲＳに対応するＰｏｌｉｃｙがＡＧＷのメモリ部内に設定されていない場合、Ｓ２８７で、ＡＧＷはＰＣＲＦへメッセージ４０７を送信し、該ＲＳのＰｏｌｉｃｙを送信するように要求する。
一方、該ＲＳに対応するＰｏｌｉｃｙがＡＧＷのメモリ部内に設定されている場合、Ｓ２８７からＳ２８９は省略され、Ｓ２９０で、ＡＧＷはメモリ部から引き出した該ＲＳのＰｏｌｉｃｙと、メモリ部から引き出した該ＲＳのＲＳ  ｐｒｏｆｉｌｅに含まれる情報と、メッセージ４０３内のＭＳ  ｐｒｏｆｉｌｅに含まれる情報に基づいて図２５及び図２６を作成する。図２５及び図２６が既にＡＧＷのメモリ内に保存されている場合、Ｓ２９０は省略可能である。
また、そもそも主経路の選択に品質を考慮に入れない場合、Ｓ２８６からＳ２９２は省略され、（Ｒｒｓｕｂ）ｎが最大のＲＳを新たな副経路として選択してもよい。
Ｓ２８８で、ＡＧＷはタイマ４を起動し、ＰＣＲＦから該ＲＳのＰｏｌｉｃｙを含むメッセージ４０８−１が送信されるのを待つ。
Ｓ２８９で、ＰＣＲＦからメッセージ４０８−１を受信する前にタイマ４が満了した場合、ＡＧＷは再びＳ２８７に戻って、メッセージ４０７をＰＣＲＦへ再送する。
タイマ４が満了する前にＰＣＲＦからメッセージ４０８−１を受信した場合、Ｓ２９０で、ＡＧＷはメッセージ４０８−１内に含まれる該ＲＳのＰｏｌｉｃｙと、メモリ部から引き出した該ＲＳのＲＳ  ｐｒｏｆｉｌｅに含まれる情報と、メッセージ４０３内のＭＳ  ｐｒｏｆｉｌｅに含まれる情報に基づいて図２５及び図２６を作成する。
Ｓ２９１で、ＡＧＷは、式８の各パラメータに図２５及び図２６の値を代入し、品質に基づく経路の評価指標（ＲＱｏＳ）ｎを、図２３のＴ１２１のＲＳＩＤを持つ全てのＲＳについてそれぞれ計算する。
［式８］
（ＲＱｏＳ）ｎ＝ＰＲＳｎ（ｗＥＲＳＥＲＳｎ＋ｗＴＲＳＴＲＳｎ＋ｗＭＲＳＭＲＳｎ）
前記式８中、ｎは経路のインデックスである。
（ＲＱｏＳ）ｎは該経路の品質に基づく評価であり、値が大きいほど該経路の品質が高いことを示す。
ＰＲＳｎは該ＲＳがデータ経路として選択される優先度を示すポリシー情報（ＲＳの使用に関する重み付け）を示し、値を大きくすることにより優先度を高くできる。
ＥＲＳｎはＭＳと該ＲＳとの間の有効データ転送率を示す。ＥＲＳｎはＭＳの無線信号受信強度などに依存する。
ＴＲＳｎは該ＲＳの通信可能時間を示す。ＴＲＳｎはＲＳのバッテリー残量やＲＳの利用契約内容などに依存する。
ＭＲＳｎは該ＲＳの移動度を示す。ＭＲＳｎはＲＳが固定されているか移動するかなどに依存する。
ｗＥＲＳは、ＥＲＳｎに対する重み付けのパラメータを示す。
ｗＴＲＳは、ＴＲＳｎに対する重み付けのパラメータを示す。
ｗＭＲＳは、ＭＲＳｎに対する重み付けのパラメータを示す。
また、上記ＴＲＳｎは、該ＲＳに通信可能時間を設定しない場合は省略可能であり、上記ＭＲＳｎは、該ＲＳが移動しない場合は省略可能である。
Ｓ２９２で、ＡＧＷはメモリ部から引き出した該ＲＳのＰｏｌｉｃｙに基づいて図２７を作成する。図２７が既にＡＧＷのメモリ内に保存されている場合、Ｓ２９２は省略可能である。
Ｓ２９３で、ＡＧＷは、新たに主経路として選択されたＲＳの情報を図２２ａから引き出し、引き出した該ＲＳの情報とメッセージ２０２内のＭＳ  ｐｒｏｆｉｌｅに含まれる情報に基づいて図２４を作成する。ただし、ここではＲＳ７−２が新たな主経路として選択された場合の例を挙げているのに対して、図２４はＲＳ７−１が主経路として選択された場合の例を示しているため、その点は異なる。
Ｔ１３１（ｍａｉｎ  ＲＳＩＤ）は、主経路として選択されたＲＳＩＤである。
Ｔ１３２（ｓｕｂ  ＲＳＩＤ）は、副経路として選択可能なＲＳのＲＳＩＤであり、図２３のＴ１２１で主経路として選択可能なＲＳのＲＳＩＤのうち、Ｓ２６４で主経路として選択されたＲＳを除く全てのＲＳＩＤを参照してＡＧＷが作成する。
Ｔ１３３（ΣｒＭＳｍａｉｎ）は、Ｔ１３１のＲＳＩＤを持つＲＳを主経路として既に選択している全てのＭＳに関するＭＳが要求する無線リソース量の指標の合計である。Ｔ１３１のＲＳＩＤを持つＲＳを主経路として既に選択しているＭＳが一つもいない場合、Ｔ１３３は０となる。
Ｔ１３４（ΣｒＭＳｓｕｂ）は、Ｔ１３１のＲＳＩＤを持つＲＳを主経路として既に選択していて、かつＴ１３２のＲＳＩＤを持つＲＳを副経路として既に選択している全てのＭＳに関するＭＳが要求する無線リソース量の指標の合計である。Ｔ１３４は、Ｔ１３１のＲＳＩＤを持つＲＳを主経路として選択していて、かつＴ１３２のＲＳＩＤを持つＲＳを副経路として既に選択しているＭＳについて、ＡＧＷの処理部が図２２ａにおけるＴ１１４のｒＭＳを足し合わせて作成する。Ｔ１３１のＲＳＩＤを持つＲＳを主経路として既に選択していて、かつＴ１３２のＲＳＩＤを持つＲＳを副経路として既に選択しているＭＳが一つもいない場合、Ｔ１３４は０となる。
Ｔ１３５（ｒＲＳｍａｘ）はＴ１３２のＲＳＩＤを持つＲＳが許容できる無線リソース量の上限値の指標である。
Ｔ１３６（Ｒｒｓｕｂ）は、Ｔ１３２のＲＳＩＤを持つＲＳの残存無線リソース量に基づく副経路としての評価指標である。Ｔ１３６は、Ｔ１３３およびＴ１３４およびＴ１３５およびＴ１３７（ｒＭＳｎｅｗ）を用いて、Ｓ２９４で式２に基づいて計算され、ＡＧＷはその情報をメモリ部に保存する。Ｔ１３６の値が大きいほど、ＲＳの残存無線リソース量に余裕があることを示す。
Ｔ１３７（ｒＭＳｎｅｗ）は、経路設定の要求を出してきたＭＳが要求する無線リソース量の指標であり、メッセージ２０２内のＭＳ  ｐｒｏｆｉｌｅに含まれる。
Ｓ２９４で、ＡＧＷは、式７の各パラメータに図２４の値を代入し、ＲＳの残存リソース量に基づく副経路の評価指標（Ｒｒｓｕｂ）ｎを、図２４のＴ１３２のＲＳＩＤを持つ全てのＲＳについてそれぞれ計算する。ＡＧＷは、計算された値を必要に応じて、図２４に記憶してもよい。
［式７］
（Ｒｒｓｕｂ）ｎ＝（ｒＲＳｍａｘ）ｎ／｛（ΣｒＭＳｍａｉｎ）ｎ＋（ΣｒＭＳｓｕｂ）ｎ＋ｒＭＳｎｅｗ｝
前記式７中、ｎは経路のインデックスである。
（Ｒｒｓｕｂ）ｎは該ＲＳの残存リソースに基づく副経路の評価であり、値が大きいほど主経路のＲＳが使用不能になった場合の該ＲＳの残存リソースに余裕があることを示す。
（ｒＲＳｍａｘ）ｎは該ＲＳが許容できる無線リソース量の上限値の指標であり、ＲＳ自身の性能に依存する。ｒＭＳｎｅｗは経路設定を要求してきたＭＳが要求する無線リソース量の指標である。
（ΣｒＭＳｍａｉｎ）ｎは該ＲＳを主経路として既に使用している全ＭＳに関するＭＳが要求する無線リソース量の指標の総和を示す。
（ΣｒＭＳｓｕｂ）ｎは経路設定要求を出しているＭＳが主経路として選択したＲＳを主経路として既に使用していて、かつ該ＲＳを副経路として既に選択している全ＭＳに関するＭＳが要求する無線リソース量の指標の総和を示す。
また、ＡＧＷのメモリ部の情報として、（Ｒｒｓｕｂ）ｎの下限値を設定しておくことが可能である。ＡＧＷに（Ｒｒｓｕｂ）ｎの下限値が設定されている場合、（Ｒｒｓｕｂ）ｎが下限値を下回っている経路を選択対象から除外するか、もしくは既に副経路または主経路として該ＲＳを選択しているＭＳに対して、副経路または主経路の変更を要求することが可能である。
副経路の選択に品質も考慮に入れる場合、Ｓ２９５で、ＡＧＷは、式１０の各パラメータに図７及びＳ２９４の計算結果の値を代入し、ＲＳの残存リソース量及び経路の品質に基づく総合的な副経路の評価指標（Ｒｓｕｂ）ｎを、図２４のＴ１３２のＲＳＩＤを持つ全てのＲＳについてそれぞれ計算する。ＡＧＷは、計算された値を必要に応じて、図２４に記憶してもよい。
［式１０］
（Ｒｓｕｂ）ｎ＝（Ｐｓｕｂ）ｎ（ｗＱｏＳ（ＲＱｏＳ）ｎ＋ｗｒｓｕｂ（Ｒｒｓｕｂ）ｎ）
前記式１０中、ｎは経路のインデックスである。
（Ｒｓｕｂ）ｎは該経路の品質及び該ＲＳの残存リソース量に基づく総合的な主経路の評価である。
（Ｐｓｕｂ）ｎは該ＲＳが副経路として選択される優先度を示すポリシー情報（ＲＳの使用に関する重み付け）を示し、値を大きくすることにより優先度を高くできる。
（ＲＱｏＳ）ｎは該経路の品質に基づく経路の評価であり、値が大きいほど該経路の品質が高いことを示す。
（Ｒｒｓｕｂ）ｎは該ＲＳの残存リソースに基づく副経路の評価であり、値が大きいほど該ＲＳの残存リソースに余裕があることを示す。
ｗＱｏＳは、（ＲＱｏＳ）ｎに対する重み付けのパラメータを示す。
ｗｒｓｕｂは、（Ｒｒｓｕｂ）ｎに対する重み付けのパラメータを示す。
副経路の選択に品質を考慮に入れない場合、Ｓ２９５からＳ２９６は省略され、（Ｒｒｓｕｂ）ｎが最大のＲＳを副経路として選択してもよい。
Ｓ２９６で、ＡＧＷはＳ２９５で計算した総合的な副経路の評価指標（Ｒｓｕｂ）ｎが最大のＲＳを副経路として選択する。
また、ＡＧＷのメモリ部の情報として、ＲＳの残存リソース指標に基づく副経路の評価指標（Ｒｒｓｕｂ）ｎの下限値を設定しておくことが可能である。ＡＧＷに（Ｒｒｓｕｂ）ｎの下限値が設定されている場合、副経路として選択されたＲＳの（Ｒｒｓｕｂ）ｎが下限値を下回っていたら、副経路の設定を拒否するか、もしくは既に副経路または主経路として該ＲＳを選択しているＭＳに対して、副経路または主経路の変更を要求することができる。
Ｓ２９７で、ＡＧＷは新たに主経路及び副経路に選択されたＲＳのＲＳＩＤを基に、図２２ａを更新する。更新後の図２２ａは、例えば図２２ｂのようになる。ただし、切り替えのコールフローで挙げている例と、図２２ｂで示している例とは異なる。
Ｓ２９８で、ＡＧＷは、経路の設定を要求してきたＭＳのＭＳＩＤ及び新たに副経路に選択されたＲＳのＲＳＩＤをｎｅｗ  ｓｕｂ  ＲＳＩＤとしてメッセージ４０９に設定する。
Ｓ２９９で、ＡＧＷは、新たに副経路に選択されたＲＳへメッセージ２０７を送信する。
アプリケーションごとに経路として選択するＲＳが異なる場合、ＡＧＷはメッセージ４０９にＡＰＬＩＤも含めて送信し、副経路に選択されたＲＳに対し、どのアプリケーションの経路として選択されたかを通知する。
主経路および副経路の設定をゲートウェイ以外の装置で行う場合、経路選択に関する処理は省略される。
【００２４】
３−５．他装置
［本実施の形態のＰＣＲＦの一例］
図４ｂに、本実施の形態で使用するＰＣＲＦの機能ブロック図の一例を示す。
ＡＧＷインタフェース部３１は、ＡＧＷとのインタフェースである。ＡＧＷインタフェース部３１により、ＰＣＲＦはＡＧＷとＩＰパケットの送受信を行う。ＰＣＲＦインタフェース部２３により、ＡＧＷはＰＣＲＦとＩＰパケットの送受信を行う。メモリ部３２は、送受信するＩＰパケット、ＲＳ  ｐｒｏｆｉｌｅ（ｒＲＳＭａｘ）、ＭＳ  ｐｒｏｆｉｌｅ（ｒＭＳ）、ＱｏＳ  ｐａｒａｍｅｔｅｒｓ  （ＥＲＳ、ＴＲＳ、ＭＲＳ、ＰＲＳ）、ＡＰＬＩＤ、ポリシー（ｗＥＲＳ、ｗＴＲＳ、ｗＭＲＳ、ｗＱｏＳ、ｗｒｍａｉｎ、ｗｒｓｕｂ）、接続するＡＧＷのアドレスなどの情報を、必要に応じてＭＳＩＤや主経路または副経路として選択されたＲＳＩＤまたはＲＳＩＤと対応付けて管理する。
処理部３３は、メモリ部３２に保持される情報の管理、ＩＰパケットの構築・解析などのＩＰパケット送受信処理などを行う。
［本実施の形態のＰＣＲＦの処理の一例］
図５９ｂに、主経路及び副経路の設定におけるＰＣＲＦの処理の一例を示す。
Ｓ３５１で、ＰＣＲＦは、ＡＧＷからのメッセージ３０４を受信する。
Ｓ３５２で、ＰＣＲＦは、ポリシー情報をメモリ部から引き出す。
ＭＳごとにポリシー情報が異なる場合、ＰＣＲＦはメッセージ３０４内に含まれるＭＳＩＤを基に、対応するポリシー情報をメモリ部から引き出す。
また、ＭＳが起動したアプリケーションごとにポリシー情報が異なる場合、ＰＣＲＦはメッセージ３０４内に含まれるＡＰＬＩＤを基に、対応するポリシー情報をメモリ部から引き出す。
また、ＰＲＳやＭＲＳなどのＲＳごとに異なるパラメータがポリシー情報に含まれる場合、ＰＣＲＦはメッセージ３０４内に含まれるａｌｌ  ａｖａｉｌａｂｌｅ  ＲＳＩＤｓを基に、対応するポリシー情報をメモリ部から引き出す。
ＡＧＷからのメッセージ３０４を受信したＰＣＲＦは、Ｓ３５３で、メモリ部から引き出したポリシー情報をメッセージ３０５−１に含めて、メッセージ３０４の送信元であるＡＧＷへ送信する。ＰＣＲＦは、ポリシー情報に含まれるＷｅｉｇｈｔをメッセージ３０５−１に含める。ＷｅｉｇｈｔがＡＰＬＩＤまたはＭＳＩＤによって異なる場合、ＰＣＲＦはメッセージ３０４に含まれるＡＰＬＩＤまたはＭＳＩＤに対応するＷｅｉｇｈｔをメッセージ３０５−１に含める。
図６０ｂに、主経路から副経路への切り替えにおけるＰＣＲＦの処理の一例を示す。
Ｓ３６１で、ＰＣＲＦは、ＡＧＷからのメッセージ４０７を受信する。
Ｓ３６２で、ＰＣＲＦは、ポリシー情報をメモリ部から引き出す。
ＭＳごとにポリシー情報が異なる場合、ＰＣＲＦはメッセージ４０７内に含まれるＭＳＩＤを基に、対応するポリシー情報をメモリ部から引き出す。
また、ＭＳが起動したアプリケーションごとにポリシー情報が異なる場合、ＰＣＲＦはメッセージ４０７内に含まれるＡＰＬＩＤを基に、対応するポリシー情報をメモリ部から引き出す。
また、ＰＲＳやＭＲＳなどのＲＳごとに異なるパラメータがポリシー情報に含まれる場合、ＰＣＲＦはメッセージ４０７内に含まれるａｌｌ  ａｖａｉｌａｂｌｅ  ＲＳＩＤｓを基に、対応するポリシー情報をメモリ部から引き出す。
ＡＧＷからのメッセージ４０７を受信したＰＣＲＦは、Ｓ３６３で、メモリ部から引き出したポリシー情報をメッセージ４０８−１に含めて、メッセージ４０７の送信元であるＡＧＷへ送信する。ＰＣＲＦは、ポリシー情報に含まれるＷｅｉｇｈｔをメッセージ４０８−１に含める。ＷｅｉｇｈｔがＡＰＬＩＤまたはＭＳＩＤによって異なる場合、ＰＣＲＦはメッセージ４０７に含まれるＡＰＬＩＤまたはＭＳＩＤに対応するＷｅｉｇｈｔをメッセージ４０８−１に含める。
［本実施の形態のＢＳの一例］
図４ｃに、本実施の形態で使用するＢＳの機能ブロック図の一例を示す。
無線インタフェース部４１は、無線インタフェースである。無線インタフェース部４１により、ＢＳはＲＳとＩＰパケットの送受信を行う。
ＡＧＷインタフェース部４２は、ＡＧＷとのインタフェースである。ＡＧＷインタフェース部４２により、ＢＳはＡＧＷとＩＰパケットの送受信を行う。
メモリ部４３は、送受信するＩＰパケット、ＲＳ  ｐｒｏｆｉｌｅ情報（ｒＲＳＭａｘ）、ＱｏＳ  ｐａｒａｍｅｔｅｒｓ  （ＥＲＳ、ＴＲＳ、ＭＲＳ、ＰＲＳ）、接続するＡＧＷおよびＭＳまたはＲＳのアドレスなどの情報を、必要に応じてＭＳＩＤや主経路または副経路として選択されたＲＳＩＤと対応付けて管理する。経路選択がＢＳで行われる場合、主経路及び副経路の選択に用いる図２２ａ、図２５、図２６、図２７などの情報がメモリ部に保存される。
処理部４４は、メモリ部４３に保持される情報の管理、ＩＰパケットの構築・解析などのＩＰパケット送受信処理などを行う。経路選択がＢＳで行われる場合、主経路及び副経路の選択の際に与えられた式に基づいた計算などの機能が追加される。
バッテリー部４５は、ＢＳのバッテリーである。ＢＳが常に電力供給されている場合は、バッテリー部４５は省略可能である。
［本実施の形態のＢＳの処理の一例］
図５９ｃに、主経路及び副経路の設定におけるＢＳの処理の一例を示す。
Ｓ４５１で、ＢＳは、ＲＳからのメッセージ３０２を受信する。
ＭＳがメッセージ３０２を他のＢＳに対応するＲＳへ送信した場合、Ｓ４５１およびＳ４５２は省略される。
メッセージ３０２を受信したＢＳは、Ｓ４５２で、メッセージ３０３にメッセージ３０２で受け取ったＭＳＩＤ及びＭＳ  ｐｒｏｆｉｌｅ及びａｌｌ  ａｖａｉｌａｂｌｅ  ＲＳＩＤｓを含めて、ＡＧＷへ送信する。
また、ＲＳからＡＰＬＩＤを受信した場合は、それもメッセージ３０３に含める。
主経路及び副経路の設定において、ＡＧＷによって副経路として選択されたＲＳに対応するＢＳは、Ｓ４５３で、ＡＧＷからのメッセージ３０６−１を受信する。
ＡＧＷからのメッセージ３０６−１を受信したＢＳは、Ｓ４５４で、メッセージ内のＭＳＩＤ及びｍａｉｎ  ＲＳＩＤから自身が該ＭＳの主経路として選択されたＲＳに対応するＢＳであることを知り、メッセージ３０６−１を送信してきたＡＧＷとのデータ経路を設定する。
Ｓ４５５で、ＢＳは、メッセージ３０６−１に含まれるｍａｉｎ  ＲＳＩＤに対応するＲＳへメッセージ３０７−１を送信する。
Ｓ４５６で、ＢＳは、該ＲＳとのデータ経路を設定する。
一方、主経路及び副経路の設定において、ＡＧＷによって副経路として選択されたＲＳに対応するＢＳは、Ｓ４５７でメッセージ３０６−２を受信する。
Ｓ４５８で、ＢＳは、メッセージ３０６−２内のＭＳＩＤ及びｓｕｂ  ＲＳＩＤから、自身が該ＭＳの副経路として選択されたＲＳに対応するＢＳであることを知り、メッセージ３０６−２内のｓｕｂ  ＲＳＩＤに対応するＲＳへメッセージ３０７−２を送信する。ＢＳまたはＲＳが副経路として選ばれたＲＳに対応することを意識する必要がない場合、Ｓ４５８は省略可能である。
経路選択をＢＳで行う場合、図５９ａと同様の処理がＢＳで行われる。
図６０ｃに、主経路から副経路への切り替えにおけるＢＳの処理の一例を示す。
Ｓ４６１で、切り替えを行うＭＳの副経路として選択されているＲＳに対応するＢＳは、ＲＳからのメッセージ４０２を受信する。
メッセージ４０２を受信したＢＳは、Ｓ４６２で、メッセージ４０３にメッセージ４０２で受け取ったＭＳＩＤ及びＭＳ  ｐｒｏｆｉｌｅ及びａｌｌ  ａｖａｉｌａｂｌｅ  ＲＳＩＤｓを含めて、ＡＧＷへ送信する。
また、ＲＳからＡＰＬＩＤを受信した場合は、それもメッセージ４０３に含める。
メッセージ４０３を送信したＢＳは、Ｓ４６３で、ＡＧＷからのメッセージ４０４を受信する。
ＡＧＷからのメッセージ４０４を受信したＢＳは、Ｓ４６４で、メッセージ４０４を送信してきたＡＧＷとのデータ経路を設定する。
Ｓ４６５で、ＢＳは、メッセージ４０４に含まれるｎｅｗ  ｍａｉｎ  ＲＳＩＤに対応するＲＳへメッセージ４０５を送信する。
Ｓ４６６で、ＢＳは、該ＲＳとのデータ経路を設定する。
一方、主経路から副経路への切り替えにおいて、ＡＧＷによって新たな副経路として選択されたＲＳに対応するＢＳは、Ｓ４６７で、メッセージ４０９を受信し、メッセージ内のＭＳＩＤ及びｎｅｗ  ｓｕｂ  ＲＳＩＤから自身が該ＭＳの新たな副経路として選択されたＲＳに対応するＢＳであることを知る。
Ｓ４６８で、ＢＳは、メッセージ４０９に含まれるｎｅｗ  ｓｕｂ  ＲＳＩＤに対応するＲＳへメッセージ４１０を送信する。
経路選択をＢＳで行う場合、図６０ａと同様の処理がＢＳで行われる。
［本実施の形態のＭＳの一例］
図４ｄに、本実施の形態で使用するＭＳの機能ブロック図の一例を示す。
無線インタフェース部６１は、無線インタフェースである。無線インタフェース部６１により、ＭＳはＢＳまたはＲＳとＩＰパケットの送受信を行う。
メモリ部６２は、送受信するＩＰパケット、ＭＳ  ｐｒｏｆｉｌｅ（ｒＭＳ）、ＱｏＳ  ｐａｒａｍｅｔｅｒｓ  （ＥＲＳ）、ＡＰＬＩＤ、接続するＢＳまたはＲＳのアドレスなどの情報を、必要に応じてＭＳＩＤや主経路または副経路として選択されたＢＳＩＤまたはＲＳＩＤと対応付けて管理する。経路選択がＭＳで行われるアーキテクチャの場合、主経路及び副経路の選択に用いる図２２ａ、図２５、図２６、図２７などの情報がメモリ部に保存される。
処理部６３は、メモリ部４３に保持される情報の管理、ＩＰパケットの構築・解析などのＩＰパケット送受信処理などを行う。経路選択がＭＳで行われるアーキテクチャの場合、主経路及び副経路の選択の際に与えられた式に基づいた計算などの機能が追加される。
バッテリー部６４は、ＭＳのバッテリーである。
［本実施の形態のＭＳの処理の一例］
図５９ｄに、主経路及び副経路の設定におけるＭＳの処理の一例を示す。
Ｓ６５１で、ＭＳは、主経路及び副経路の設定を要求するために、自身が通信可能なＲＳの一つに対してメッセージ３０１を送信する。ＭＳがメッセージ３０１を送信するＲＳは、例えば自身が通信可能なＲＳの中で信号の受信強度が最高のＲＳを選択しても良いし、ランダムに決定してもよい。
ＭＳは、メッセージ３０１に自身のＭＳＩＤ及び自身のＭＳ  ｐｒｏｆｉｌｅ及びａｌｌ  ａｖａｉｌａｂｌｅ  ＲＳＩＤｓを含める。ＭＳは、ＭＳ  ｐｒｏｆｉｌｅに、ＭＳの要求するリソース量の指標（ｒＭＳｎｅｗ）を設定する。
また、ＭＳは、ＭＳ  ｐｒｏｆｉｌｅに、ＭＳの優先度などの情報を設定することができる。ＭＳの優先度は、ＡＧＷ主導の経路変更要求の際にどのＭＳの経路を変更するか決定する場合や、ＡＧＷ内またはＰＣＲＦ内に設定されているポリシー情報に含まれるＷｅｉｇｈｔを決定する場合に用いることができる。
また、ＭＳはメッセージ３０１にＡＰＬＩＤを含めることもできる。ＡＰＬＩＤは、ＡＧＷ内またはＰＣＲＦ内に設定されているポリシー情報がアプリケーションに依存しない場合は省略可能である。
Ｓ６５２で、ＡＧＷが主経路として選択したＲＳからメッセージ３０８−１を受信したＭＳは、メッセージ３０８−１内のｍａｉｎ  ＲＳＩＤから主経路として選択されたＲＳを知り、メッセージ３０８−１内のｓｕｂ  ＲＳＩＤから副経路として選択されたＲＳを知る。
Ｓ６５３で、メッセージ３０８−１を受信したＭＳは、メッセージ３０８−１内のｍａｉｎ  ＲＳＩＤ及びｓｕｂ  ＲＳＩＤをメモリ部へ保存する。
Ｓ６５４で、メッセージ３０８−１を受信したＭＳは、主経路として選択されたＲＳとのデータ経路を設定し、該ＲＳを主経路として使用する。
経路選択をＭＳで行う場合、図５９ａと同様の処理がＭＳで行われる。
図６０ｄに、主経路から副経路への切り替えにおけるＭＳの処理の一例を示す。
Ｓ６６１で、ＭＳは、主経路から副経路への切り替えを要求するために、メモリ部から副経路のＲＳＩＤを参照し、副経路のＲＳに対してメッセージ４０１を送信する。
また、ＭＳはメッセージ４０１にＡＰＬＩＤを含めることもできる。ＡＰＬＩＤは、アプリケーションによって経路として選択されるＲＳを変化させない場合は省略可能である。
Ｓ６６２で、ＡＧＷが主経路として選択したＲＳからメッセージ４０６−１を受信したＭＳは、メッセージ４０６−１内のｎｅｗ  ｍａｉｎ  ＲＳＩＤから副経路のＲＳが新たに主経路として選択されたことを知る。
Ｓ６６３で、メッセージ４０６−１を受信したＭＳは、メッセージ４０６−１内のｎｅｗ  ｍａｉｎ  ＲＳＩＤをメモリ部へ保存する。
Ｓ６６４で、メッセージ４０６−１を受信したＭＳは、新たな主経路となったＲＳとのデータ経路を設定し、該ＲＳを新たな主経路として使用する。
また、メッセージ４１１を受信したＭＳは、メッセージ４１１内のｎｅｗ  ｓｕｂ  ＲＳＩＤから、新たに副経路として選択されたＲＳのＲＳＩＤを知り、そのＲＳＩＤをメモリ部へ保存する。
経路選択をＭＳで行う場合、図６０ａと同様の処理がＭＳで行われる。
［本実施の形態のＲＳの一例］
図４ｅに、本実施の形態で使用するＲＳの機能ブロック図の一例を示す。
無線インタフェース部７１は、無線インタフェースである。無線インタフェース部７１により、ＲＳはＭＳおよびＢＳとＩＰパケットの送受信を行う。
メモリ部７２は、送受信するＩＰパケット、ＲＳ  ｐｒｏｆｉｌｅ情報（ＲＳが許容できる無線リソース量の上限値の指標ｒＲＳＭａｘ）、ＱｏＳ  ｐａｒａｍｅｔｅｒｓ  （ＥＲＳ、ＴＲＳ、ＭＲＳ、ＰＲＳ）、接続するＭＳおよびＢＳのアドレスなどの情報を、必要に応じてＭＳＩＤや主経路または副経路として選択されたＲＳＩＤと対応付けて管理する。
処理部７３は、メモリ部４３に保持される情報の管理、ＩＰパケットの構築・解析などのＩＰパケット送受信処理などを行う。
バッテリー部７４は、ＲＳのバッテリーである。ＲＳが常に電力供給されている場合は、バッテリー部４５は省略可能である。
［本実施の形態のＲＳの処理の一例］
図５９ｅに、主経路及び副経路の設定におけるＲＳの処理の一例を示す。
Ｓ７５１で、ＲＳは、ＭＳからのメッセージ３０１を受信する。
ＭＳがメッセージ３０１を他のＲＳへ送信した場合、Ｓ７５１およびＳ７５２は省略される。
メッセージ３０１を受信したＲＳは、Ｓ７５２で、メッセージ３０２にメッセージ３０１で受け取ったＭＳＩＤ及びＭＳ  ｐｒｏｆｉｌｅ及びａｌｌ  ａｖａｉｌａｂｌｅ  ＲＳＩＤｓを含めて、ＢＳへ送信する。
また、ＭＳからＡＰＬＩＤを受信した場合は、それもメッセージ３０２に含める。
主経路及び副経路の設定において、ＡＧＷによって副経路として選択されたＲＳは、Ｓ７５３で、ＢＳからのメッセージ３０７−１を受信する。
ＡＧＷからのメッセージ３０７−１を受信したＲＳは、Ｓ７５４で、メッセージ内のＭＳＩＤ及びｍａｉｎ  ＲＳＩＤから自身が該ＭＳの主経路として選択されたことを知り、メッセージ３０７−１を送信してきたＢＳとのデータ経路を設定する。
Ｓ７５５で、ＲＳは、メッセージ３０７−１に含まれるＭＳＩＤに対応するＭＳへメッセージ３０８−１を送信する。
Ｓ７５６で、ＲＳは、該ＭＳとのデータ経路を設定する。
一方、主経路及び副経路の設定において、ＡＧＷによって副経路として選択されたＲＳは、メッセージ３０７−２を受信し、メッセージ内のＭＳＩＤ及びｓｕｂ  ＲＳＩＤから、自身が該ＭＳの副経路として選択されたことを知る。ＲＳが副経路として選ばれたことを意識する必要がない場合、このメッセージは省略可能である。
図６０ｅに、主経路から副経路への切り替えにおけるＲＳの処理の一例を示す。
Ｓ７６１で、切り替えを行うＭＳの副経路として選択されているＲＳは、ＭＳからのメッセージ４０１を受信する。
メッセージ４０１を受信したＲＳは、Ｓ７６２で、メッセージ４０２にメッセージ４０１で受け取ったＭＳＩＤ及びＭＳ  ｐｒｏｆｉｌｅ及びａｌｌ  ａｖａｉｌａｂｌｅ  ＲＳＩＤｓを含めて、ＢＳへ送信する。
また、ＭＳからＡＰＬＩＤを受信した場合は、それもメッセージ４０２に含める。
メッセージ４０２を送信したＲＳは、Ｓ７６３で、ＢＳからのメッセージ４０５を受信する。
ＢＳからのメッセージ４０５を受信したＲＳは、Ｓ７６４で、メッセージ４０５を送信してきたＢＳとのデータ経路を設定する。
Ｓ７６５で、ＲＳは、メッセージ４０５に含まれるＭＳＩＤに対応するＭＳへメッセージ４０６を送信する。
Ｓ７６６で、ＲＳは、該ＭＳとのデータ経路を設定する。
一方、主経路から副経路への切り替えにおいて、ＡＧＷによって新たな副経路として選択されたＲＳは、Ｓ７６７で、メッセージ４１０を受信し、メッセージ内のＭＳＩＤ及びｎｅｗ  ｓｕｂ  ＲＳＩＤから自身が該ＭＳの副経路のＲＳとして選択されたことを知る。
Ｓ７６８で、ＲＳは、メッセージ４０９に含まれるＭＳＩＤに対応するＭＳへメッセージ４１１を送信する。
［本実施の形態のＲＳＦの一例］
図４ｆに、本実施の形態で使用するＲＳＦの機能ブロック図の一例を示す。
ＡＧＷインタフェース部９１は、ＡＧＷとのインタフェースである。ＡＧＷインタフェース部９１により、ＲＳＦはＡＧＷとＩＰパケットの送受信を行う。
メモリ部９２は、送受信するＩＰパケット、ＲＳ  ｐｒｏｆｉｌｅ（ｒＲＳＭａｘ）、ＭＳ  ｐｒｏｆｉｌｅ（ｒＭＳ）、ＱｏＳ  ｐａｒａｍｅｔｅｒｓ  （Ｅ、Ｔ、Ｍ、Ｐ）、ＡＰＬＩＤ、Ｗｅｉｇｈｔ（ｗＥ、ｗＴ、ｗＭ、ｗＱｏＳ、ｗｒｍａｉｎ、ｗｒｓｕｂ）、接続するＰＣＲＦ３およびＲＳ７のアドレスなどの情報を、必要に応じてＭＳＩＤや主経路または副経路として選択されたＲＳＩＤと対応付けて管理する。
処理部９３は、メモリ部２５に保持される情報の管理、ＩＰパケットの構築・解析などのＩＰパケット送受信処理や、主経路及び副経路の選択の際に与えられた式に基づいた計算などを行う。
［本実施の形態のＲＳＦのメモリ部が保持する情報の一例］
ＲＳＦは経路選択に必要な情報として、図２２ａ、図２５、図２６、図２７などの情報を有する。
［本実施の形態のＲＳＦの処理の一例］
主経路及び副経路の設定におけるＲＳＦの処理の一例は、図５９ａと同様になる。
主経路から副経路への切り替えにおけるＲＳＦの処理の一例は、図６０ａと同様になる。
【００２５】
３−６．メッセージフォーマット
［本実施の形態のＭＳからＲＳへ送信されるメッセージフォーマットの一例］
図３８に、本実施の形態のリレー方式における主経路および副経路設定で、ＭＳからＲＳへ送信されるメッセージ３０１のフォーマットの一例を示す。
Ｈｅａｄｅｒ３０１０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド３０１０２は、図１１に示すＴＬＶフォーマットであり、Ｖａｌｕｅフィールド１０００３にＭＳＩＤを設定する。
ＭＳ  ｐｒｏｆｉｌｅフィールド３０１０３は、図１１に示すＴＬＶフォーマットであり、Ｖａｌｕｅフィールド１０００３にＭＳが要求する無線リソース量の指標などのＭＳのプロファイル情報を設定する。ＭＳのプロファイル情報にはＭＳの優先度を含めてもよい。
ａｌｌ  ａｖａｉｌａｂｌｅ  ＲＳＩＤｓフィールド３０１０４は、図１１に示すＴＬＶフォーマットであり、Ｖａｌｕｅフィールド１０００３に経路の候補となる全てのＲＳのＲＳＩＤを設定する。
ＡＰＬＩＤフィールド３０１０５は、図１１に示すＴＬＶフォーマットであり、ＭＳが起動するアプリケーションのＡＰＬＩＤを設定する。
図４８に、本実施の形態のリレー方式における主経路から副経路への切り替えで、ＭＳからＲＳへ送信されるメッセージ４０１のフォーマットの一例を示す。
Ｈｅａｄｅｒ４０１０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド４０１０２は、図１１に示すＴＬＶフォーマットであり、Ｖａｌｕｅフィールド１０００３にＭＳＩＤを設定する。
ｓｕｂ  ＲＳＩＤフィールド４０１０３は、図１１に示すＴＬＶフォーマットであり、メモリ部に保存されている副経路のＲＳに対応するＲＳＩＤをＶａｌｕｅフィールド１０００３に設定する。
ＡＰＬＩＤフィールド４０１０４は、図１１に示すＴＬＶフォーマットであり、Ｖａｌｕｅフィールド１０００３にＭＳが起動するアプリケーションのＡＰＬＩＤを設定する。
［本実施の形態のＲＳからＢＳへ送信されるメッセージフォーマットの一例］
図３９に、本実施の形態のリレー方式の場合における主経路および副経路設定で、ＲＳからＢＳへ送信されるメッセージ３０２のフォーマットの一例を示す。
Ｈｅａｄｅｒ３０２０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド３０２０２には、メッセージ３０１で受け取ったＭＳＩＤフィールド３０１０２の値をコピーする。
ＭＳ  ｐｒｏｆｉｌｅフィールド３０２０３には、メッセージ３０１で受け取ったＭＳ  ｐｒｏｆｉｌｅフィールド３０１０３の値をコピーする。
ａｌｌ  ａｖａｉｌａｂｌｅ  ＲＳＩＤｓフィールド３０２０４には、メッセージ３０１で受け取ったａｌｌ  ａｖａｉｌａｂｌｅ  ＲＳＩＤｓフィールド３０１０４の値をコピーする。
ＡＰＬＩＤフィールド３０２０５には、メッセージ３０１で受け取ったＡＰＬＩＤフィールド３０１０５の値をコピーする。
図４９に、本実施の形態のリレー方式の場合における主経路から副経路への切り替えで、ＢＳからＡＧＷへ送信されるメッセージ４０２のフォーマットの一例を示す。
Ｈｅａｄｅｒ４０２０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド４０２０２には、メッセージ４０１で受け取ったＭＳＩＤフィールド４０１０２の値をコピーする。
ｓｕｂ  ＢＳＩＤフィールド４０２０３には、メッセージ４０１で受け取ったｓｕｂ  ＢＳＩＤフィールド４０１０３の値をコピーする。
ＡＰＬＩＤフィールド４０２０４には、メッセージ４０１で受け取ったＡＰＬＩＤフィールド４０１０４の値をコピーする。
［本実施の形態のＢＳからＡＧＷへ送信されるメッセージフォーマットの一例］
図４０に、本実施の形態のリレー方式の場合における主経路および副経路設定で、ＢＳからＡＧＷへ送信されるメッセージ３０３のフォーマットの一例を示す。
Ｈｅａｄｅｒ３０３０１は、非特許文献１のＦｉｇｕｒｅ  ５．１．１．２−１に記載されているＬ１、Ｌ２、およびＩＰの情報を格納する。
ＭＳＩＤフィールド３０３０２には、メッセージ３０２で受け取ったＭＳＩＤフィールド３０２０２の値をコピーする。
ＭＳ  ｐｒｏｆｉｌｅフィールド３０３０３には、メッセージ３０２で受け取ったＭＳ  ｐｒｏｆｉｌｅフィールド３０２０３の値をコピーする。
ａｌｌ  ａｖａｉｌａｂｌｅ  ＲＳＩＤｓフィールド３０３０４には、メッセージ３０２で受け取ったａｌｌ  ａｖａｉｌａｂｌｅ  ＲＳＩＤｓフィールド３０２０４の値をコピーする。
ＡＰＬＩＤフィールド３０３０５には、メッセージ３０２で受け取ったＡＰＬＩＤフィールド３０２０５の値をコピーする。
図５０に、本実施の形態のリレー方式の場合における主経路から副経路への切り替えで、ＢＳからＡＧＷへ送信されるメッセージ４０３のフォーマットの一例を示す。
Ｈｅａｄｅｒ４０３０１は、非特許文献１のＦｉｇｕｒｅ  ５．１．１．２−１に記載されているＬ１、Ｌ２、およびＩＰの情報を格納する。
ＭＳＩＤフィールド４０３０２には、メッセージ４０２で受け取ったＭＳＩＤフィールド４０２０２の値をコピーする。
ｓｕｂ  ＢＳＩＤフィールド４０３０３には、メッセージ４０２で受け取ったｓｕｂ  ＢＳＩＤフィールド４０２０３の値をコピーする。
ＡＰＬＩＤフィールド４０３０４には、メッセージ４０２で受け取ったＡＰＬＩＤフィールド４０２０４の値をコピーする。
［本実施の形態のＡＧＷからＰＣＲＦへ送信されるメッセージフォーマットの一例］
図４１に、本実施の形態のリレー方式の場合における主経路および副経路設定で、ＡＧＷからＰＣＲＦへ送信されるメッセージ３０４のフォーマットの一例を示す。
Ｈｅａｄｅｒ３０４０１は、非特許文献１のＦｉｇｕｒｅ  ５．１．１．２−１に記載されているＬ１、Ｌ２、およびＩＰの情報を格納する。
ＭＳＩＤフィールド３０４０２には、メッセージ３０３で受け取ったＭＳＩＤフィールド３０３０２の値をコピーする。
ａｌｌ  ａｖａｉｌａｂｌｅ  ＲＳＩＤｓフィールド３０４０３には、メッセージ３０３で受け取ったａｌｌ  ａｖａｉｌａｂｌｅ  ＲＳＩＤｓフィールド３０３０４の値をコピーする。
ＡＰＬＩＤフィールド３０４０４には、メッセージ３０３で受け取ったＡＰＬＩＤフィールド３０３０５の値をコピーする。
図５４に、本実施の形態のリレー方式の場合における主経路から副経路への切り替えで、ＡＧＷからＰＣＲＦへ送信されるメッセージ４０７のフォーマットの一例を示す。
Ｈｅａｄｅｒ４０７０１は、非特許文献１のＦｉｇｕｒｅ  ５．１．１．２−１に記載されているＬ１、Ｌ２、およびＩＰの情報を格納する。
ＭＳＩＤフィールド４０７０２には、メッセージ４０３で受け取ったＭＳＩＤフィールド４０３０２の値をコピーする。
ａｌｌ  ａｖａｉｌａｂｌｅ  ＲＳＩＤｓフィールド４０７０３には、メッセージ４０３で受け取ったａｌｌ  ａｖａｉｌａｂｌｅ  ＲＳＩＤｓフィールド４０３０４の値をコピーする。
ＡＰＬＩＤフィールド４０７０４には、メッセージ４０３で受け取ったＡＰＬＩＤフィールド４０３０５の値をコピーする。
［本実施の形態のＰＣＲＦからＡＧＷへ送信されるメッセージフォーマットの一例］
図４２に、本実施の形態のリレー方式の場合における主経路および副経路設定で、ＰＣＲＦからＡＧＷへ送信されるメッセージ３０５−１のフォーマットの一例を示す。
Ｈｅａｄｅｒ３０５１１は、非特許文献１のＦｉｇｕｒｅ  ５．１．１．２−１に記載されているＬ１、Ｌ２、およびＩＰの情報を格納する。
ＭＳＩＤフィールド３０５１２には、メッセージ３０４で受け取ったＭＳＩＤフィールド３０４０２の値をコピーする。
ａｌｌ  ａｖａｉｌａｂｌｅ  ＲＳＩＤｓフィールド３０５１３には、メッセージ３０４で受け取ったａｌｌ  ａｖａｉｌａｂｌｅ  ＲＳＩＤｓフィールド３０４０３の値をコピーする。経路選択の際に品質も考慮し、かつポリシーにＱｏＳ  ｐａｒａｍｅｔｅｒｓのＰＲＳ、ＭＲＳが含まれる場合、メモリ部から各ＲＳＩＤに対応するＰＲＳ、ＭＲＳを引き出し、ａｌｌ  ａｖａｉｌａｂｌｅ  ＲＳＩＤｓフィールド３０５１３に設定する。
Ｗｅｉｇｈｔフィールド３０５１４には、メモリ部に保存されているポリシーから対応するＷｅｉｇｈｔ（ｗＥＲＳ、ｗＴＲＳ、ｗＭＲＳ、ｗＱｏＳ、ｗｒｍａｉｎ、ｗｒｓｕｂ）の値を引き出して設定する。
ＡＰＬＩＤフィールド３０５１５には、メッセージ３０４で受け取ったＡＰＬＩＤフィールド３０４０４の値をコピーする。
図５５に、本実施の形態のリレー方式の場合における主経路から副経路への切り替えで、ＰＣＲＦからＡＧＷへ送信されるメッセージ４０８−１のフォーマットの一例を示す。
Ｈｅａｄｅｒ４０８１１は、非特許文献１のＦｉｇｕｒｅ  ５．１．１．２−１に記載されているＬ１、Ｌ２、およびＩＰの情報を格納する。
ＭＳＩＤフィールド４０８１２には、メッセージ４０７で受け取ったＭＳＩＤフィールド４０７０２の値をコピーする。
ａｌｌ  ａｖａｉｌａｂｌｅ  ＲＳＩＤｓフィールド４０８１３には、メッセージ４０７で受け取ったａｌｌ  ａｖａｉｌａｂｌｅ  ＲＳＩＤｓフィールド４０７０３の値をコピーする。経路選択の際に品質も考慮し、かつポリシーにＱｏＳ  ｐａｒａｍｅｔｅｒｓのＰＲＳ、ＭＲＳが含まれる場合、メモリ部から各ＲＳＩＤに対応するＰ、Ｍを引き出し、ａｌｌ  ａｖａｉｌａｂｌｅ  ＲＳＩＤｓフィールド４０８１３に設定する。
Ｗｅｉｇｈｔフィールド４０８１４には、メモリ部に保存されているポリシーから対応するＷｅｉｇｈｔ（ｗＥＲＳ、ｗＴＲＳ、ｗＭＲＳ、ｗＱｏＳ、ｗｒｍａｉｎ、ｗｒｓｕｂ）の値を引き出して設定する。
ＡＰＬＩＤフィールド４０８１５には、メッセージ４０７で受け取ったＡＰＬＩＤフィールド４０７０４の値をコピーする。
［本実施の形態のＡＧＷからＲＳＦへ送信されるメッセージフォーマットの一例］
本実施の形態の主経路および副経路設定、および主経路から副経路への切り替えで、ＡＧＷからＰＣＲＦへ送信されるメッセージ３０９のフォーマットの一例は、図４２にＭＳ  ｐｒｏｆｉｌｅを追加したものと同様になる。
［本実施の形態のＡＧＷからＢＳへ送信されるメッセージフォーマットの一例］
図４３に、本実施の形態のリレー方式の場合における主経路および副経路設定で、ＡＧＷから主経路として選択されたＲＳに対応するＢＳへ送信されるメッセージ３０６−１のフォーマットの一例を示す。
Ｈｅａｄｅｒ３０６１１は、非特許文献１のＦｉｇｕｒｅ  ５．１．１．２−１に記載されているＬ１、Ｌ２、およびＩＰの情報を格納する。
ＭＳＩＤフィールド３０６１２には、メッセージ３０３で受け取ったＭＳＩＤフィールド３０３０２の値をコピーする。
ｍａｉｎ  ＲＳＩＤフィールド３０６１３には、ＡＧＷが主経路として選択したＲＳのＲＳＩＤの値を設定する。
ｓｕｂ  ＲＳＩＤフィールド３０６１４には、ＡＧＷが副経路として選択したＲＳのＲＳＩＤの値を設定する。
ＡＰＬＩＤフィールド３０６１５には、メッセージ３０３で受け取ったＡＰＬＩＤフィールド３０３０５の値をコピーする。
図４４に、本実施の形態のリレー方式の場合における主経路および副経路設定で、ＡＧＷから副経路として選択されたＲＳに対応するＢＳへ送信されるメッセージ３０６−２のフォーマットの一例を示す。
Ｈｅａｄｅｒ３０６２１は、非特許文献１のＦｉｇｕｒｅ  ５．１．１．２−１に記載されているＬ１、Ｌ２、およびＩＰの情報を格納する。
ＭＳＩＤフィールド３０６２２には、メッセージ３０３で受け取ったＭＳＩＤフィールド３０３０２の値をコピーする。
ｓｕｂ  ＲＳＩＤフィールド３０６２３には、ＡＧＷが副経路として選択したＲＳのＲＳＩＤの値を設定する。
ＡＰＬＩＤフィールド３０６２４には、メッセージ３０３で受け取ったＡＰＬＩＤフィールド３０３０５の値をコピーする。
図５１に、本実施の形態のリレー方式の場合における主経路から副経路への切り替えで、ＡＧＷから新たに主経路として使用される副経路のＲＳに対応するＢＳへ送信されるメッセージ４０４のフォーマットの一例を示す。
Ｈｅａｄｅｒ４０４０１は、非特許文献１のＦｉｇｕｒｅ  ５．１．１．２−１に記載されているＬ１、Ｌ２、およびＩＰの情報を格納する。
ＭＳＩＤフィールド４０４０２には、メッセージ４０３で受け取ったＭＳＩＤフィールド４０３０２の値をコピーする。
ｎｅｗ  ｍａｉｎ  ＲＳＩＤフィールド４０４０３には、メッセージ４０３で受け取ったｓｕｂ  ＲＳＩＤフィールド４０３０２の値を設定する。
ＡＰＬＩＤフィールド４０４０４には、メッセージ４０３で受け取ったＡＰＬＩＤフィールド４０３０４の値をコピーする。
図５６に、本実施の形態のリレー方式の場合における主経路から副経路への切り替えで、ＡＧＷから新たに副経路として選択されたＲＳに対応するＢＳへ送信されるメッセージ４０９のフォーマットの一例を示す。
Ｈｅａｄｅｒ４０９０１は、非特許文献１のＦｉｇｕｒｅ  ５．１．１．２−１に記載されているＬ１、Ｌ２、およびＩＰの情報を格納する。
ＭＳＩＤフィールド４０９０２には、メッセージ４０３で受け取ったＭＳＩＤフィールド４０３０２の値をコピーする。
ｎｅｗ  ｓｕｂ  ＲＳＩＤフィールド４０９０３には、ＡＧＷが新たに副経路として選択したＲＳのＲＳＩＤの値を設定する。
ＡＰＬＩＤフィールド４０９０４には、メッセージ４０３で受け取ったＡＰＬＩＤフィールド４０３０４の値をコピーする。
［本実施の形態のＢＳからＲＳへ送信されるメッセージフォーマットの一例］
図４５に、本実施の形態のリレー方式の場合における主経路および副経路設定で、ＢＳから主経路として選択されたＲＳへ送信されるメッセージ３０７−１のフォーマットの一例を示す。
Ｈｅａｄｅｒ３０７１１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド３０７１２には、メッセージ３０６−１で受け取ったＭＳＩＤフィールド３０６１２の値をコピーする。
ｍａｉｎ  ＲＳＩＤフィールド３０７１３には、メッセージ３０６−１で受け取ったｍａｉｎ  ＲＳＩＤフィールド３０６１３の値をコピーする。
ｓｕｂ  ＲＳＩＤフィールド３０７１４には、メッセージ３０６−１で受け取ったｓｕｂ  ＲＳＩＤフィールド３０６１４の値をコピーする。
ＡＰＬＩＤフィールド３０７１５には、メッセージ３０６−１で受け取ったＡＰＬＩＤフィールド３０６１５の値をコピーする。
図４６に、本実施の形態のリレー方式の場合における主経路および副経路設定で、ＢＳから副経路として選択されたＲＳへ送信されるメッセージ３０７−２のフォーマットの一例を示す。
Ｈｅａｄｅｒ３０７２１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド３０７２２には、メッセージ３０６−２で受け取ったＭＳＩＤフィールド３０６２２の値をコピーする。
ｓｕｂ  ＲＳＩＤフィールド３０７２３には、メッセージ３０６−２で受け取ったＭＳＩＤフィールド３０６２３の値をコピーする。
ＡＰＬＩＤフィールド３０７２４には、メッセージ３０６−２で受け取ったＡＰＬＩＤフィールド３０６２４の値をコピーする。
図５２に、本実施の形態のリレー方式の場合における主経路から副経路への切り替えで、ＢＳから新たに主経路として使用される副経路のＲＳへ送信されるメッセージ４０５のフォーマットの一例を示す。
Ｈｅａｄｅｒ４０５０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド４０５０２には、メッセージ４０４で受け取ったＭＳＩＤフィールド４０４０２の値をコピーする。
ｎｅｗ  ｍａｉｎ  ＲＳＩＤフィールド４０５０３には、メッセージ４０４で受け取ったｎｅｗ  ｍａｉｎ  ＲＳＩＤフィールド４０４０３の値を設定する。
ＡＰＬＩＤフィールド４０５０４には、メッセージ４０４で受け取ったＡＰＬＩＤフィールド４０４０４の値をコピーする。
図５７に、本実施の形態のリレー方式の場合における主経路から副経路への切り替えで、ＢＳから新たに副経路として選択されたＲＳへ送信されるメッセージ４１０のフォーマットの一例を示す。
Ｈｅａｄｅｒ４１００１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド４１００２には、メッセージ４０９で受け取ったＭＳＩＤフィールド４０９０２の値をコピーする。
ｎｅｗ  ｓｕｂ  ＲＳＩＤフィールド４１００３には、メッセージ４０９で受け取ったｎｅｗ  ｓｕｂ  ＲＳＩＤフィールド４０９０３の値をコピーする。
ＡＰＬＩＤフィールド４１００４には、メッセージ４０９で受け取ったＡＰＬＩＤフィールド４０９０４の値をコピーする。
［本実施の形態のＲＳからＭＳへ送信されるメッセージフォーマットの一例］
図４７に、本実施の形態のリレー方式の場合における主経路および副経路設定で、主経路として選択されたＲＳからＭＳへ送信されるメッセージ３０８−１のフォーマットの一例を示す。
Ｈｅａｄｅｒ３０８１１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド３０８１２には、メッセージ３０７−１で受け取ったＭＳＩＤフィールド３０７１２の値をコピーする。
ｍａｉｎ  ＲＳＩＤフィールド３０８１３には、メッセージ３０７−１で受け取ったｍａｉｎ  ＲＳＩＤフィールド３０７１３の値をコピーする。
ｓｕｂ  ＲＳＩＤフィールド３０８１４には、メッセージ３０７−１で受け取ったｓｕｂ  ＲＳＩＤフィールド３０７１４の値をコピーする。
ＡＰＬＩＤフィールド３０８１５には、メッセージ３０７−１で受け取ったＡＰＬＩＤフィールド３０７１５の値をコピーする。
図５３に、本実施の形態のリレー方式の場合における主経路から副経路への切り替えで、新たに主経路として使用される副経路のＲＳからＭＳへ送信されるメッセージ４０６−１のフォーマットの一例を示す。
Ｈｅａｄｅｒ４０６１１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド４０６１２には、メッセージ４０５で受け取ったＭＳＩＤフィールド４０５０２の値をコピーする。
ｎｅｗ  ｍａｉｎ  ＲＳＩＤフィールド４０６１３には、メッセージ４０５で受け取ったｎｅｗ  ｍａｉｎ  ＲＳＩＤフィールド４０５０３の値を設定する。
ＡＰＬＩＤフィールド４０６１４には、メッセージ４０５で受け取ったＡＰＬＩＤフィールド４０５０４の値をコピーする。
図５８に、本実施の形態のリレー方式の場合における主経路から副経路への切り替えで、新たに副経路として選択されたＲＳからＭＳへ送信されるメッセージ４１１のフォーマットの一例を示す。
Ｈｅａｄｅｒ４１１０１は、非特許文献１のＦｉｇｕｒｅ  ５．１．１．３−１に記載されているＬ１、ＭＡＣ、ＲＬＣ、ＰＤＣＰ、ＩＰの情報を格納する。
ＭＳＩＤフィールド４１１０２には、メッセージ４１０で受け取ったＭＳＩＤフィールド４１００２の値をコピーする。
ｎｅｗ  ｓｕｂ  ＲＳＩＤフィールド４１１０３には、メッセージ４１０で受け取ったｎｅｗ  ｓｕｂ  ＲＳＩＤフィールド４１００３の値をコピーする。
ＡＰＬＩＤフィールド４１１０４には、メッセージ４１０で受け取ったＡＰＬＩＤフィールド４１００４の値をコピーする。
【００２６】
４．実施の形態３（基地局および中継局）
［実施の形態３：移動局と基地局との間に中継局を介するリレー方式による移動体無線通信システムにおける中継局および基地局の残存リソースに基づく主経路および副経路選択の一例］
［本実施の形態のリレー方式による移動体無線通信システムのアーキテクチャの一例］
本実施の形態は、リレー方式における中継局および基地局の選択にも適用可能である。図２ｄに本実施の形態が想定しているリレー方式による移動体無線通信システムのアーキテクチャの一例を示す。
ＡＧＷ２はＩＰネットワーク１と接続し、ＲＳ７およびＢＳ４の残存リソースに基づく主経路及び副経路の選択機能を有し、ＢＳ４と制御信号およびデータのやり取りをする。経路選択をゲートウェイ以外のノードで行う場合、ＡＧＷ２の主経路および副経路の選択機能は省略される。
ＰＣＲＦ３は、選択基準の重み付けなどの情報をポリシー情報として管理し、ＡＧＷ２と制御信号およびデータのやり取りをする。ポリシー情報をＡＧＷ２内に事前設定する場合は、ＰＣＲＦ３は省略可能である。
ＢＳ４は、ＢＳ４の無線通信範囲５内にいるＲＳ７及びＢＳ４の無線通信範囲５内にいるＭＳ６と、制御信号およびデータのやり取りをする。図２ｄの場合、例えばＢＳ４−１は、ＡＧＷ２及び無線通信範囲５−１内にいるＲＳ７−１及びＭＳ６−３及びＭＳ６−５及びＭＳ６−８と、それぞれデータのやり取りが可能である。経路選択をＢＳ４で行う場合、ＢＳ４はＲＳ７および自身の残存リソースに基づく主経路および副経路の選択機能を有する。
ＭＳ６は、無線通信可能なＢＳ４および無線通信可能なＲＳ７と、制御信号およびデータのやり取りをする。図２ｄの場合、例えばＭＳ６−８はＢＳ４−１及びＲＳ７−１及びＲＳ７−３と、それぞれデータのやり取りが可能である。経路選択をＭＳ６で行う場合、ＭＳ６はＲＳ７およびＢＳ４の残存リソースに基づく主経路および副経路の選択機能を有する。
ＲＳ７は、ＲＳ７の無線通信範囲８内にいるＢＳ４及びＲＳ７の無線通信範囲８内にいるＭＳ６と、制御信号およびデータのやり取りをする。図２ｄの場合、例えばＲＳ７−１は無線通信範囲８−１内にいるＢＳ４−１及びＭＳ６−１及びＭＳ６−２及びＭＳ６−３及びＭＳ６−４及びＭＳ６−５及びＭＳ６−７及びＭＳ６−８及びＭＳ６−１２と、それぞれデータのやり取りが可能である。また、ＢＳ４とＭＳ６との間の通信に用いる経路中に複数のＲＳ７を経由する経路を許すケースにも、本実施の形態は適用可能である。
ＲＳＦ９は、ＲＳ７およびＢＳ４の残存リソースに基づく主経路及び副経路の選択機能を有する外部装置で、ＡＧＷ２と制御信号およびデータの送受信を行う。主経路及び副経路の選択を外部装置以外のノードで行う場合、ＲＳＦ９は省略可能である。
［本実施の形態の移動局が経路として選択可能な中継局の識別子を取得する方法の一例］
実施の形態２と同様である。
［本実施の形態の中継局が持つ中継局および基地局のプロファイル情報を経路選択機能を有する装置へ通知する方法の一例］
中継局のプロファイルの通知方法は、実施の形態２と同様である。
基地局のプロファイルの通知方法は、実施の形態１と同様である。
［本実施の形態のリレー方式による無線システムの主経路及び副経路設定のコールフローの一例］
実施の形態２と同様である。ただし、実施の形態１の情報要素と実施の形態２の情報要素がともに各メッセージに含まれる点が、実施の形態２と異なる。
［本実施の形態のリレー方式による無線システムの主経路から副経路への切り替えのコールフローの一例］
実施の形態２と同様である。主経路から副経路への切り替えが発生するケースとしては、例えば、主経路として選択していたＲＳまたはＢＳの無線通信範囲外へＭＳが移動した場合（図２ｅ）や、主経路として選択していたＲＳまたはＢＳが使用不能になった場合（図２ｆ）などが考えられる。例えば、図２ｆのＭＳ６−８が主経路として使用していたＲＳ７−１との接続を断ち、副経路として選択していたＢＳ４−１を新たな主経路として接続し、新たな副経路としてＲＳ７−３を選択する場合がある。ただし、実施の形態１の情報要素と実施の形態２の情報要素がともに各メッセージに含まれる点が、実施の形態２と異なる。
［本実施の形態のＡＧＷの一例］
実施の形態２と同様である。
［本実施の形態のＡＧＷのメモリ部が保持する情報の一例］
実施の形態１の情報要素と実施の形態２の情報要素の和集合の情報要素が保存される。
［本実施の形態のＡＧＷの処理の一例］
実施の形態１および実施の形態２に記載の、無線システムの主経路及び副経路設定におけるＡＧＷの処理の一例がともに実行される。
さらに、ＡＧＷは、式１１の各パラメータに値を代入し、主経路の総合的な評価指標（Ｒｍａｉｎ）ｎを、選択可能な全ての経路についてそれぞれ計算する。
［式１１］
（Ｒｍａｉｎ）ｎ＝（Ｐｍａｉｎ）ｎ［ｗｍａｉｎａｖｅｒａｇｅ［ｗｍａｉｎＢＳ（ＲｍａｉｎＢＳ）ｎ＋｛（Σｉ（ｗｍａｉｎＲＳ）ｉ（ＲｍａｉｎＲＳ）ｉ｝ｎ］／（Ｎ＋１）＋ｗｍａｉｎｒｅｓｏｕｒｃｅ＿ｍｉｎ（Ｒｒｍａｉｎ＿ｍｉｎ）ｎ］
前記式１１中、ｎは経路のインデックスである。
Ｎは経路中で経由する中継局の数である。
（Ｒｍａｉｎ）ｎは該経路の品質及び該ＲＳおよび該ＢＳの残存リソース量に基づく総合的な主経路の評価である。
（Ｐｍａｉｎ）ｎは該経路が主経路として選択される優先度を示すポリシー情報（経路の使用に関する重み付け）を示し、値を大きくすることにより該経路が優先的に選択されるようになる。
（ＲｍａｉｎＢＳ）ｎは該経路の品質及び該ＢＳの残存リソース量に基づく総合的なＢＳの主経路としての評価であり、実施の形態１と同様に式４に基づいて計算する。
（ＲｍａｉｎＲＳ）ｎは該経路の品質及び該ＲＳの残存リソース量に基づく総合的なＲＳの主経路としての評価であり、実施の形態２と同様に式９に基づいて計算する。
（Ｒｒｍａｉｎ＿ｍｉｎ）ｎは、実施の形態１と同様に式１に基づいて計算する該経路中のＢＳの残存リソース量に基づく主経路としての評価Ｒｒｍａｉｎと、実施の形態２と同様に式６に基づいて計算する該経路中のＲＳの残存リソース量に基づく主経路としての評価Ｒｒｍａｉｎの中で、最小となるＲｒｍａｉｎの値を示す。
ｗｍａｉｎＢＳは、（ＲｍａｉｎＢＳ）ｎに対する重み付けのパラメータを示す。
ｗｍａｉｎＲＳは、経路中の各ＲＳに対応する（ＲｍａｉｎＲＳ）ｎに対する重み付けのパラメータを示す。
ｗｍａｉｎａｖａｒａｇｅは、経路中のＢＳおよびＲＳの主経路としての評価指標の平均値に対する重み付けのパラメータを示す。
ｗｍａｉｎｒｅｓｏｕｒｃｅ＿ｍｉｎは、経路中のＢＳおよびＲＳに対応する（Ｒｒｍａｉｎ＿ｍｉｎ）ｎに対する重み付けのパラメータを示す。
また、ＡＧＷは、式１２の各パラメータに値を代入し、副経路の総合的な評価指標（Ｒｓｕｂ）ｎを、選択可能な全ての経路についてそれぞれ計算する。
［式１２］
（Ｒｓｕｂ）ｎ＝（Ｐｓｕｂ）ｎ［ｗｓｕｂａｖｅｒａｇｅ［ｗｓｕｂＢＳ（ＲｓｕｂＢＳ）ｎ＋｛（Σｉ（ｗｓｕｂＲＳ）ｉ（ＲｓｕｂＲＳ）ｉ｝ｎ］／（Ｎ＋１）＋ｗｓｕｂｒｅｓｏｕｒｃｅ＿ｍｉｎ（Ｒｒｓｕｂ＿ｍｉｎ）ｎ］
前記式１２中、ｎは経路のインデックスである。
Ｎは経路中で経由する中継局の数である。
（Ｒｓｕｂ）ｎは該経路の品質及び該ＲＳおよび該ＢＳの残存リソース量に基づく総合的な副経路の評価である。
（Ｐｓｕｂ）ｎは該経路が副経路として選択される優先度を示すポリシー情報（経路の使用に関する重み付け）を示し、値を大きくすることにより該経路が優先的に選択されるようになる。
（ＲｓｕｂＲＳ）ｎは該経路の品質及び該ＲＳの残存リソース量に基づく総合的なＲＳの副経路としての評価であり、実施の形態２と同様に式１０に基づいて計算する。
（ＲｓｕｂＢＳ）ｎは該経路の品質及び該ＢＳの残存リソース量に基づく総合的なＢＳの副経路としての評価であり、実施の形態１と同様に式５に基づいて計算する。
（Ｒｒｓｕｂ＿ｍｉｎ）ｎは、実施の形態１と同様に式２に基づいて計算する該経路中のＢＳの残存リソース量に基づく副経路としての評価Ｒｒｓｕｂと、実施の形態２と同様に式７に基づいて計算する該経路中のＲＳの残存リソース量に基づく主経路としての評価Ｒｒｓｕｂの中で、最小となるＲｒｓｕｂの値を示す。
ｗｍａｉｎＲＳは、経路中の各ＲＳに対応する（ＲｍａｉｎＲＳ）ｎに対する重み付けのパラメータを示す。
ｗｍａｉｎＢＳは、（ＲｍａｉｎＢＳ）ｎに対する重み付けのパラメータを示す。
ｗｓｕｂａｖａｒａｇｅは、経路中のＢＳおよびＲＳの副経路としての評価指標の平均値に対する重み付けのパラメータを示す。
ｗｓｕｂｒｅｓｏｕｒｃｅ＿ｍｉｎは、経路中のＢＳおよびＲＳに対応する（Ｒｒｓｕｂ＿ｍｉｎ）ｎに対する重み付けのパラメータを示す。
主経路および副経路の設定をゲートウェイ以外のノードで行う場合、経路選択に関する処理は省略される。
実施の形態１および実施の形態２に記載の、無線システムの主経路から副経路への切り替えにおけるＡＧＷの処理の一例がともに実行される。
新たな副経路の設定では、式１２に基づく経路選択の処理が行われる。
主経路および副経路の設定をゲートウェイ以外のノードで行う場合、経路選択に関する処理は省略される。
［本実施の形態のＰＣＲＦの一例］
実施の形態１および実施の形態２と同様であるが、ＢＳに関する経路選択情報とＲＳに関する経路選択情報をともにメモリ部および処理部で扱う点が異なる。
［本実施の形態のＢＳの一例］
実施の形態１および実施の形態２と同様であるが、ＢＳに関する経路選択情報とＲＳに関する経路選択情報をともにメモリ部および処理部で扱う点が異なる。
［本実施の形態のＭＳの一例］
実施の形態１および実施の形態２と同様であるが、ＢＳに関する経路選択情報とＲＳに関する経路選択情報をともにメモリ部および処理部で扱う点が異なる。
［本実施の形態のＲＳの一例］
実施の形態２と同様であるが、ＢＳに関する経路選択情報とＲＳに関する経路選択情報をともにメモリ部および処理部で扱う点が異なる。
［本実施の形態のＲＳＦの一例］
実施の形態１および実施の形態２と同様であるが、ＢＳに関する経路選択情報とＲＳに関する経路選択情報をともにメモリ部および処理部で扱う点が異なる。
［本実施の形態のメッセージフォーマットの一例］
実施の形態１および実施の形態２と同様であるが、ＢＳに関する経路選択情報とＲＳに関する経路選択情報をともに情報要素に加える点が異なる。
【符号の説明】
【００２７】
１                ＩＰネットワーク
２                ゲートウェイ
２１〜２６        ゲートウェイの機能ブロック図
Ｓ２０１〜Ｓ２２５  主経路及び副経路の設定におけるゲートウェイによる処理フローのステップ
Ｓ２３１〜Ｓ２４９  主経路から副経路への切り替えにおけるゲートウェイによる処理フローのステップ
Ｓ２５１〜Ｓ２７５  リレー方式による主経路及び副経路の設定におけるゲートウェイによる処理フローの
ステップ
Ｓ２８１〜Ｓ２９９  リレー方式による主経路から副経路への切り替えにおけるゲートウェイによる処理
フローのステップ
３                ポリシー管理機能
３１〜３３        ポリシー管理機能の機能ブロック図
Ｓ３０１〜Ｓ３０３  主経路及び副経路の設定におけるポリシー管理機能による処理フローにおけるステップ
Ｓ３１１〜Ｓ３１３  主経路から副経路への切り替えにおけるポリシー管理機能による処理フローのステップ
Ｓ３５１〜Ｓ３５３  リレー方式による主経路及び副経路の設定におけるポリシー管理機能による処理フロー
のステップ
Ｓ３６１〜Ｓ３６３  リレー方式による主経路から副経路への切り替えにおけるポリシー管理機能による処理
フローのステップ
４                基地局
４１〜４５        基地局の機能ブロック図
Ｓ４０１〜Ｓ４０６  主経路及び副経路の設定における基地局による処理フローにおけるステップ
Ｓ４１１〜Ｓ４１８  主経路から副経路への切り替えにおける基地局による処理フローのステップ
Ｓ４５１〜Ｓ４５８  リレー方式による主経路及び副経路の設定における基地局による処理フローのステップ
Ｓ４６１〜Ｓ４６８  リレー方式による主経路から副経路への切り替えにおける基地局による処理フローの
ステップ
５                基地局の無線通信範囲
６                移動局
６１〜６４        移動局の機能ブロック図
Ｓ６０１〜Ｓ６０４  主経路及び副経路の設定における移動局による処理フローにおけるステップ
Ｓ６１１〜Ｓ６１６  主経路から副経路への切り替えにおける移動局による処理フローのステップ
Ｓ６５１〜Ｓ６５４  リレー方式による主経路及び副経路の設定における移動局による処理フローのステップ
Ｓ６６１〜Ｓ６６６  リレー方式による主経路から副経路への切り替えにおける移動局による処理フローの
ステップ
７                中継局
７１〜７４        中継局の機能ブロック図
Ｓ７５１〜Ｓ７５６  リレー方式による主経路及び副経路の設定における中継局による処理フローのステップ
Ｓ７６１〜Ｓ７６６  リレー方式による主経路から副経路への切り替えにおける中継局による処理フローの
ステップ
８                中継局の無線通信範囲
９                経路選択機能を有する外部装置
９１〜９３        経路選択機能を有する外部装置の機能ブロック図
Ｔ１１〜Ｔ６５    メモリ部が管理する情報
Ｔ１１１〜Ｔ１６５  メモリ部が管理する情報
１００〜１０６    主経路および副経路設定におけるメッセージまたはステップ
２００〜２０８    主経路から副経路への切り替えにおけるメッセージまたはステップ
３００〜３０９    リレー方式の場合における主経路および副経路設定におけるメッセージまたはステップ
４００〜４１１    リレー方式の場合における主経路から副経路への切り替えにおけるメッセージまたは
ステップ
１０００１〜１０００３  メッセージのＴＬＶフォーマットのフィールド
１０１０１〜１０６１５  主経路および副経路の設定で用いるメッセージフォーマットのフィールド
２０１０１〜２０８０４  主経路から副経路への切り替えで用いるメッセージフォーマットのフィールド
３０１０１〜３０８１５  リレー方式の場合における主経路及び副経路の設定で用いるメッセージ
フォーマットのフィールド
４０１０１〜４１１０４  リレー方式の場合における主経路から副経路への切り替えで用いるメッセージ
フォーマットのフィールド
【図１ａ】
2011027464.tif 000003
【図１ｂ】
2011027464.tif 000004
【図１ｃ】
2011027464.tif 000005
【図２ａ】
2011027464.tif 000006
【図２ｂ】
2011027464.tif 000007
【図２ｃ】
2011027464.tif 000008
【図２ｄ】
2011027464.tif 000009
【図２ｅ】
2011027464.tif 000010
【図２ｆ】
2011027464.tif 000011
【図３】
2011027464.tif 000012
【図４ａ】
2011027464.tif 000013
【図４ｂ】
2011027464.tif 000014
【図４ｃ】
2011027464.tif 000015
【図４ｄ】
2011027464.tif 000016
【図４ｅ】
2011027464.tif 000017
【図４ｆ】
2011027464.tif 000018
【図５ａ】
2011027464.tif 000019
【図５ｂ】
2011027464.tif 000020
【図６】
2011027464.tif 000021
【図７】
2011027464.tif 000022
【図８】
2011027464.tif 000023
【図９】
2011027464.tif 000024
【図１０】
2011027464.tif 000025
【図１１】
2011027464.tif 000026
【図１２】
2011027464.tif 000027
【図１３】
2011027464.tif 000028
【図１４】
2011027464.tif 000029
【図１５】
2011027464.tif 000030
【図１６】
2011027464.tif 000031
【図１７】
2011027464.tif 000032
【図１８】
2011027464.tif 000033
【図１９ａ】
2011027464.tif 000034
【図１９ａ】
2011027464.tif 000035
【図１９ｂ】
2011027464.tif 000036
【図１９ｃ】
2011027464.tif 000037
【図１９ｄ】
2011027464.tif 000038
【図２０】
2011027464.tif 000039
【図２１ａ】
2011027464.tif 000040
【図２１ｂ】
2011027464.tif 000041
【図２１ｃ】
2011027464.tif 000042
【図２２ａ】
2011027464.tif 000043
【図２２ｂ】
2011027464.tif 000044
【図２３】
2011027464.tif 000045
【図２４】
2011027464.tif 000046
【図２５】
2011027464.tif 000047
【図２６】
2011027464.tif 000048
【図２７】
2011027464.tif 000049
【図２８ａ】
2011027464.tif 000050
【図２８ｂ】
2011027464.tif 000051
【図２８ｃ】
2011027464.tif 000052
【図２９ａ】
2011027464.tif 000053
【図２９ｂ】
2011027464.tif 000054
【図２９ｃ】
2011027464.tif 000055
【図２９ｄ】
2011027464.tif 000056
【図３０】
2011027464.tif 000057
【図３１】
2011027464.tif 000058
【図３２】
2011027464.tif 000059
【図３３】
2011027464.tif 000060
【図３４】
2011027464.tif 000061
【図３５】
2011027464.tif 000062
【図３６】
2011027464.tif 000063
【図３７】
2011027464.tif 000064
【図３８】
2011027464.tif 000065
【図３９】
2011027464.tif 000066
【図４０】
2011027464.tif 000067
【図４１】
2011027464.tif 000068
【図４２】
2011027464.tif 000069
【図４３】
2011027464.tif 000070
【図４４】
2011027464.tif 000071
【図４５】
2011027464.tif 000072
【図４６】
2011027464.tif 000073
【図４７】
2011027464.tif 000074
【図４８】
2011027464.tif 000075
【図４９】
2011027464.tif 000076
【図５０】
2011027464.tif 000077
【図５１】
2011027464.tif 000078
【図５２】
2011027464.tif 000079
【図５３】
2011027464.tif 000080
【図５４】
2011027464.tif 000081
【図５５】
2011027464.tif 000082
【図５６】
2011027464.tif 000083
【図５７】
2011027464.tif 000084
【図５８】
2011027464.tif 000085
【図５９ａ】
2011027464.tif 000086
【図５９ａ】
2011027464.tif 000087
【図５９ｂ】
2011027464.tif 000088
【図５９ｃ】
2011027464.tif 000089
【図５９ｄ】
2011027464.tif 000090
【図５９ｅ】
2011027464.tif 000091
【図６０ａ】
2011027464.tif 000092
【図６０ｂ】
2011027464.tif 000093
【図６０ｃ】
2011027464.tif 000094
【図６０ｄ】
2011027464.tif 000095
【図６０ｅ】
2011027464.tif 000096
【国際調査報告】
2011027464.tif 000097
2011027464.tif 000098
2011027464.tif 000099
2011027464.tif 000100